(57)【特許請求の範囲】
【請求項１】
周囲に複数の図柄が付されている複数の回転リールと、
各回転リールの回転開始に係るスタートスイッチと、
各回転リールの回転停止に係るものでありかつ各回転リールにそれぞれ対応して設けられているストップスイッチと、
すべての回転リールの回転が停止した際における、表示された図柄の組合せに基づいて複数の役のいずれかに入賞したかまたは入賞なしかの判定を行うための入賞判定手段と、
入賞判定手段によりいずれかの役に入賞したと判定されたときに、入賞した役に対応した配当を払い出すための払出制御手段と、
いずれかの役に対応した図柄組合せが成立することを許可するか否かの抽選を行うための役抽選手段と、
各回転リールについて、役抽選手段の抽選結果と各ストップスイッチが操作されたときの対応する回転リールの回転位置とに基づいて、予め定めた最大限の範囲内で当該回転位置から回転させ続ければ許可された図柄組合せを成立させる可能性を有する場合には、許可された図柄組合せが成立し得る停止位置となるように、予め定めた最大限の範囲内で、回転リールを回転させた後に停止させる停止制御を行うための停止制御手段と、
を備えた遊技機において、
前記図柄には、２以上の回転リールに付される、補助小役図柄と複数種の特定小役図柄とを含み、
前記役には、各回転リールの特定小役図柄が所定の組合せになることにより入賞となる複数種の特定小役と、各回転リールの補助小役図柄が所定の組合せになることにより入賞となる補助小役とを含み、
所定の回転リールにおける複数種の特定小役図柄のうち、所定種の特定小役図柄を基軸図柄として、前記複数種の特定小役のうち、基軸図柄が前記組合せの一部を構成する複数種の特定小役の集合を１の特定小役グループとしてまとめ、その上で、基軸図柄に対応する回転リールを異にする特定小役グループを複数種定め、
前記複数の回転リールのうち前記２以上の回転リールには、各回転リールにおいて、
前記ストップスイッチが操作されたときに所定種の特定小役図柄が特定小役を成立し得る回転位置である場合には前記停止制御手段が予め定めた最大限の範囲内で前記回転リールを回転させたとしても所定種以外の特定小役図柄が特定小役を成立し得ない間隔で２種以上の特定小役図柄、及び、
前記ストップスイッチが操作されたときに前記所定種の特定小役図柄が特定小役を成立し得ない回転位置に対応した位置に、所定種以外の特定小役図柄が特定小役を成立させる可能性がある停止位置となるときには同時に補助小役を成立し得ない間隔をおいて、各種特定小役図柄に対応した複数の補助小役図柄が付され、
前記入賞判定手段は、各回転リールが、複数種の特定小役のいずれかとなる図柄組合せで停止した場合には、組合せに対応した特定小役の入賞と判定するとともに、補助小役となる図柄組合せで停止した場合には、組合せに対応した補助小役の入賞と判定し、
前記払出制御手段は、いずれかの特定小役の入賞と判定された場合にはいずれの補助小役の入賞と判定された場合よりも多くの配当を払い出し、
前記役抽選手段は、いずれかの特定小役グループに対応する図柄組合せが成立することと補助小役に対応する図柄組合せが成立することとを、同時に許可し得る抽選を行い、
前記停止制御手段は、払出制御手段により払い出される配当の多い役となる図柄組合せが優先して成立し得るように停止制御を行うものであって、
前記役抽選手段がいずれかの特定小役グループに対応する図柄組合せ及び補助小役に対応する図柄組合せが成立することを許可したときには、許可された特定小役グループに対応した基軸図柄が付された回転リールから停止を行う場合には優先される特定小役図柄が１種のみである一方、許可された特定小役グループに対応した基軸図柄が付された回転リール以外の特定小役図柄が付された回転リールから停止を行う場合には優先される特定小役図柄が複数種あるとともに、
特定小役図柄及び補助小役図柄が付された回転リールを停止するときには、停止位置に応じて、特定小役と補助小役との少なくともいずれか一方に対応する図柄組合せが成立する可能性を失い、以後の回転リールの停止においては、成立する可能性の残った図柄組合せが成立するように停止制御が行われるため、
同一の抽選結果における同一の回転リールであっても、回転リールを停止させる順序に応じて、特定小役図柄が表示できない範囲すなわち補助小役図柄を表示できる範囲が変化し、
前記役抽選手段によりいずれかの特定小役グループに対応する図柄組合せが成立することと補助小役に対応する図柄組合せが成立することとが同時に許可された場合に、許可された特定小役グループに対応した基軸図柄が付された回転リールを報知するための報知制御手段と、
を備えたことを特徴とする遊技機。
【発明の詳細な説明】
【技術分野】
【０００１】
本発明は、遊技機に関し、さらに詳しくは、図柄の識別ができない遊技者であっても、遊技で得られる配当の期待値に変化を付けられる遊技機に関するものである。
【背景技術】
【０００２】
従来のスロットマシンなどの遊技機において、役抽選を行い、役抽選の結果に基づいて回転リールの停止制御を行う遊技機が、知られている。このような遊技機では、役抽選の結果に基づき、遊技者がストップスイッチの操作を行ったタイミングから、所定の限度内で回転リールを回転させ続けた後に、回転リールの停止を行うことで、当選した役に対応した図柄組合せが揃いやすいように、停止制御を行う。
【０００３】
一方、近年、所定の役に当選したときに、特定の順番でストップスイッチを操作したときと、それ以外の順番でストップスイッチを操作したときとで、異なる停止制御を選択し、特定の順番で操作したとき以外は揃わない制御、あるいは、揃いにくい制御を行う遊技機が存在する（例えば、特許文献１参照）。このような遊技機では、例えば、同じベル役であっても、ストップスイッチを左から操作したときにのみベル役が揃う停止制御と、右から操作したときにのみベル役が揃う停止制御とを選択可能とし、外見からはどちらの停止制御が選択されているか分からないように形成されている。
【０００４】
そして、一定の条件下で、どちらの停止制御が選択されているかを報知し、報知がない場合と報知がある場合とで、遊技で得られる配当の期待値に変化を付ける、という制御が行われていた。
【０００５】
【特許文献１】特開２００１−２９３１４１号公報
【発明の開示】
【発明が解決しようとする課題】
【０００６】
ところで、従来の遊技機では、同じタイミングでストップスイッチを操作しても、操作する順番によっては、当選した役が揃わない、あるいは揃いにくいように停止制御が行われていた。すなわち、所定の限度内で回転リールを回転させ続ければ当選した役が揃うにもかかわらず、揃わない、あるいは揃いにくい停止制御を行うことで、遊技者に不自然な印象を抱かせ、遊技機に対する信頼を損ねていた。
【０００７】
また、複数パターンの停止制御を選択可能とするために、役抽選手段による抽選の後、いずれの停止制御パターンを選択するかを決定する処理が必要となっていた。また、このような処理を必要としない遊技機であっても、役抽選手段による抽選の際に、１の役に対して、停止制御Ａを選択する乱数範囲、停止制御Ｂを選択する乱数範囲など、役抽選に使用する乱数に対する当選範囲の指定データ容量が増えていた。
【０００８】
また、当選した役が揃わなくする、あるいは揃いにくくするために、ストップスイッチの操作の順番に応じて異なる停止制御の処理をせねばならず、停止制御の処理により、負荷がかかるおそれがある。
【０００９】
（第１の発明）
そこで、第１の発明は、遊技で得られる配当の期待値に変化を付けるにあたり、停止制御の際に、信頼を損なわぬよう所定の限度いっぱいまで回転リールの回転を可能とし、また、抽選に要するデータの増大または抽選の処理による負荷の増大を要することなく、また、ストップスイッチの操作の順番によって停止制御の処理を異ならせる必要もない遊技機を提供することを目的とする。
【課題を解決するための手段】
【００１０】
（第１の発明）
第１の発明は、遊技機に係るものであって、周囲に複数の図柄が付されている複数の回転リール(40)と、各回転リール(40)の回転開始に係るスタートスイッチ(50)と、各回転リール(40)の回転停止に係るものでありかつ各回転リール(40)にそれぞれ対応して設けられているストップスイッチ(60)と、すべての回転リール(40)の回転が停止した際における、表示された図柄の組合せに基づいて複数の役のいずれかに入賞したかまたは入賞なしかの判定を行うための入賞判定手段(120)と、入賞判定手段(120)によりいずれかの役に入賞したと判定されたときに、入賞した役に対応した配当を払い出すための払出制御手段(130)と、いずれかの役に対応した図柄組合せが成立することを許可するか否かの抽選を行うための役抽選手段(140)と、各回転リール(40)について、役抽選手段(140)の抽選結果と各ストップスイッチ(60)が操作されたときの対応する回転リール(40)の回転位置とに基づいて、予め定めた最大限の範囲内で当該回転位置から回転させ続ければ許可された図柄組合せを成立させる可能性を有する場合には、許可された図柄組合せが成立し得る停止位置となるように、予め定めた最大限の範囲内で、回転リール(40)を回転させた後に停止させる停止制御を行うための停止制御手段(160)と、を備えた遊技機において、図柄には、２以上の回転リール(40)に付される、補助小役図柄と複数種の特定小役図柄とを含み、役には、各回転リール(40)の特定小役図柄が所定の組合せになることにより入賞となる複数種の特定小役と、各回転リール(40)の補助小役図柄が所定の組合せになることにより入賞となる補助小役とを含み、所定の回転リール(40)における複数種の特定小役図柄のうち、所定種の特定小役図柄を基軸図柄として、複数種の特定小役のうち、基軸図柄が組合せの一部を構成する複数種の特定小役の集合を１の特定小役グループとしてまとめ、その上で、基軸図柄に対応する回転リールを異にする特定小役グループを複数種定め、複数の回転リール(40)のうち２以上の回転リール(40)には、各回転リール(40)において、ストップスイッチ(60)が操作されたときに所定種の特定小役図柄が特定小役を成立し得る回転位置である場合には停止制御手段(160)が予め定めた最大限の範囲内で回転リール(40)を回転させたとしても所定種以外の特定小役図柄が特定小役を成立し得ない間隔で２種以上の特定小役図柄、及び、ストップスイッチ(60)が操作されたときに所定種の特定小役図柄が特定小役を成立し得ない回転位置に対応した位置に、所定種以外の特定小役図柄が特定小役を成立させる可能性がある停止位置となるときには同時に補助小役を成立し得ない間隔をおいて、各種特定小役図柄に対応した複数の補助小役図柄が付され、入賞判定手段(120)は、各回転リール(40)が、複数種の特定小役のいずれかとなる図柄組合せで停止した場合には、組合せに対応した特定小役の入賞と判定するとともに、補助小役となる図柄組合せで停止した場合には、組合せに対応した補助小役の入賞と判定し、払出制御手段(130)は、いずれかの特定小役の入賞と判定された場合にはいずれの補助小役の入賞と判定された場合よりも多くの配当を払い出し、役抽選手段(140)は、いずれかの特定小役グループに対応する図柄組合せが成立することと補助小役に対応する図柄組合せが成立することとを、同時に許可し得る抽選を行い、停止制御手段(160)は、払出制御手段(130)により払い出される配当の多い役となる図柄組合せが優先して成立し得るように停止制御を行うものであって、役抽選手段(140)がいずれかの特定小役グループに対応する図柄組合せ及び補助小役に対応する図柄組合せが成立することを許可したときには、許可された特定小役グループに対応した基軸図柄が付された回転リール(40)から停止を行う場合には優先される特定小役図柄が１種のみである一方、許可された特定小役グループに対応した基軸図柄が付された回転リール(40)以外の特定小役図柄が付された回転リール(40)から停止を行う場合には優先される特定小役図柄が複数種あるとともに、特定小役図柄及び補助小役図柄が付された回転リール(40)を停止するときには、停止位置に応じて、特定小役と補助小役との少なくともいずれか一方に対応する図柄組合せが成立する可能性を失い、以後の回転リール(40)の停止においては、成立する可能性の残った図柄組合せが成立するように停止制御が行われるため、同一の抽選結果における同一の回転リール(40)であっても、回転リール(40)を停止させる順序に応じて、特定小役図柄が表示できない範囲すなわち補助小役図柄を表示できる範囲が変化し、役抽選手段(140)によりいずれかの特定小役グループに対応する図柄組合せが成立することと補助小役に対応する図柄組合せが成立することとが同時に許可された場合に、許可された特定小役グループに対応した基軸図柄が付された回転リール(40)を報知するための報知制御手段(191)と、を備えたことを特徴とする。
【００１１】
ここで、「遊技機」としては、例えば、スロットマシン(10)や、入賞球の検出器がスタートスイッチ(50)となり回転リール(40)を回転させるストップスイッチ(60)を備えたパチンコ機などがある。
【００１２】
また、「回転リール(40)」は、複数備えられ、周囲に複数の図柄が付されている。また、「図柄」には、２以上の回転リール(40)に付される、「補助小役図柄」と複数種の「特定小役図柄」とを含む。特定小役図柄は、回転リール(40)毎に異なる種の特定小役図柄を付すことができ、また、一部または全部の回転リール(40)にて同じ種の特定小役図柄を付すこともできる。また、特定小役図柄は、複数の回転リール(40)のうち一部の回転リール(40)のみに付すことができ、また、複数の回転リール(40)の全てに付すこともできる。例えば、３個の回転リール(40)を横並びに設け、それぞれの回転リール(40)に、「赤スイカ」「青スイカ」「黄スイカ」の３種類の特定小役図柄を付すことができる。また、例えば、左側の回転リール(40)には、「赤スイカ」「青スイカ」「黄スイカ」の３種類の特定小役図柄を、右側の回転リール(40)には「黒スイカ」「白スイカ」「緑スイカ」の３種類の特定小役図柄を付し、中央の回転リール(40)には特定小役図柄を付さない、とすることもできる。また、例えば、左側及び中央の回転リール(40)には、「赤スイカ」「青スイカ」「黄スイカ」の３種類の特定小役図柄を、右側の回転リール(40)には「黒スイカ」「白スイカ」「緑スイカ」の３種類の特定小役図柄を付すこともできる。また、補助小役図柄については、１種類とすることも、多種類とすることも可能である。例えば、補助小役図柄として「ベル」の図柄１種類とすることもでき、また、「赤ベル」「青ベル」「黄ベル」のように多種類の図柄を補助小役図柄とすることもできる。また、補助小役図柄は、複数の回転リール(40)のうち一部の回転リール(40)のみに付すことができ、また、複数の回転リール(40)の全てに付すこともできる。なお、複数種の特定小役図柄が付される回転リール(40)には、補助小役図柄も付されることが望ましい。
【００１３】
また、「スタートスイッチ(50)」は、各回転リール(40)の回転開始に係るものである。
【００１４】
また、「ストップスイッチ(60)」は、各回転リール(40)の回転停止に係るものでありかつ各回転リール(40)にそれぞれ対応して設けられている。
【００１５】
また、「入賞判定手段(120)」は、すべての回転リール(40)の回転が停止した際における、表示された図柄の組合せに基づいて複数の役のいずれかに入賞したかまたは入賞なしかの判定を行うためのものである。「役」には、各回転リール(40)の特定小役図柄が所定の組合せになることにより入賞となる複数種の「特定小役」と、各回転リール(40)の補助小役図柄が所定の組合せになることにより入賞となる「補助小役」とを含む。特定小役としては、各回転リール(40)に付された特定小役図柄同士の全通りの組合せに対応した特定小役を設けることもでき、また、特定小役図柄同士の組合せの一部に対応したものだけをそれぞれの特定小役とすることもできる。補助小役図柄を多種類としたときの補助小役も同様である。例えば前述の、３つの回転リール(40)に「赤スイカ」「青スイカ」「黄スイカ」をそれぞれ付した例では、一直線にいずれかのスイカの図柄が並んだときに、特定小役に入賞したと判定することができる。また例えばこのとき、一直線上に左から「赤スイカ」「青スイカ」「黄スイカ」と並んだとき及び「黄スイカ」「赤スイカ」「黄スイカ」と並んだときを除いて特定小役の入賞と判定することもできる。また例えば前述の、左側の回転リール(40)に「赤スイカ」「青スイカ」「黄スイカ」の特定小役図柄を、右側の回転リール(40)には「黒スイカ」「白スイカ」「緑スイカ」の特定小役図柄を付し、中央の回転リール(40)には特定小役図柄を付さない、とした例では、左側の回転リール(40)と右側の回転リール(40)のスイカの図柄が一直線上に停止すれば、中央の回転リール(40)の停止図柄は特に問題とせずに、特定小役の入賞と判定することができる。
【００１６】
また、入賞判定手段(120)は、各回転リール(40)が、複数種の特定小役のいずれかとなる図柄組合せで停止した場合には、組合せに対応した特定小役の入賞と判定するとともに、補助小役となる図柄組合せで停止した場合には、組合せに対応した補助小役の入賞と判定する。
【００１７】
また、「払出制御手段(130)」は、入賞判定手段(120)によりいずれかの役に入賞したと判定されたときに、入賞した役に対応した配当を払い出すためのものである。また、払出制御手段(130)は、いずれかの特定小役の入賞と判定された場合にはいずれの補助小役の入賞と判定された場合よりも多くの配当を払い出す。例えば、いずれの特定小役の入賞と判定されたときも１０枚のメダルの払い出しを行うことも可能であり、また、一部の特定小役の入賞に限り１５枚のメダルの払い出しを行い、それ以外の特定小役の入賞のときは１２枚のメダルの払い出しを行う、とすることも可能である。例えば前述の、３つの回転リール(40)に「赤スイカ」「青スイカ」「黄スイカ」をそれぞれ付した例では、「赤スイカ」「赤スイカ」「赤スイカ」など同種の図柄が一直線上に並んだときには１５枚の払い出しを行い、「赤スイカ」「青スイカ」「青スイカ」など同種ではない図柄が一直線上に並んだときには１２枚の払い出しを行う、とすることができる。また例えば、スイカの図柄が一直線上に並べば、その組合せを問わず１０枚の払い出しを行う、とすることもできる。また、補助小役図柄を多種類とした場合の補助小役についても同様であるが、最も払い出しの多い補助小役の入賞であっても、最も払い出しの少ない特定小役の入賞よりも、払い出される配当は少ない。また、メダルに代えて球を払い出すものとしても良い。
【００１８】
また、「役抽選手段(140)」は、いずれかの役に対応した図柄組合せが成立することを許可するか否かの抽選を行うためのものである。また、所定の回転リール(40)における複数種の特定小役図柄のうち、所定種の特定小役図柄を「基軸図柄」として、複数種の特定小役のうち、基軸図柄が組合せの一部を構成する複数種の特定小役の集合を１の「特定小役グループ」としてまとめ、その上で、基軸図柄に対応する回転リールを異にする特定小役グループを複数種定めている。例えば、１の基軸図柄が組合せの一部を構成する全ての特定小役の集合を特定小役グループとすることもでき、また、１の基軸図柄が組合せの一部を構成する特定小役のうち、一部の特定小役の集合を特定小役グループとすることもできる。例えば前述の、３つの回転リール(40)に「赤スイカ」「青スイカ」「黄スイカ」をそれぞれ付した例では、左側の回転リール(40)の「赤スイカ」を基軸図柄とし、一直線上に左から「赤スイカ」「×スイカ」「×スイカ」（「×スイカ」は「赤スイカ」「青スイカ」「黄スイカ」のいずれでも良い）と並んだときの組合せの集合を１の特定小役グループとすることができる。その上で、例えば、中央の回転リール(40)の「青スイカ」を基軸図柄とし、一直線上に左から「×スイカ」「青スイカ」「×スイカ」と並んだときの組合せの集合をまた別の特定小役グループとすることができる。このとき、特定小役グループは、同一の回転リール(40)において異なる種の図柄を基軸図柄とした特定小役グループと、回転リール(40)を異にする図柄を基軸図柄とした特定小役グループとを定め、最低４グループ以上の特定小役グループを定める必要がある。
【００１９】
役抽選手段(140)は、いずれかの特定小役グループに対応する図柄組合せが成立することと補助小役に対応する図柄組合せが成立することとを、同時に許可し得る抽選を行う。
【００２０】
また、「停止制御手段(160)」は、各回転リール(40)について、役抽選手段(140)の抽選結果と各ストップスイッチ(60)が操作されたときの対応する回転リール(40)の回転位置とに基づいて、予め定めた最大限の範囲内で当該回転位置から回転させ続ければ許可された図柄組合せを成立させる可能性を有する場合には、許可された図柄組合せが成立し得る停止位置となるように、予め定めた最大限の範囲内で、回転リール(40)を回転させた後に停止させる停止制御を行うためのものである。すなわち、停止制御手段(160)は、常に同じ最大値を許容範囲として、いわゆる“引き込み”を行う。ここで“引き込み”とは、役抽選手段(140)により許可された図柄組合せが成立し得る停止位置となるように、回転リール(40)を回転させた後に停止させることである。また、例えば、役抽選手段(140)で許可されていない図柄組合せが出現してしまう場合は、その停止位置では停止しないように別の停止位置を選択する、いわゆる“蹴飛ばし”を行う。なお、“引き込み”をして許可された図柄組合せを出現させると同時に別の許可されていない図柄組合せが出現してしまい“蹴飛ばし”をする必要が発生するときには、“引き込み”を優先するか“蹴飛ばし”を優先するか（“蹴飛ばし”を優先して許可された図柄組合せも出現させないか、“引き込み”を優先して許可されていない図柄組合せを出現させてしまうか）、設計時に適宜選択しておけばよい。また、停止制御手段(160)は、払出制御手段(130)により払い出される配当の多い役となる図柄組合せが優先して成立し得るように停止制御を行うものである。
【００２１】
また、停止制御手段(160)としては、例えば、ストップスイッチ(60)が操作されたときの回転位置に対応して、予め定められた滑りコマ数を読み出し停止制御を行う滑りコマ数制御手段(161)を備えたもの採用することができる。また、例えば、ストップスイッチ(60)が操作されたときの回転位置と、役抽選手段(140)の抽選結果とに基づき、許可された組合せが成立するか否か及び許可されていない組合せが成立しないか否かを所定範囲内で判定し、停止可能位置を決定する引込制御手段(162)や優先図柄制御手段(163)を備えたものを採用することができる。
【００２２】
また、「複数の回転リール(40)のうち２以上の回転リール(40)」には、各回転リール(40)において、ストップスイッチ(60)が操作されたときに所定種の特定小役図柄が特定小役を成立し得る回転位置である場合には停止制御手段(160)が予め定めた最大限の範囲内で回転リール(40)を回転させたとしても所定種以外の特定小役図柄が特定小役を成立し得ない間隔で２種以上の特定小役図柄が付され、また、ストップスイッチ(60)が操作されたときに所定種の特定小役図柄が特定小役を成立し得ない回転位置に対応した位置に、所定種以外の特定小役図柄が特定小役を成立させる可能性がある停止位置となるときには同時に補助小役を成立し得ない間隔をおいて、各種特定小役図柄に対応した複数の補助小役図柄が付されている。すなわち、１の回転リール(40)に付された複数種の特定小役図柄同士は、同時に狙うことができない。また、特定小役図柄と補助小役図柄とは、同時に表示されることがない。また、補助小役図柄は、所定種の特定小役図柄を表示できない位置を狙ってしまった場合に、補助小役の入賞の可能性を持つように、各特定小役図柄に対応して配置されている。
【００２３】
したがって、特定小役図柄及び補助小役図柄が付された回転リール(40)を停止するときには、停止位置に応じて、特定小役と補助小役との少なくともいずれか一方に対応する図柄組合せが成立する可能性を失い、以後の回転リール(40)の停止においては、停止制御手段(160)は、成立する可能性の残った図柄組合せが成立するように停止制御を行う。また、役抽選手段(140)がいずれかの特定小役グループに対応する図柄組合せ及び補助小役に対応する図柄組合せが成立することを許可したときには、許可された特定小役グループに対応した基軸図柄が付された回転リール(40)から停止を行う場合には優先される特定小役図柄が１種のみである一方、許可された特定小役グループに対応した基軸図柄が付された回転リール(40)以外の特定小役図柄が付された回転リール(40)から停止を行う場合には優先される特定小役図柄が複数種ある。そのため、同一の抽選結果（特定小役グループに対応する図柄組合せ及び補助小役に対応する図柄組合せの成立を許可する抽選結果）における同一の回転リール(40)であっても、回転リール(40)を停止させる順序に応じて、特定小役図柄が表示できない範囲すなわち補助小役図柄を表示できる範囲が変化する。
【００２４】
また、「報知制御手段(191)」は、役抽選手段(140)によりいずれかの特定小役グループに対応する図柄組合せが成立することと補助小役に対応する図柄組合せが成立することとが同時に許可された場合に、許可された特定小役グループに対応した基軸図柄が付された回転リール(40)を報知するためのものである。すなわち、報知制御手段(191)は、補助小役図柄が表示できる範囲が大きくなるように、停止操作の順序を知らしめるためものである。ここで、「報知」は、映像による報知とすることができ、音声による報知とすることができ、その他の光や振動等による報知とすることもでき、これらの報知の組合せとすることもできる。例えば、報知制御手段(191)による報知の結果、所定の表示装置に、最初に停止すべき回転リール(40)が映像として表示される。また、例えば、報知制御手段(191)による報知の結果、所定の映像が液晶ディスプレイ(83)に表示され、スピーカ(82)から停止順序を指示する音声が出力される。
【発明の効果】
【００２５】
（第１の発明）
第１の発明によれば、複数の回転リールのうち２以上の回転リールには、各回転リールにおいて、ストップスイッチが操作されたときに所定種の特定小役図柄が特定小役を成立し得る回転位置である場合には停止制御手段が予め定めた最大限の範囲内で回転リールを回転させたとしても所定種以外の特定小役図柄が特定小役を成立し得ない間隔で２種以上の特定小役図柄、及び、ストップスイッチが操作されたときに所定種の特定小役図柄が特定小役を成立し得ない回転位置に対応した位置に、所定種以外の特定小役図柄が特定小役を成立させる可能性がある停止位置となるときには同時に補助小役を成立し得ない間隔をおいて、各種特定小役図柄に対応した複数の補助小役図柄を付し、所定の回転リールにおける複数種の特定小役図柄のうち、所定種の特定小役図柄を基軸図柄として、複数種の特定小役のうち、基軸図柄が組合せの一部を構成する複数種の特定小役の集合を１の特定小役グループとしてまとめ、その上で、基軸図柄に対応する回転リールを異にする特定小役グループを複数種定め、役抽選手段は、いずれかの特定小役グループに対応する図柄組合せが成立することと補助小役に対応する図柄組合せが成立することとを、同時に許可し得る抽選を行い、停止制御手段は、払出制御手段により払い出される配当の多い役となる図柄組合せが優先して成立し得るように停止制御を行うものとしたため、停止操作の順序によって、特に異なる制御処理を要することもなく、得られる配当の期待値に変化を創出することができる。また、停止操作の順序がいかなる順序であっても、常に予め定めた最大限に停止制御を行うため、遊技者の信頼を損なうこともない。
【発明を実施するための最良の形態】
【００２６】
（第１の実施の形態）
本発明の第１の実施の形態について説明する。なお、図１ないし図１１は、本発明の第１の実施の形態を示すものである。
【００２７】
図１は、遊技機のブロック図、図２は、遊技機の外観図、図３は、図柄表示窓26、出目および入賞ライン300の概念図、図４は、回転リール40に付された図柄の配列図、図５は、停止テーブル150の一例の図、図６は、特定小役グループ及び特定当選の一覧を示す図、図７は、抽出された乱数と特定当選の当選範囲との関係の一例を示す図、図８ないし図１１は、遊技機の動作の概略を示すフローチャートである。
【００２８】
本実施の形態では、「前面」とは、遊技機において遊技を行う際に遊技者が向き合う面をいう。また、「右側」とは、遊技機の前面に向き合って遊技を行う遊技者から見て右側をいう。また、「左側」とは、遊技機の前面に向き合って遊技を行う遊技者から見て左側をいう。
【００２９】
（遊技機／スロットマシン10）
図２に示すように、本実施の形態に係る遊技機は、スロットマシン10である。このスロットマシン10は、前面に開口部を有する箱型の筐体20を備えている。また、筐体20の前面には、開口部を塞ぐ前扉21を備えている。また、前扉21の前面上部には、上パネル22が備えられ、また、前扉21の前面中央には、中パネル23が備えられ、また、前扉21の前面下部には、下パネル24が備えられている。また、上パネル22には、入賞となる図柄組合せ（入賞図柄組合せ）や、各役に入賞した際に払い出されるメダルの枚数（配当）などが表示され、また、下パネル24には、当該スロットマシン10の機種名のロゴやイメージキャラクターなどが表示されている。また、前扉21の前面における、中パネル23と下パネル24との間には、前方へ向けて突出する操作部25が設けられている。また、筐体20の内部には、３個の回転リール40を横並びに設けたリールユニット30が備えられている。また、３個の回転リール40のうち、左側に設けられているのが左リール41であり、また、中央に設けられているのが中リール42であり、また、右側に設けられているのが右リール43である。また、各回転リール40の周囲には、複数種類の図柄が所定の配列で合計２１個付されている。また、中パネル23のほぼ中央には、各回転リール40の周囲に付されている２１個の図柄のうちの３個を表示するための図柄表示窓26が設けられている。また、中パネル23における図柄表示窓26の下側には、クレジットされているメダルの枚数を表示するためのクレジット数表示装置90が設けられている。
【００３０】
また、図柄表示窓26は、各回転リール40の前方に設けられており、３個すべての回転リール40の回転が停止した際には、図３に示すように、縦３列横３行に組合せた合計９個の図柄を表示可能に形成されている。
【００３１】
具体的には、左リール41の周囲には合計２１個の図柄が付されているが、左リール41の回転が停止した際には、２１個の図柄のうちの３個が図柄表示窓26に表示される。すなわち、左リール41の回転が停止すると、図柄表示窓26の左側部分には、３個の図柄が縦並びに表示される。中リール42および右リール43についても同様である。これにより、３個すべての回転リール40の回転が停止すると、図柄表示窓26には、縦に３行、横に３列に組合せた合計９個の図柄が表示される。また、図柄表示窓26に表示される縦３列横３行の図柄組合せは、「出目」などと呼ばれる。
【００３２】
また、本実施の形態では、３個の図柄が図柄表示窓26に対して適正な位置に表示されるときの各回転リール40の停止位置を、「適正停止位置」という。
【００３３】
例えば、図３に示すように、３個の図柄が図柄表示窓26に対して適正な位置に表示されるときの各回転リール40の停止位置が、「適正停止位置」である。
【００３４】
すなわち、各回転リール40が「適正停止位置」で停止すると、図柄表示窓26には各回転リール40毎に３個の図柄が正しく表示されることとなる。
【００３５】
また、本実施の形態では、図３に示すように、左リール41の回転がいずれかの適正停止位置で停止した際に図柄表示窓26に表示される３個の図柄を上から順にそれぞれ「左リール上図柄201」「左リール中図柄202」「左リール下図柄203」とし、また、中リール42の回転がいずれかの適正停止位置で停止した際に図柄表示窓26に表示される３個の図柄を上から順にそれぞれ「中リール上図柄204」「中リール中図柄205」「中リール下図柄206」とし、また、右リール43の回転がいずれかの適正停止位置で停止した際に図柄表示窓26に表示される３個の図柄を上から順にそれぞれ「右リール上図柄207」「右リール中図柄208」「右リール下図柄209」としている。また、各回転リール40の上図柄の表示される位置を「上段」、中図柄の表示される位置を「中段」、下図柄の表示される位置を、「下段」としている。
【００３６】
また、本実施の形態では、第１から第５までの５本の入賞ライン300を設けている。
【００３７】
左リール中図柄202と中リール中図柄205と右リール中図柄208とを通るのが「第１入賞ライン301」であり、また、左リール上図柄201と中リール上図柄204と右リール上図柄207とを通るのが「第２入賞ライン302」であり、また、左リール下図柄203と中リール下図柄206と右リール下図柄209とを通るのが「第３入賞ライン303」であり、また、左リール下図柄203と中リール中図柄205と右リール上図柄207とを通るのが「第４入賞ライン304」であり、また、左リール上図柄201と中リール中図柄205と右リール下図柄209とを通るのが「第５入賞ライン305」である。
【００３８】
また、操作部25の上面右側には、遊技媒体としてのメダルを投入するための投入口85が設けられ、また、操作部25の上面左側には、クレジットされているメダルをベットするためのベットスイッチ70が設けられ、また、操作部25の前面右側には、クレジットされているメダルを返却するためのキャンセルスイッチ73が設けられ、また、操作部25の前面左側には、回転リール40の回転を開始させるためのスタートスイッチ50が設けられ、また、操作部25の前面中央には、回転リール40の回転を停止させるための３個のストップスイッチ60が横並びに設けられている。
【００３９】
また、前扉21の前面における、上パネル22と中パネル23との間には、液晶ディスプレイ83が設けられ、また、前扉21の上部には、演出に用いられる演出用ランプ81が設けられている。
【００４０】
また、前扉21の下部中央には、メダルを払い出すための払出口86が設けられ、また、払出口86の下方には、払出口86から払い出されたメダルを受け止めて貯留するための受け皿87が設けられている。また、払出口86の左右両側には、効果音などを鳴らすためのスピーカ82がそれぞれ設けられている。
【００４１】
また、前扉21の裏面における、投入口85の裏側に相当する位置には、投入口85に投入されたメダルを処理するためのメダル処理ユニットが備えられている。
【００４２】
また、筐体20の内部には、スロットマシン10を制御するための制御装置100や、メダルを払い出すためのホッパーユニットや、スロットマシン10が備える各装置に電力を供給するための電源ユニットなどが備えられている。
【００４３】
（リールユニット30）
リールユニット30は、フレームと、このフレームに横並びに固定した３個のステッピングモータと、各ステッピングモータの出力軸に固定した３個の回転リール40とを備えている。
【００４４】
また、各回転リール40の周囲には、「７」「ＢＡＲ」「赤スイカ」「青スイカ」「黄スイカ」「ベル」「Ｒ」などの複数種類の図柄が所定の配列で合計２１個付されている。
【００４５】
本実施の形態では、図柄には、補助小役図柄と複数種の特定小役図柄とを含んでいる。また、補助小役図柄と複数種の特定小役図柄とは、全ての回転リール40に付されている。
【００４６】
本実施の形態では、左リール41が有する「赤スイカ」の図柄が特定小役図柄Ａとなっている。また、左リール41が有する「青スイカ」の図柄が特定小役図柄Ｂ、左リール41が有する「黄スイカ」の図柄が特定小役図柄Ｃ、中リール42が有する「赤スイカ」の図柄が特定小役図柄Ｄ、中リール42が有する「青スイカ」の図柄が特定小役図柄Ｅ、中リール42が有する「黄スイカ」の図柄が特定小役図柄Ｆ、右リール43が有する「赤スイカ」の図柄が特定小役図柄Ｇ、右リール43が有する「青スイカ」の図柄が特定小役図柄Ｈ、右リール43が有する「黄スイカ」の図柄が特定小役図柄Ｉとなっている。すなわち、各回転リール40が有する「赤スイカ」「青スイカ」「黄スイカ」の図柄が、それぞれ、特定小役図柄である。
【００４７】
また、本実施の形態では、左リール41、中リール42、及び右リール43のそれぞれに付された「ベル」の図柄が、補助小役図柄となっている。また、本実施の形態では、「赤スイカ」の図柄は第１〜第２７特定小役入賞のうち、一部の入賞に対応した図柄（各回転リール40の「赤スイカ」ごとに、対応する入賞が異なる。詳細については後述）とされ、また、「青スイカ」の図柄も、第１〜第２７特定小役入賞のうち、一部の入賞に対応した図柄（各回転リール40の「青スイカ」ごとに、対応する入賞が異なる。詳細については後述）とされ、また、「黄スイカ」の図柄も第１〜第２７特定小役入賞のうち、一部の入賞に対応した図柄（各回転リール40の「黄スイカ」ごとに、対応する入賞が異なる。詳細については後述）とされ、「ベル」の図柄は、補助小役入賞に対応した図柄とされている。また、「７」の図柄や、「ＢＡＲ」の図柄や、「Ｒ」の図柄などは、本実施の形態では特に述べることはないが、ボーナス入賞や、その他の小役入賞や、Ｒｅｐｌａｙ入賞などに対応した図柄とされている。
【００４８】
（回転リール40）
回転リール40は、周囲に複数の図柄が付されているものである。
【００４９】
また、複数の回転リール40のうち２以上の回転リール40には、各回転リール40において、ストップスイッチ60が操作されたときに所定種の特定小役図柄が特定小役を成立し得る回転位置である場合には停止制御手段160が予め定めた最大限の範囲内で回転リール40を回転させたとしても所定種以外の特定小役図柄が特定小役を成立し得ない間隔で２種以上の特定小役図柄、及び、ストップスイッチ60が操作されたときに所定種の特定小役図柄が特定小役を成立し得ない回転位置に対応した位置に、所定種以外の特定小役図柄が特定小役を成立させる可能性がある停止位置となるときには同時に補助小役を成立し得ない間隔をおいて、各種特定小役図柄に対応した複数の補助小役図柄が付されている。
【００５０】
図４は、回転リール40に付された図柄の一部を抜粋して表したものである。各回転リール40は、２１個の各図柄に対応して、０１番〜２１番の番号が付されている。回転リール40の回転中は、図柄表示窓26の中段に表示される図柄が、例えば２１番、２０番、１９番、１８番・・・と上から下に流れていくように見え、０１番まで来ると、２１番の図柄に戻るようになっている。
【００５１】
本実施の形態においては、前述のように、「赤スイカ」「青スイカ」「黄スイカ」の３種の図柄が特定小役図柄とされ、「ベル」の図柄が補助小役図柄とされている。また、３つの回転リール40にそれぞれ、「赤スイカ」「青スイカ」「黄スイカ」及び「ベル」の図柄が付されている。したがって、３つの回転リール40の全てが、補助小役図柄及び３種の特定小役図柄を有している。
【００５２】
また、各回転リール40において、「赤スイカ」、「青スイカ」及び「黄スイカ」の図柄は、それぞれ、６つの図柄を挟んで、７つの図柄間隔ごと（以下、図柄数をコマと表現し、７コマおきごと）に配置されている。この７コマという間隔は、例えば、「赤スイカ」の図柄が下段に対応する回転位置であるときに、遊技者がストップスイッチ60を操作した場合、後述する停止制御手段160が限度いっぱいまで回転リール40を回転させたとしても、上段、中段又は下段のいずれにも、「青スイカ」及び「黄スイカ」の図柄は停止することはできない。「赤スイカ」「青スイカ」「黄スイカ」の特定小役図柄は互いに、いずれかの特定小役図柄を有効な入賞ライン300上に停止可能なときには、別の特定小役図柄はいずれも、有効な入賞ライン300上に停止することができないように間隔をとって配置されている。すなわち、各回転リール4041〜43に付されている複数種の特定小役図柄はそれぞれ、ストップスイッチ60が操作されたときに所定種の特定小役図柄が特定小役を成立し得る回転位置である場合には停止制御手段160が予め定めた最大限の範囲内で回転リール40を回転させたとしても所定種以外の特定小役図柄が特定小役を成立し得ない間隔で配置されている。言い換えれば、同時に２種以上の特定小役図柄を狙うことはできないようになっている。そして、このような間隔で、１の回転リール40につき、３種類の特定小役図柄が付されている。
【００５３】
また、各回転リール40において、「ベル」の図柄は、複数個あり、それぞれ、「赤スイカ」「青スイカ」及び「黄スイカ」の図柄と、所定の位置関係を有している。例えば、所定の役抽選の結果となったときに、左リール41の０１番〜０７番の図柄が中段に位置するときにストップスイッチ60を操作すると、「赤スイカ」の図柄が、上段、中段又は下段に停止する。一方、０８番〜２１番のいずれかの図柄が中段に位置するときに、ストップスイッチ60を操作すると、「赤スイカ」の図柄が図柄表示窓26内に停止することはない。この、０１番〜０７番の図柄が中段に位置するときにストップスイッチ60を操作しても上段、中段又は下段に停止し得ない位置、且つ、０８番〜２１番のいずれかの図柄が中段に位置するときにストップスイッチ60を操作すると上段、中段又は下段に停止し得る位置に、「ベル」の図柄が付されている。すなわち、「赤スイカ」の図柄が入賞を成立し得ない位置に「ベル」の図柄が付されている。具体的には、１２番、１３番、１９番、２０番の位置に、補助小役の「ベル」の図柄が付されている。また、「青スイカ」の図柄と０５番、０６番、１９番、２０番の「ベル」の図柄との関係、及び、「黄スイカ」の図柄と０５番、０６番、１２番、１３番の「ベル」の図柄との関係も、同様である。このように、各回転リール40は、ストップスイッチ60が操作されたときに所定種の特定小役図柄が特定小役を成立し得ない回転位置に対応した位置に、補助小役図柄が付されている。また、「赤スイカ」、「青スイカ」、及び「黄スイカ」のそれぞれの種の特定小役図柄に対応して、入賞を成立し得ない位置に、補助小役図柄の「ベル」が付されている。すなわち、各種特定小役図柄に対応した複数の補助小役図柄が付されている。
【００５４】
また、各回転リール40において、「ベル」の図柄は、それぞれ「赤スイカ」「青スイカ」「黄スイカ」の図柄と２コマの間隔を開けて配置されている。前述のように、図柄表示窓26内に表示されるのは３個の図柄だけであるため、「赤スイカ」、「青スイカ」又は「黄スイカ」の図柄と、「ベル」の図柄とは、同時に図柄表示窓26内に表示される可能性がない。したがって、いずれの回転リール40においても、「赤スイカ」、「青スイカ」又は「黄スイカ」の図柄と、「ベル」の図柄とが、同時に入賞ライン300上に表示される可能性がない関係となっている。これにより、いずれかの回転リール40が停止したときに、図柄表示窓26内に「赤スイカ」、「青スイカ」又は「黄スイカ」の図柄が表示されてしまえば、同一のリールにおいては、図柄表示窓26内に「ベル」の図柄が表示されることはない。言い換えれば、有効な入賞ライン300上に「赤スイカ」、「青スイカ」又は「黄スイカ」の図柄が表示されて特定小役が成立する可能性がある停止位置となるときには、同一のリールにおいては、同時に有効な入賞ライン300上に「ベル」の図柄が表示されることはなく、補助小役を成立させる可能性がない。
【００５５】
また、異なる言い方をすれば、各回転リール40において、有効な入賞ライン300上に「ベル」の図柄が表示されるときには、「赤スイカ」、「青スイカ」又は「黄スイカ」が有効な入賞ライン300上に表示されることはない。したがって、各回転リール40の特定小役図柄及び補助小役図柄の配置は、補助小役が成立する可能性があるときには、特定小役が成立する可能性がない配置となっている。このように、各回転リール40には、所定種の特定小役図柄が特定小役を成立させる可能性がある停止位置となるときには同時に補助小役を成立し得ない間隔をおいて、複数の補助小役図柄が付されている。
【００５６】
（スタートスイッチ50）
スタートスイッチ50は、回転リール40の回転を開始させるためのものであって、図２に示すように、操作部25の前面左側に設けられている。また、スタートスイッチ50にはレバー式スイッチが用いられており、レバーの先端を押し下げると、３個すべての回転リール40の回転が開始するようになっている。
【００５７】
（ストップスイッチ60）
ストップスイッチ60は、回転リール40の回転を停止させるためのものであって、図２に示すように、操作部25の前面中央に設けられている。また、ストップスイッチ60は、３個設けられており、また、各ストップスイッチ60は、各回転リール40にそれぞれ対応している。また、３個のストップスイッチ60は、操作部25の前面中央に横並びに設けられている。また、左側のストップスイッチ60は、左リール41に対応し、また、中央のストップスイッチ60は、中リール42に対応し、また、右側のストップスイッチ60は、右リール43に対応している。また、各ストップスイッチ60は、それぞれ、押しボタン式スイッチを用いて構成されており、左リール41用のストップスイッチ60が備えるボタンを押すと、左リール41の回転が停止し、また、中リール42用のストップスイッチ60が備えるボタンを押すと、中リール42の回転が停止し、また、右リール43用のストップスイッチ60が備えるボタンを押すと、右リール43の回転が停止するようになっている。
【００５８】
（ベットスイッチ70）
ベットスイッチ70は、クレジットされているメダルをベットするためのものである。
【００５９】
本実施の形態では、ベットスイッチ70は、図２に示すように、操作部25の上面左側に設けられている。また、ベットスイッチ70としては、シングルベットスイッチ71と、マックスベットスイッチ72とが備えられている。また、図２に示すように、シングルベットスイッチ71およびマックスベットスイッチ72は、操作部25の上面左側に横並びに設けられている。左側に位置するのがシングルベットスイッチ71であり、右側に位置するのがマックスベットスイッチ72である。
【００６０】
また、シングルベットスイッチ71には押しボタン式スイッチが用いられており、ボタンを１回押すと、クレジットされているメダルが１枚ベットされるようになっている。
【００６１】
また、マックスベットスイッチ72も、シングルベットスイッチ71と同様に、押しボタン式スイッチを用いて構成されている。ただ、マックスベットスイッチ72は、ボタンを１回押すと、クレジットされているメダルが３枚ベットされるようになっている。
【００６２】
（キャンセルスイッチ73）
キャンセルスイッチ73は、クレジットされているメダルおよびベットされているメダルを返却するためのものであって、図２に示すように、操作部25の前面右側に設けられている。また、キャンセルスイッチ73には押しボタン式スイッチが用いられており、ボタンを押すと、クレジットされているメダルおよびベットされているメダルが払出口86から返却されるようになっている。
【００６３】
（演出用ランプ81）
演出用ランプ81は、遊技者に当選または入賞などを知らせるためのものであって、図２に示すように、前扉21の上部に設けられている。なお、本実施の形態では、演出用ランプ81は、後述する報知制御手段191による報知が行われる際に、所定のパターンで点灯・点滅する。
【００６４】
（スピーカ82）
スピーカ82は、効果音などを鳴らすためのものであって、図２に示すように、払出口86の左右両側にそれぞれ設けられている。なお、本実施の形態では、スピーカ82は、後述する報知制御手段191による報知が行われる際に、所定の音声を発音する。
【００６５】
（液晶ディスプレイ83）
液晶ディスプレイ83は、演出に係る映像などを表示するためのものであって、図２に示すように、前扉21の前面における、上パネル22と中パネル23との間に設けられている。なお、本実施の形態では、液晶ディスプレイ83は、後述する報知制御手段191による報知処理が行われる際に、所定の映像を表示する。
【００６６】
（投入口85）
投入口85は、メダルを投入するためのものであって、図２に示すように、操作部25の上面右側に設けられている。
【００６７】
（払出口86）
払出口86は、メダルを払い出すためのものであって、図２に示すように、前扉21の下部中央に設けられている。
【００６８】
（受け皿87）
受け皿87は、払出口86から払い出されたメダルを受け止めて貯留するためのものであって、図２に示すように、払出口86の下方に設けられている。
【００６９】
（クレジット数表示装置90）
クレジット数表示装置90は、クレジットされているメダルの枚数を表示するためのものであって、図２に示すように、中パネル23における図柄表示窓26の下側に設けられている。
【００７０】
また、本実施の形態では、クレジット数表示装置90は、７セグメントＬＥＤを用いて構成されており、これにより、数値を表示可能とされている。
【００７１】
（ホッパーユニット）
ホッパーユニットは、メダルを払い出すためのものであって、筐体20の内部に設けられている。また、ホッパーユニットは、メダルを貯留するためのメダルタンクと、メダルタンクに貯留されているメダルを送り出すための送出機構とを備えている。そして、送出機構によって送り出されたメダルは、払出口86から払い出されるようになっている。
【００７２】
（メダル処理ユニット）
メダル処理ユニットは、投入口85から投入されたメダルを処理するためのものであって、前扉21の裏面における、投入口85の裏側に相当する位置に設けられている。また、メダル処理ユニットは、投入口85に投入されたメダルを一定方向へ誘導するためのメダル通路と、メダル通路の途中から分岐するメダル返却通路と、メダル通路からメダル返却通路が分岐する分岐部に位置するメダルセレクターとを有している。また、メダル通路の途中であって、メダルセレクターよりも下流側には、投入口85から投入されたメダルを検出するための投入検出センサー95が設けられている。また、メダル通路は、ホッパーユニットのメダルタンクに連通し、また、メダル返却通路は、払出口86に連通している。
【００７３】
また、投入検出センサー95は、投入口85から投入されたメダルを検出するためのものであって、図示しないが、フォトセンサーを用いて構成されている。メダル通路を流下するメダルは、フォトセンサーの発光部と受光部との間を通るようになっている。発光部から発せられた光は、常態では、受光部まで到達するようになっているが、メダル通路を流下するメダルがフォトセンサーの発光部と受光部との間を通過するときには、受光部まで届かなくなる。そして、フォトセンサーの受光部に光が届かなくなると、メダルが１枚投入されたものと判定されるようになっている。つまり、投入検出センサー95による検出をもって、投入口85からのメダルの投入とされるものである。
【００７４】
（電源ユニット）
電源ユニットは、スロットマシン10が備える各装置、具体的には、例えば、制御装置100や、リールユニット30や、ホッパーユニットなどに電力を供給するためのものである。
【００７５】
（制御装置100）
制御装置100は、スロットマシン10を制御するためのものである。
【００７６】
本実施の形態では、制御装置100は、主として遊技の制御を行うためのメイン制御装置101と、メイン制御装置101からの信号を受信して主として演出の制御を行うためのサブ制御装置102とを備えている。
【００７７】
また、メイン制御装置101は、メイン基板などとも呼ばれるものであって、ＣＰＵ、ＲＡＭ、ＲＯＭ、およびＩ／Ｏなどを備えたマイクロコンピュータを用いて構成されている。
【００７８】
また、サブ制御装置102は、サブ基板などとも呼ばれるものであって、メイン制御装置101と同様に、ＣＰＵ、ＲＡＭ、ＲＯＭ、およびＩ／Ｏなどを備えたマイクロコンピュータを用いて構成されている。
【００７９】
また、制御装置100の入力手段としては、図１に示すように、スタートスイッチ50、ストップスイッチ60、シングルベットスイッチ71、マックスベットスイッチ72、キャンセルスイッチ73、および投入検出センサー95などが接続されている。
【００８０】
また、制御装置100の出力手段としては、図１に示すように、リールユニット30、演出用ランプ81、スピーカ82、液晶ディスプレイ83、およびクレジット数表示装置90などが接続されている。
【００８１】
また、本実施の形態では、メイン制御装置101は、遊技を実行可能に形成されている。
【００８２】
また、図１に示すように、メイン制御装置101は、遊技制御手段110、入賞判定手段120、払出制御手段130、役抽選手段140、停止制御手段160、および信号送信手段170などを備えている。ＣＰＵがＲＯＭに記憶された所定のプログラムを実行することにより、メイン制御装置101を構成するマイクロコンピュータが、遊技制御手段110、入賞判定手段120、払出制御手段130、役抽選手段140、停止制御手段160、および信号送信手段170などとして機能するのである。また、停止テーブル150は、プログラムなどとともに、ＲＯＭに記憶されているものである。
【００８３】
また、図１に示すように、サブ制御装置102は、演出制御手段190、報知制御手段191、演出データ記憶手段192、演出データ選択手段193、および演出実行手段194などを備えている。ＣＰＵがＲＯＭに記憶された所定のプログラムを実行することにより、サブ制御装置102を構成するマイクロコンピュータが、演出制御手段190、報知制御手段191、演出データ記憶手段192、演出データ選択手段193、および演出実行手段194などとして機能するのである。
【００８４】
以下、メイン制御装置101が備える各手段について詳述する。
【００８５】
（遊技制御手段110）
遊技制御手段110は、遊技を制御するためのものである。
【００８６】
以下、本実施の形態における遊技の一例である一般遊技について説明する。なお、一般遊技とは、一般的な遊技をいい、一般遊技以外にも、遊技状態に応じて内容の異なる遊技が実行される。
【００８７】
メダルをベットすると、メダルのベット枚数に応じた本数の入賞ライン300が有効になる。具体的には、１回の遊技につきベット可能なメダルの枚数は、最大で３枚とされている。また、メダルのベットには、投入口85からメダルを投入することによるベットと、ベットスイッチ70（シングルベットスイッチ71またはマックスベットスイッチ72）を操作することによるクレジットされているメダルのベットとがある。そして、メダルのベット枚数が１枚のときには、第１入賞ライン301のみが有効になり、また、メダルのベット枚数が２枚のときには、第１から第３までの３本の入賞ライン301〜303が有効になり、また、メダルのベット枚数が３枚のときには、第１から第５までの５本すべての入賞ライン301〜305が有効になる。また、メダルのベットを条件に、スタートスイッチ50を操作すると、役に対応した図柄組合せが成立することを許可するか否かの抽選（役抽選）が行われる。また、役抽選とほぼ同時に、３個すべての回転リール40の回転が開始する。その後に、３個のストップスイッチ60のうちの１個を操作すると、当該ストップスイッチ60に対応した回転リール40の回転が停止する。そして、３個すべてのストップスイッチ60の操作を終えると、３個すべての回転リール40の回転が停止する。このとき、いずれかの有効な入賞ライン300上にいずれかの入賞図柄組合せが揃うと、当該入賞図柄組合せに対応した役の入賞となり、入賞態様に応じた枚数のメダルを獲得できる。また、獲得したメダルは、クレジットされ、クレジットされているメダルの枚数が所定の上限値に達しているときには、払出口86から払い出される。また、メダルの獲得に代えて、あるいはメダルの獲得とともに、遊技者に対して所定の利益が付与されることもある。
【００８８】
また、本実施の形態では、「役」として、第１特定小役と、第２特定小役と、第３特定小役と、第４特定小役と、第５特定小役と、第６特定小役と、第７特定小役と、第８特定小役と、第９特定小役と、第１０特定小役と、第１１特定小役と、第１２特定小役と、第１３特定小役と、第１４特定小役と、第１５特定小役と、第１６特定小役と、第１７特定小役と、第１８特定小役と、第１９特定小役と、第２０特定小役と、第２１特定小役と、第２２特定小役と、第２３特定小役と、第２４特定小役と、第２５特定小役と、第２６特定小役と、第２７特定小役と、補助小役と、その他の役とを設けている。
【００８９】
また、本実施の形態では、役抽選により許可される「役に対応した図柄組合せ」として、第１特定小役に対応する第１特定小役図柄組合せと、第２特定小役に対応する第２特定小役図柄組合せと、第３特定小役に対応する第３特定小役図柄組合せと、第４特定小役に対応する第４特定小役図柄組合せと、第５特定小役に対応する第５特定小役図柄組合せと、第６特定小役に対応する第６特定小役図柄組合せと、第７特定小役に対応する第７特定小役図柄組合せと、第８特定小役に対応する第８特定小役図柄組合せと、第９特定小役に対応する第９特定小役図柄組合せと、第１０特定小役に対応する第１０特定小役図柄組合せと、第１１特定小役に対応する第１１特定小役図柄組合せと、第１２特定小役に対応する第１２特定小役図柄組合せと、第１３特定小役に対応する第１３特定小役図柄組合せと、第１４特定小役に対応する第１４特定小役図柄組合せと、第１５特定小役に対応する第１５特定小役図柄組合せと、第１６特定小役に対応する第１６特定小役図柄組合せと、第１７特定小役に対応する第１７特定小役図柄組合せと、第１８特定小役に対応する第１８特定小役図柄組合せと、第１９特定小役に対応する第１９特定小役図柄組合せと、第２０特定小役に対応する第２０特定小役図柄組合せと、第２１特定小役に対応する第２１特定小役図柄組合せと、第２２特定小役に対応する第２２特定小役図柄組合せと、第２３特定小役に対応する第２３特定小役図柄組合せと、第２４特定小役に対応する第２４特定小役図柄組合せと、第２５特定小役に対応する第２５特定小役図柄組合せと、第２６特定小役に対応する第２６特定小役図柄組合せと、第２７特定小役に対応する第２７特定小役図柄組合せと、補助小役に対応する補助小役図柄組合せと、その他の役に対応する図柄組合せとを設けている。
【００９０】
また、本実施の形態では、「入賞」として、第１特定小役に対応する第１特定小役入賞と、第２特定小役に対応する第２特定小役入賞と、第３特定小役に対応する第３特定小役入賞と、第４特定小役に対応する第４特定小役入賞と、第５特定小役に対応する第５特定小役入賞と、第６特定小役に対応する第６特定小役入賞と、第７特定小役に対応する第７特定小役入賞と、第８特定小役に対応する第８特定小役入賞と、第９特定小役に対応する第９特定小役入賞と、第１０特定小役に対応する第１０特定小役入賞と、第１１特定小役に対応する第１１特定小役入賞と、第１２特定小役に対応する第１２特定小役入賞と、第１３特定小役に対応する第１３特定小役入賞と、第１４特定小役に対応する第１４特定小役入賞と、第１５特定小役に対応する第１５特定小役入賞と、第１６特定小役に対応する第１６特定小役入賞と、第１７特定小役に対応する第１７特定小役入賞と、第１８特定小役に対応する第１８特定小役入賞と、第１９特定小役に対応する第１９特定小役入賞と、第２０特定小役に対応する第２０特定小役入賞と、第２１特定小役に対応する第２１特定小役入賞と、第２２特定小役に対応する第２２特定小役入賞と、第２３特定小役に対応する第２３特定小役入賞と、第２４特定小役に対応する第２４特定小役入賞と、第２５特定小役に対応する第２５特定小役入賞と、第２６特定小役に対応する第２６特定小役入賞と、第２７特定小役に対応する第２７特定小役入賞と、補助小役に対応する補助小役入賞と、その他の役に対応する入賞とを設けている。
【００９１】
また、「当選」とは、役抽選手段140の抽選で選択されることを意味し、また、「入賞」とは、いずれかの有効な入賞ライン300上に所定の入賞図柄組合せが揃って役となることを意味する。
【００９２】
そして、役抽選手段140の抽選結果で第１特定小役図柄組合せの成立が許可されると、いずれかの有効な入賞ライン300上に「赤スイカ」「赤スイカ」「赤スイカ」の図柄組合せが揃い得るようになり、このとき、いずれかの有効な入賞ライン300上に「赤スイカ」「赤スイカ」「赤スイカ」の図柄組合せが揃うと、第１特定小役入賞となり、所定枚数（例えば１０枚）のメダルが払い出される。つまり、「赤スイカ」「赤スイカ」「赤スイカ」の図柄組合せは、第１特定小役図柄組合せであり、第１特定小役入賞となる入賞図柄組合せである。
【００９３】
また、役抽選手段140の抽選結果で第２特定小役図柄組合せの成立が許可されると、いずれかの有効な入賞ライン300上に「赤スイカ」「赤スイカ」「青スイカ」の図柄組合せが揃い得るようになり、このとき、いずれかの有効な入賞ライン300上に「赤スイカ」「赤スイカ」「青スイカ」の図柄組合せが揃うと、第２特定小役入賞となり、所定枚数（例えば１０枚）のメダルが払い出される。つまり、「赤スイカ」「赤スイカ」「青スイカ」の図柄組合せは、第２特定小役図柄組合せであり、第２特定小役入賞となる入賞図柄組合せである。
【００９４】
また、役抽選手段140の抽選結果で第３特定小役図柄組合せの成立が許可されると、いずれかの有効な入賞ライン300上に「赤スイカ」「赤スイカ」「黄スイカ」の図柄組合せが揃い得るようになり、このとき、いずれかの有効な入賞ライン300上に「赤スイカ」「赤スイカ」「黄スイカ」の図柄組合せが揃うと、第３特定小役入賞となり、所定枚数（例えば１０枚）のメダルが払い出される。つまり、「赤スイカ」「赤スイカ」「黄スイカ」の図柄組合せは、第３特定小役図柄組合せであり、第３特定小役入賞となる入賞図柄組合せである。
【００９５】
また、役抽選手段140の抽選結果で第４特定小役図柄組合せの成立が許可されると、いずれかの有効な入賞ライン300上に「赤スイカ」「青スイカ」「赤スイカ」の図柄組合せが揃い得るようになり、このとき、いずれかの有効な入賞ライン300上に「赤スイカ」「青スイカ」「赤スイカ」の図柄組合せが揃うと、第４特定小役入賞となり、所定枚数（例えば１０枚）のメダルが払い出される。つまり、「赤スイカ」「青スイカ」「赤スイカ」の図柄組合せは、第４特定小役図柄組合せであり、第４特定小役入賞となる入賞図柄組合せである。
【００９６】
また、役抽選手段140の抽選結果で第５特定小役図柄組合せの成立が許可されると、いずれかの有効な入賞ライン300上に「赤スイカ」「青スイカ」「青スイカ」の図柄組合せが揃い得るようになり、このとき、いずれかの有効な入賞ライン300上に「赤スイカ」「青スイカ」「青スイカ」の図柄組合せが揃うと、第５特定小役入賞となり、所定枚数（例えば１０枚）のメダルが払い出される。つまり、「赤スイカ」「青スイカ」「青スイカ」の図柄組合せは、第５特定小役図柄組合せであり、第５特定小役入賞となる入賞図柄組合せである。
【００９７】
また、役抽選手段140の抽選結果で第６特定小役図柄組合せの成立が許可されると、いずれかの有効な入賞ライン300上に「赤スイカ」「青スイカ」「黄スイカ」の図柄組合せが揃い得るようになり、このとき、いずれかの有効な入賞ライン300上に「赤スイカ」「青スイカ」「黄スイカ」の図柄組合せが揃うと、第６特定小役入賞となり、所定枚数（例えば１０枚）のメダルが払い出される。つまり、「赤スイカ」「青スイカ」「黄スイカ」の図柄組合せは、第６特定小役図柄組合せであり、第６特定小役入賞となる入賞図柄組合せである。
【００９８】
また、役抽選手段140の抽選結果で第７特定小役図柄組合せの成立が許可されると、いずれかの有効な入賞ライン300上に「赤スイカ」「黄スイカ」「赤スイカ」の図柄組合せが揃い得るようになり、このとき、いずれかの有効な入賞ライン300上に「赤スイカ」「黄スイカ」「赤スイカ」の図柄組合せが揃うと、第７特定小役入賞となり、所定枚数（例えば１０枚）のメダルが払い出される。つまり、「赤スイカ」「黄スイカ」「赤スイカ」の図柄組合せは、第７特定小役図柄組合せであり、第７特定小役入賞となる入賞図柄組合せである。
【００９９】
また、役抽選手段140の抽選結果で第８特定小役図柄組合せの成立が許可されると、いずれかの有効な入賞ライン300上に「赤スイカ」「黄スイカ」「青スイカ」の図柄組合せが揃い得るようになり、このとき、いずれかの有効な入賞ライン300上に「赤スイカ」「黄スイカ」「青スイカ」の図柄組合せが揃うと、第８特定小役入賞となり、所定枚数（例えば１０枚）のメダルが払い出される。つまり、「赤スイカ」「黄スイカ」「青スイカ」の図柄組合せは、第８特定小役図柄組合せであり、第８特定小役入賞となる入賞図柄組合せである。
【０１００】
また、役抽選手段140の抽選結果で第９特定小役図柄組合せの成立が許可されると、いずれかの有効な入賞ライン300上に「赤スイカ」「黄スイカ」「黄スイカ」の図柄組合せが揃い得るようになり、このとき、いずれかの有効な入賞ライン300上に「赤スイカ」「黄スイカ」「黄スイカ」の図柄組合せが揃うと、第９特定小役入賞となり、所定枚数（例えば１０枚）のメダルが払い出される。つまり、「赤スイカ」「黄スイカ」「黄スイカ」の図柄組合せは、第９特定小役図柄組合せであり、第９特定小役入賞となる入賞図柄組合せである。
【０１０１】
また、役抽選手段140の抽選結果で第１０特定小役図柄組合せの成立が許可されると、いずれかの有効な入賞ライン300上に「青スイカ」「赤スイカ」「赤スイカ」の図柄組合せが揃い得るようになり、このとき、いずれかの有効な入賞ライン300上に「青スイカ」「赤スイカ」「赤スイカ」の図柄組合せが揃うと、第１０特定小役入賞となり、所定枚数（例えば１０枚）のメダルが払い出される。つまり、「青スイカ」「赤スイカ」「赤スイカ」の図柄組合せは、第１０特定小役図柄組合せであり、第１０特定小役入賞となる入賞図柄組合せである。
【０１０２】
また、役抽選手段140の抽選結果で第１１特定小役図柄組合せの成立が許可されると、いずれかの有効な入賞ライン300上に「青スイカ」「赤スイカ」「青スイカ」の図柄組合せが揃い得るようになり、このとき、いずれかの有効な入賞ライン300上に「青スイカ」「赤スイカ」「青スイカ」の図柄組合せが揃うと、第１１特定小役入賞となり、所定枚数（例えば１０枚）のメダルが払い出される。つまり、「青スイカ」「赤スイカ」「青スイカ」の図柄組合せは、第１１特定小役図柄組合せであり、第１１特定小役入賞となる入賞図柄組合せである。
【０１０３】
また、役抽選手段140の抽選結果で第１２特定小役図柄組合せの成立が許可されると、いずれかの有効な入賞ライン300上に「青スイカ」「赤スイカ」「黄スイカ」の図柄組合せが揃い得るようになり、このとき、いずれかの有効な入賞ライン300上に「青スイカ」「赤スイカ」「黄スイカ」の図柄組合せが揃うと、第１２特定小役入賞となり、所定枚数（例えば１０枚）のメダルが払い出される。つまり、「青スイカ」「赤スイカ」「黄スイカ」の図柄組合せは、第１２特定小役図柄組合せであり、第１２特定小役入賞となる入賞図柄組合せである。
【０１０４】
また、役抽選手段140の抽選結果で第１３特定小役図柄組合せの成立が許可されると、いずれかの有効な入賞ライン300上に「青スイカ」「青スイカ」「赤スイカ」の図柄組合せが揃い得るようになり、このとき、いずれかの有効な入賞ライン300上に「青スイカ」「青スイカ」「赤スイカ」の図柄組合せが揃うと、第１３特定小役入賞となり、所定枚数（例えば１０枚）のメダルが払い出される。つまり、「青スイカ」「青スイカ」「赤スイカ」の図柄組合せは、第１３特定小役図柄組合せであり、第１３特定小役入賞となる入賞図柄組合せである。
【０１０５】
また、役抽選手段140の抽選結果で第１４特定小役図柄組合せの成立が許可されると、いずれかの有効な入賞ライン300上に「青スイカ」「青スイカ」「青スイカ」の図柄組合せが揃い得るようになり、このとき、いずれかの有効な入賞ライン300上に「青スイカ」「青スイカ」「青スイカ」の図柄組合せが揃うと、第１４特定小役入賞となり、所定枚数（例えば１０枚）のメダルが払い出される。つまり、「青スイカ」「青スイカ」「青スイカ」の図柄組合せは、第１４特定小役図柄組合せであり、第１４特定小役入賞となる入賞図柄組合せである。
【０１０６】
また、役抽選手段140の抽選結果で第１５特定小役図柄組合せの成立が許可されると、いずれかの有効な入賞ライン300上に「青スイカ」「青スイカ」「黄スイカ」の図柄組合せが揃い得るようになり、このとき、いずれかの有効な入賞ライン300上に「青スイカ」「青スイカ」「黄スイカ」の図柄組合せが揃うと、第１５特定小役入賞となり、所定枚数（例えば１０枚）のメダルが払い出される。つまり、「青スイカ」「青スイカ」「黄スイカ」の図柄組合せは、第１５特定小役図柄組合せであり、第１５特定小役入賞となる入賞図柄組合せである。
【０１０７】
また、役抽選手段140の抽選結果で第１６特定小役図柄組合せの成立が許可されると、いずれかの有効な入賞ライン300上に「青スイカ」「黄スイカ」「赤スイカ」の図柄組合せが揃い得るようになり、このとき、いずれかの有効な入賞ライン300上に「青スイカ」「黄スイカ」「赤スイカ」の図柄組合せが揃うと、第１６特定小役入賞となり、所定枚数（例えば１０枚）のメダルが払い出される。つまり、「青スイカ」「黄スイカ」「赤スイカ」の図柄組合せは、第１６特定小役図柄組合せであり、第１６特定小役入賞となる入賞図柄組合せである。
【０１０８】
また、役抽選手段140の抽選結果で第１７特定小役図柄組合せの成立が許可されると、いずれかの有効な入賞ライン300上に「青スイカ」「黄スイカ」「青スイカ」の図柄組合せが揃い得るようになり、このとき、いずれかの有効な入賞ライン300上に「青スイカ」「黄スイカ」「青スイカ」の図柄組合せが揃うと、第１７特定小役入賞となり、所定枚数（例えば１０枚）のメダルが払い出される。つまり、「青スイカ」「黄スイカ」「青スイカ」の図柄組合せは、第１７特定小役図柄組合せであり、第１７特定小役入賞となる入賞図柄組合せである。
【０１０９】
また、役抽選手段140の抽選結果で第１８特定小役図柄組合せの成立が許可されると、いずれかの有効な入賞ライン300上に「青スイカ」「黄スイカ」「黄スイカ」の図柄組合せが揃い得るようになり、このとき、いずれかの有効な入賞ライン300上に「青スイカ」「黄スイカ」「黄スイカ」の図柄組合せが揃うと、第１８特定小役入賞となり、所定枚数（例えば１０枚）のメダルが払い出される。つまり、「青スイカ」「黄スイカ」「黄スイカ」の図柄組合せは、第１８特定小役図柄組合せであり、第１８特定小役入賞となる入賞図柄組合せである。
【０１１０】
また、役抽選手段140の抽選結果で第１９特定小役図柄組合せの成立が許可されると、いずれかの有効な入賞ライン300上に「黄スイカ」「赤スイカ」「赤スイカ」の図柄組合せが揃い得るようになり、このとき、いずれかの有効な入賞ライン300上に「黄スイカ」「赤スイカ」「赤スイカ」の図柄組合せが揃うと、第１９特定小役入賞となり、所定枚数（例えば１０枚）のメダルが払い出される。つまり、「黄スイカ」「赤スイカ」「赤スイカ」の図柄組合せは、第１９特定小役図柄組合せであり、第１９特定小役入賞となる入賞図柄組合せである。
【０１１１】
また、役抽選手段140の抽選結果で第２０特定小役図柄組合せの成立が許可されると、いずれかの有効な入賞ライン300上に「黄スイカ」「赤スイカ」「青スイカ」の図柄組合せが揃い得るようになり、このとき、いずれかの有効な入賞ライン300上に「黄スイカ」「赤スイカ」「青スイカ」の図柄組合せが揃うと、第２０特定小役入賞となり、所定枚数（例えば１０枚）のメダルが払い出される。つまり、「黄スイカ」「赤スイカ」「青スイカ」の図柄組合せは、第２０特定小役図柄組合せであり、第２０特定小役入賞となる入賞図柄組合せである。
【０１１２】
また、役抽選手段140の抽選結果で第２１特定小役図柄組合せの成立が許可されると、いずれかの有効な入賞ライン300上に「黄スイカ」「赤スイカ」「黄スイカ」の図柄組合せが揃い得るようになり、このとき、いずれかの有効な入賞ライン300上に「黄スイカ」「赤スイカ」「黄スイカ」の図柄組合せが揃うと、第２１特定小役入賞となり、所定枚数（例えば１０枚）のメダルが払い出される。つまり、「黄スイカ」「赤スイカ」「黄スイカ」の図柄組合せは、第２１特定小役図柄組合せであり、第２１特定小役入賞となる入賞図柄組合せである。
【０１１３】
また、役抽選手段140の抽選結果で第２２特定小役図柄組合せの成立が許可されると、いずれかの有効な入賞ライン300上に「黄スイカ」「青スイカ」「赤スイカ」の図柄組合せが揃い得るようになり、このとき、いずれかの有効な入賞ライン300上に「黄スイカ」「青スイカ」「赤スイカ」の図柄組合せが揃うと、第２２特定小役入賞となり、所定枚数（例えば１０枚）のメダルが払い出される。つまり、「黄スイカ」「青スイカ」「赤スイカ」の図柄組合せは、第２２特定小役図柄組合せであり、第２２特定小役入賞となる入賞図柄組合せである。
【０１１４】
また、役抽選手段140の抽選結果で第２３特定小役図柄組合せの成立が許可されると、いずれかの有効な入賞ライン300上に「黄スイカ」「青スイカ」「青スイカ」の図柄組合せが揃い得るようになり、このとき、いずれかの有効な入賞ライン300上に「黄スイカ」「青スイカ」「青スイカ」の図柄組合せが揃うと、第２３特定小役入賞となり、所定枚数（例えば１０枚）のメダルが払い出される。つまり、「黄スイカ」「青スイカ」「青スイカ」の図柄組合せは、第２３特定小役図柄組合せであり、第２３特定小役入賞となる入賞図柄組合せである。
【０１１５】
また、役抽選手段140の抽選結果で第２４特定小役図柄組合せの成立が許可されると、いずれかの有効な入賞ライン300上に「黄スイカ」「青スイカ」「黄スイカ」の図柄組合せが揃い得るようになり、このとき、いずれかの有効な入賞ライン300上に「黄スイカ」「青スイカ」「黄スイカ」の図柄組合せが揃うと、第２４特定小役入賞となり、所定枚数（例えば１０枚）のメダルが払い出される。つまり、「黄スイカ」「青スイカ」「黄スイカ」の図柄組合せは、第２４特定小役図柄組合せであり、第２４特定小役入賞となる入賞図柄組合せである。
【０１１６】
また、役抽選手段140の抽選結果で第２５特定小役図柄組合せの成立が許可されると、いずれかの有効な入賞ライン300上に「黄スイカ」「黄スイカ」「赤スイカ」の図柄組合せが揃い得るようになり、このとき、いずれかの有効な入賞ライン300上に「黄スイカ」「黄スイカ」「赤スイカ」の図柄組合せが揃うと、第２５特定小役入賞となり、所定枚数（例えば１０枚）のメダルが払い出される。つまり、「黄スイカ」「黄スイカ」「赤スイカ」の図柄組合せは、第２５特定小役図柄組合せであり、第２５特定小役入賞となる入賞図柄組合せである。
【０１１７】
また、役抽選手段140の抽選結果で第２６特定小役図柄組合せの成立が許可されると、いずれかの有効な入賞ライン300上に「黄スイカ」「黄スイカ」「青スイカ」の図柄組合せが揃い得るようになり、このとき、いずれかの有効な入賞ライン300上に「黄スイカ」「黄スイカ」「青スイカ」の図柄組合せが揃うと、第２６特定小役入賞となり、所定枚数（例えば１０枚）のメダルが払い出される。つまり、「黄スイカ」「黄スイカ」「青スイカ」の図柄組合せは、第２６特定小役図柄組合せであり、第２６特定小役入賞となる入賞図柄組合せである。
【０１１８】
また、役抽選手段140の抽選結果で第２７特定小役図柄組合せの成立が許可されると、いずれかの有効な入賞ライン300上に「黄スイカ」「黄スイカ」「黄スイカ」の図柄組合せが揃い得るようになり、このとき、いずれかの有効な入賞ライン300上に「黄スイカ」「黄スイカ」「黄スイカ」の図柄組合せが揃うと、第２７特定小役入賞となり、所定枚数（例えば１０枚）のメダルが払い出される。つまり、「黄スイカ」「黄スイカ」「黄スイカ」の図柄組合せは、第２７特定小役図柄組合せであり、第２７特定小役入賞となる入賞図柄組合せである。
【０１１９】
また、役抽選手段140の抽選結果で補助小役図柄組合せの成立が許可されると、いずれかの有効な入賞ライン300上に「ベル」「ベル」「ベル」の図柄組合せが揃い得るようになり、このとき、いずれかの有効な入賞ライン300上に「ベル」「ベル」「ベル」の図柄組合せが揃うと、補助小役入賞（ベル入賞）となり、所定枚数（例えば９枚）のメダルが払い出される。つまり、「ベル」「ベル」「ベル」の図柄組合せは、補助小役役図柄組合せであり、補助小役入賞となる入賞図柄組合せである。
【０１２０】
また、役抽選手段140の抽選結果でその他の役に対応する図柄組合せの成立が許可されると、いずれかの有効な入賞ライン300上に許可された役に対応した図柄組合せが揃い得るようになり、このとき、いずれかの有効な入賞ライン300上に許可された役に対応した図柄組合せが揃うと、揃った図柄組合せに対応した役の入賞となり、揃った図柄組合せに応じて、ボーナスの開始が行われたり、配当が得られたり、メダルを投入することなく再度の遊技が可能となったりする。
【０１２１】
また、役抽選手段140の抽選結果がハズレとなり、いずれの役となる図柄組合せも許可されないと、いずれの有効な入賞ライン300上にも、いずれの入賞図柄組合せも揃えることができなくなる。
【０１２２】
また、役抽選手段140の抽選結果の如何にかかわらず、いずれの有効な入賞ライン300上にも、いずれの入賞図柄組合せも揃わないと、入賞なしとなる。
【０１２３】
すなわち、本実施の形態では、「役」には、各回転リール40の特定小役図柄が所定の組合せになることにより入賞となる複数種の特定小役（第１〜２７特定小役）と、各回転リール40の補助小役図柄が所定の組合せになることにより入賞となる補助小役とを含んでいる。
【０１２４】
（入賞判定手段120）
入賞判定手段120は、すべての回転リール40の回転が停止した際における各入賞ライン300上に表示された図柄の組合せに基づいて、複数の役のいずれかに入賞したかまたは入賞なしかの判定を行うためのものである。
【０１２５】
また、入賞判定手段120は、すべての回転リール40の回転が停止した際に、いずれかの有効な入賞ライン300上に、いずれかの入賞図柄組合せが揃うと、当該入賞図柄組合せに対応した役に入賞したと判定する。
【０１２６】
具体的には、入賞判定手段120は、すべての回転リール40の回転が停止した際に、いずれかの有効な入賞ライン300上に「赤スイカ」「赤スイカ」「赤スイカ」の図柄組合せが揃うと、「第１特定小役入賞」と判定する。
【０１２７】
また、入賞判定手段120は、すべての回転リール40の回転が停止した際に、いずれかの有効な入賞ライン300上に「赤スイカ」「赤スイカ」「青スイカ」の図柄組合せが揃うと、「第２特定小役入賞」と判定する。
【０１２８】
また、入賞判定手段120は、すべての回転リール40の回転が停止した際に、いずれかの有効な入賞ライン300上に「赤スイカ」「赤スイカ」「黄スイカ」の図柄組合せが揃うと、「第３特定小役入賞」と判定する。
【０１２９】
また、入賞判定手段120は、すべての回転リール40の回転が停止した際に、いずれかの有効な入賞ライン300上に「赤スイカ」「青スイカ」「赤スイカ」の図柄組合せが揃うと、「第４特定小役入賞」と判定する。
【０１３０】
また、入賞判定手段120は、すべての回転リール40の回転が停止した際に、いずれかの有効な入賞ライン300上に「赤スイカ」「青スイカ」「青スイカ」の図柄組合せが揃うと、「第５特定小役入賞」と判定する。
【０１３１】
また、入賞判定手段120は、すべての回転リール40の回転が停止した際に、いずれかの有効な入賞ライン300上に「赤スイカ」「青スイカ」「黄スイカ」の図柄組合せが揃うと、「第６特定小役入賞」と判定する。
【０１３２】
また、入賞判定手段120は、すべての回転リール40の回転が停止した際に、いずれかの有効な入賞ライン300上に「赤スイカ」「黄スイカ」「赤スイカ」の図柄組合せが揃うと、「第７特定小役入賞」と判定する。
【０１３３】
また、入賞判定手段120は、すべての回転リール40の回転が停止した際に、いずれかの有効な入賞ライン300上に「赤スイカ」「黄スイカ」「青スイカ」の図柄組合せが揃うと、「第８特定小役入賞」と判定する。
【０１３４】
また、入賞判定手段120は、すべての回転リール40の回転が停止した際に、いずれかの有効な入賞ライン300上に「赤スイカ」「黄スイカ」「黄スイカ」の図柄組合せが揃うと、「第９特定小役入賞」と判定する。
【０１３５】
また、入賞判定手段120は、すべての回転リール40の回転が停止した際に、いずれかの有効な入賞ライン300上に「青スイカ」「赤スイカ」「赤スイカ」の図柄組合せが揃うと、「第１０特定小役入賞」と判定する。
【０１３６】
また、入賞判定手段120は、すべての回転リール40の回転が停止した際に、いずれかの有効な入賞ライン300上に「青スイカ」「赤スイカ」「青スイカ」の図柄組合せが揃うと、「第１１特定小役入賞」と判定する。
【０１３７】
また、入賞判定手段120は、すべての回転リール40の回転が停止した際に、いずれかの有効な入賞ライン300上に「青スイカ」「赤スイカ」「黄スイカ」の図柄組合せが揃うと、「第１２特定小役入賞」と判定する。
【０１３８】
また、入賞判定手段120は、すべての回転リール40の回転が停止した際に、いずれかの有効な入賞ライン300上に「青スイカ」「青スイカ」「赤スイカ」の図柄組合せが揃うと、「第１３特定小役入賞」と判定する。
【０１３９】
また、入賞判定手段120は、すべての回転リール40の回転が停止した際に、いずれかの有効な入賞ライン300上に「青スイカ」「青スイカ」「青スイカ」の図柄組合せが揃うと、「第１４特定小役入賞」と判定する。
【０１４０】
また、入賞判定手段120は、すべての回転リール40の回転が停止した際に、いずれかの有効な入賞ライン300上に「青スイカ」「青スイカ」「黄スイカ」の図柄組合せが揃うと、「第１５特定小役入賞」と判定する。
【０１４１】
また、入賞判定手段120は、すべての回転リール40の回転が停止した際に、いずれかの有効な入賞ライン300上に「青スイカ」「黄スイカ」「赤スイカ」の図柄組合せが揃うと、「第１６特定小役入賞」と判定する。
【０１４２】
また、入賞判定手段120は、すべての回転リール40の回転が停止した際に、いずれかの有効な入賞ライン300上に「青スイカ」「黄スイカ」「青スイカ」の図柄組合せが揃うと、「第１７特定小役入賞」と判定する。
【０１４３】
また、入賞判定手段120は、すべての回転リール40の回転が停止した際に、いずれかの有効な入賞ライン300上に「青スイカ」「黄スイカ」「黄スイカ」の図柄組合せが揃うと、「第１８特定小役入賞」と判定する。
【０１４４】
また、入賞判定手段120は、すべての回転リール40の回転が停止した際に、いずれかの有効な入賞ライン300上に「黄スイカ」「赤スイカ」「赤スイカ」の図柄組合せが揃うと、「第１９特定小役入賞」と判定する。
【０１４５】
また、入賞判定手段120は、すべての回転リール40の回転が停止した際に、いずれかの有効な入賞ライン300上に「黄スイカ」「赤スイカ」「青スイカ」の図柄組合せが揃うと、「第２０特定小役入賞」と判定する。
【０１４６】
また、入賞判定手段120は、すべての回転リール40の回転が停止した際に、いずれかの有効な入賞ライン300上に「黄スイカ」「赤スイカ」「黄スイカ」の図柄組合せが揃うと、「第２１特定小役入賞」と判定する。
【０１４７】
また、入賞判定手段120は、すべての回転リール40の回転が停止した際に、いずれかの有効な入賞ライン300上に「黄スイカ」「青スイカ」「赤スイカ」の図柄組合せが揃うと、「第２２特定小役入賞」と判定する。
【０１４８】
また、入賞判定手段120は、すべての回転リール40の回転が停止した際に、いずれかの有効な入賞ライン300上に「黄スイカ」「青スイカ」「青スイカ」の図柄組合せが揃うと、「第２３特定小役入賞」と判定する。
【０１４９】
また、入賞判定手段120は、すべての回転リール40の回転が停止した際に、いずれかの有効な入賞ライン300上に「黄スイカ」「青スイカ」「黄スイカ」の図柄組合せが揃うと、「第２４特定小役入賞」と判定する。
【０１５０】
また、入賞判定手段120は、すべての回転リール40の回転が停止した際に、いずれかの有効な入賞ライン300上に「黄スイカ」「黄スイカ」「赤スイカ」の図柄組合せが揃うと、「第２５特定小役入賞」と判定する。
【０１５１】
また、入賞判定手段120は、すべての回転リール40の回転が停止した際に、いずれかの有効な入賞ライン300上に「黄スイカ」「黄スイカ」「青スイカ」の図柄組合せが揃うと、「第２６特定小役入賞」と判定する。
【０１５２】
また、入賞判定手段120は、すべての回転リール40の回転が停止した際に、いずれかの有効な入賞ライン300上に「黄スイカ」「黄スイカ」「黄スイカ」の図柄組合せが揃うと、「第２７特定小役入賞」と判定する。
【０１５３】
また、入賞判定手段120は、すべての回転リール40の回転が停止した際に、いずれかの有効な入賞ライン300上に「ベル」「ベル」「ベル」の図柄組合せが揃うと、「補助小役入賞」と判定する。
【０１５４】
また、入賞判定手段120は、すべての回転リール40の回転が停止した際に、いずれかの有効な入賞ライン300上にその他の役の入賞となる図柄組合せが揃うと、揃った図柄組合せに対応する役の入賞と判定する。
【０１５５】
また、入賞判定手段120は、すべての回転リール40の回転が停止した際に、いずれの有効な入賞ライン300上にも、いずれの入賞図柄組合せも揃わないと、「入賞なし」と判定する。
【０１５６】
したがって、入賞判定手段120は、各回転リール40が、複数種の特定小役のいずれかとなる図柄組合せで停止した場合には、図柄組合せに対応した特定小役の入賞と判定するとともに、補助小役となる図柄組合せで停止した場合には、図柄組合せに対応した補助小役の入賞と判定する。
【０１５７】
（払出制御手段130）
払出制御手段130は、入賞判定手段120によりいずれかの役に入賞したと判定されたときに、入賞した役に対応した配当を払い出すためのものである。また、払出制御手段130は、いずれかの特定小役の入賞と判定された場合には、いずれの補助小役の入賞と判定された場合よりも多くの配当を払い出すものである。
【０１５８】
払出制御手段130は、入賞した役に対応した枚数のメダルを、クレジットされたメダルへ加算することで、配当の払い出しを行う。また、クレジットされたメダルが所定の上限値（５０枚）に達している場合には、ホッパーユニットの送出機構を駆動させて、上限を超えた分のメダルを払い出す。
【０１５９】
また、入賞判定手段120により、第１〜第２７特定小役のいずれかの特定小役入賞であると判定された場合には、払出制御手段130は、１０枚のメダルを配当として払い出す。
【０１６０】
また、入賞判定手段120により、補助小役の入賞と判定された場合には、払出制御手段130は、９枚のメダルを配当として払い出す。
【０１６１】
（役抽選手段140）
役抽選手段140は、いずれかの役に対応した図柄組合せが成立することを許可するか否かの抽選（役抽選）を行うためのものである。
【０１６２】
また、本実施の形態では、所定の回転リール40における複数種の特定小役図柄のうち、所定種の特定小役図柄を基軸図柄として、複数種の特定小役のうち、基軸図柄が入賞図柄組合せの一部を構成する特定小役の集合を、１の特定小役グループとしてまとめている。また、その上で、基軸図柄が異なる特定小役グループを、複数種定めている。
【０１６３】
また、役抽選手段140は、いずれかの特定小役グループに対応する図柄組合せが成立することと補助小役に対応する図柄組合せが成立することとを、同時に許可し得る抽選を行うものである。
【０１６４】
なお、以後は、３枚のメダルが投入され、５本の入賞ライン301〜305が全て有効になっていることを前提に、説明を行う。
【０１６５】
また、役抽選手段140は、役抽選用乱数発生手段と、役抽選用乱数抽出手段と、役抽選テーブルと、テーブル選択手段と、役抽選判定手段とを備えている。
【０１６６】
また、役抽選用乱数発生手段は、役抽選用の乱数を、所定の範囲内（例えば、１０進数で０〜１６３８３）で発生させるためのものである。
【０１６７】
また、役抽選用乱数発生手段は、例えば、発振回路と、この発振回路が発生させたクロック信号をカウントするカウンタ回路とによって構成できる（いわゆるハード乱数）。
【０１６８】
また、役抽選用乱数発生手段は、例えば、平均採中法で乱数を発生させる手段や、あるいは素数の加算によって乱数を発生させる手段によって構成することもできる。また、これらの手段は、例えば、ＣＰＵに所定のプログラムを実行させることによって構成できる（いわゆるソフト乱数）。
【０１６９】
また、役抽選用乱数抽出手段は、役抽選用乱数発生手段が発生させた乱数を、所定の契機（例えば、スタートスイッチ50の操作）で抽出するためのものである。
【０１７０】
なお、役抽選用乱数発生手段は、カウンタ回路などによって構成されるため、役抽選用乱数発生手段が発生させる数値は、厳密には乱数ではない。ただ、カウント回路のカウントは非常に高速であり、特定の乱数値を狙ってスタートスイッチ50を操作することは不可能であると考えられるため、役抽選用乱数抽出手段が抽出する数値は、実質的には乱数として取り扱うことができる。
【０１７１】
ここで、図６を用いて、特定小役グループについて説明する。
【０１７２】
本実施の形態では、左リール41の「赤スイカ」の図柄が入賞図柄組合せの一部を構成する第１特定小役〜第９特定小役を、第１特定小役グループとしてまとめている。すなわち、特定小役図柄Ａである左リール41における「赤スイカ」を基軸図柄とし、基軸図柄である左リール41における「赤スイカ」が入賞図柄組合せの一部を構成する全ての特定小役の集合を１の特定小役グループとしている。
【０１７３】
また、左リール41の「青スイカ」の図柄が入賞図柄組合せの一部を構成する第１０特定小役〜第１８特定小役を、第２特定小役グループとしてまとめている。すなわち、特定小役図柄Ｂである左リール41における「青スイカ」を基軸図柄とし、基軸図柄である左リール41における「青スイカ」が入賞図柄組合せの一部を構成する全ての特定小役の集合を１の特定小役グループとしている。
【０１７４】
また、左リール41の「黄スイカ」の図柄が入賞図柄組合せの一部を構成する第１９特定小役〜第２７特定小役を、第３特定小役グループとしてまとめている。すなわち、特定小役図柄Ｃである左リール41における「黄スイカ」を基軸図柄とし、基軸図柄である左リール41における「黄スイカ」が入賞図柄組合せの一部を構成する全ての特定小役の集合を１の特定小役グループとしている。
【０１７５】
また、中リール42の「赤スイカ」の図柄が入賞図柄組合せの一部を構成する第１〜第３特定小役、第１０〜第１２特定小役、第１９〜２１特定小役を、第４特定小役グループとしてまとめている。すなわち、特定小役図柄Ｄである中リール42における「赤スイカ」を基軸図柄とし、基軸図柄である中リール42における「赤スイカ」が入賞図柄組合せの一部を構成する全ての特定小役の集合を１の特定小役グループとしている。
【０１７６】
また、中リール42の「青スイカ」の図柄が入賞図柄組合せの一部を構成する第４〜６特定小役、第１３〜１５特定小役、第２２〜２４特定小役を、第５特定小役グループとしてまとめている。すなわち、特定小役図柄Ｅである中リール42における「青スイカ」を基軸図柄とし、基軸図柄である中リール42における「青スイカ」が入賞図柄組合せの一部を構成する全ての特定小役の集合を１の特定小役グループとしている。
【０１７７】
また、中リール42の「黄スイカ」の図柄が入賞図柄組合せの一部を構成する第７〜９特定小役、第１６〜１８特定小役、第２５〜２７特定小役を、第６特定小役グループとしてまとめている。すなわち、特定小役図柄Ｆである中リール42における「黄スイカ」を基軸図柄とし、基軸図柄である中リール42における「黄スイカ」が入賞図柄組合せの一部を構成する全ての特定小役の集合を１の特定小役グループとしている。
【０１７８】
また、右リール43の「赤スイカ」の図柄が入賞図柄組合せの一部を構成する第１特定小役、第４特定小役、第７特定小役、第１０特定小役、第１３特定小役、第１６特定小役、第１９特定小役、第２２特定小役、第２５特定小役を、第７特定小役グループとしてまとめている。すなわち、特定小役図柄Ｇである右リール43における「赤スイカ」を基軸図柄とし、基軸図柄である右リール43における「赤スイカ」が入賞図柄組合せの一部を構成する全ての特定小役の集合を１の特定小役グループとしている。
【０１７９】
また、右リール43の「青スイカ」の図柄が入賞図柄組合せの一部を構成する第２特定小役、第５特定小役、第８特定小役、第１１特定小役、第１４特定小役、第１７特定小役、第２０特定小役、第２３特定小役、第２６特定小役を、第８特定小役グループとしてまとめている。すなわち、特定小役図柄Ｈである右リール43における「青スイカ」を基軸図柄とし、基軸図柄である右リール43における「青スイカ」が入賞図柄組合せの一部を構成する全ての特定小役の集合を１の特定小役グループとしている。
【０１８０】
また、右リール43の「黄スイカ」の図柄が入賞図柄組合せの一部を構成する第３特定小役、第６特定小役、第９特定小役、第１２特定小役、第１５特定小役、第１８特定小役、第２１特定小役、第２４特定小役、第２７特定小役を、第９特定小役グループとしてまとめている。すなわち、特定小役図柄Ｈである右リール43における「黄スイカ」を基軸図柄とし、基軸図柄である右リール43における「黄スイカ」が入賞図柄組合せの一部を構成する全ての特定小役の集合を１の特定小役グループとしている。
【０１８１】
また、役抽選テーブルは、役抽選用乱数発生手段が発生させる範囲内の各乱数について、複数の当選態様のいずれかに当選させるか否かをあらかじめ定めたものである。また、役抽選テーブルは、１つの当選態様において、複数種の役のそれぞれに対応する図柄の組合せの成立を、同時に許可し得るように定められている。
【０１８２】
また、本実施の形態では、役抽選テーブルとして、一般遊技中やボーナス中などの遊技状態に応じた複数種類の役抽選テーブルとを備えている。
【０１８３】
例えば、一般遊技中に用いられる一般役抽選テーブルは、図７に示すように、役抽選用乱数発生手段が発生させる範囲内の各乱数について、第１特定当選にするか、第２特定当選にするか、第３特定当選にするか、第４特定当選にするか、第５特定当選にするか、第６特定当選にするか、第７特定当選にするか、第８特定当選にするか、第９特定当選にするか、その他の当選にするか、あるいは何も当選しないかを、あらかじめ定めている。
【０１８４】
また、テーブル選択手段は、複数の役抽選テーブルの中から１の役抽選テーブルを選択するためのものである。テーブル選択手段は、遊技状態などに応じて、１の役抽選テーブルを選択する。例えば、一般遊技中には、一般役抽選テーブルを選択する。その他の状態のときにも、その他の状態に応じた役抽選テーブルを選択する。
【０１８５】
また、役抽選判定手段は、役抽選用乱数抽出手段が抽出した乱数と、テーブル選択手段が選択した役抽選テーブルとを照合して、複数の役のいずれかに当選したか否かの判定を行うためのものである。
【０１８６】
本実施の形態では、例えば一般遊技中であれば、役抽選判定手段は、役抽選用乱数抽出手段が抽出した乱数と、テーブル選択手段が選択した役抽選テーブルとを照合して、第１特定当選か、第２特定当選か、第３特定当選か、第４特定当選か、第５特定当選か、第６特定当選か、第７特定当選か、第８特定当選か、第９特定当選か、その他の当選か、あるいはハズレかの判定を行う。例えば、図７で示すように、抽出された乱数が１５０であれば第１特定当選と判定され、また、２０００であればその値に対応した当選とされ、また、１５０００であればハズレ（当選なし）と判定される。
【０１８７】
また、例えば一般遊技中であれば、図６及び図７に示すように、第１特定当選と判定された場合、第１〜第９特定小役図柄組合せ（第１特定小役グループに対応する図柄組合せ）及び補助小役図柄組合せの成立が同時に許可される。同様に、第２特定当選と判定された場合、第１０〜第１８特定小役図柄組合せ（第２特定小役グループに対応する図柄組合せ）及び補助小役図柄組合せの成立が同時に許可される。また、第３特定当選と判定された場合、第１９〜第２７特定小役図柄組合せ（第３特定小役グループに対応する図柄組合せ）及び補助小役図柄組合せの成立が同時に許可される。また、第４特定当選と判定された場合、第１〜第３特定小役図柄組合せ、第１０〜第１２特定小役図柄組合せ、第１９〜２１特定小役図柄組合せ（第４特定小役グループに対応する図柄組合せ）及び補助小役図柄組合せの成立が同時に許可される。また、第５特定当選と判定された場合、第４〜６特定小役図柄組合せ、第１３〜１５特定小役図柄組合せ、第２２〜２４特定小役図柄組合せ（第５特定小役グループに対応する図柄組合せ）及び補助小役図柄組合せの成立が同時に許可される。また、第６特定当選と判定された場合、第７〜９特定小役図柄組合せ、第１６〜１８特定小役図柄組合せ、第２５〜２７特定小役図柄組合せ（第６特定小役グループに対応する図柄組合せ）及び補助小役図柄組合せの成立が同時に許可される。また、第７特定当選と判定された場合、第１特定小役図柄組合せ、第４特定小役図柄組合せ、第７特定小役図柄組合せ、第１０特定小役図柄組合せ、第１３特定小役図柄組合せ、第１６特定小役図柄組合せ、第１９特定小役図柄組合せ、第２２特定小役図柄組合せ、第２５特定小役図柄組合せ（第７特定小役グループに対応する図柄組合せ）及び補助小役図柄組合せの成立が同時に許可される。また、第８特定当選と判定された場合、第２特定小役図柄組合せ、第５特定小役図柄組合せ、第８特定小役図柄組合せ、第１１特定小役図柄組合せ、第１４特定小役図柄組合せ、第１７特定小役図柄組合せ、第２０特定小役図柄組合せ、第２３特定小役図柄組合せ、第２６特定小役図柄組合せ（第８特定小役グループに対応する図柄組合せ）及び補助小役図柄組合せの成立が同時に許可される。また、第９特定当選と判定された場合、第３特定小役図柄組合せ、第６特定小役図柄組合せ、第９特定小役図柄組合せ、第１２特定小役図柄組合せ、第１５特定小役図柄組合せ、第１８特定小役図柄組合せ、第２１特定小役図柄組合せ、第２４特定小役図柄組合せ、第２７特定小役図柄組合せ（第９特定小役グループに対応する図柄組合せ）及び補助小役図柄組合せの成立が同時に許可される。
【０１８８】
また、役抽選手段140は、許可された図柄組合せに対応した許可フラグを記憶する許可フラグ記憶手段を有している。役抽選手段140は、役抽選判定手段の判定結果に基づき、許可された図柄組合せに対応する許可フラグを許可フラグ記憶手段にセットする。なお、ボーナスに係る許可フラグ以外の許可フラグは、全ての回転リール40の停止後、次ゲームのスタートスイッチ50の操作までに、クリアされる。
【０１８９】
また、本実施の形態では、各特定当選は、同率で当選となるように、その当選となる乱数の範囲が定められている。
【０１９０】
（停止テーブル150）
停止テーブル150は、各回転リール40の停止位置を決定するためのものであって、各ストップスイッチ60が操作されたときの対応する回転リール40の回転位置に応じて、各回転リール40の滑りコマ数をあらかじめ定めたものである。また、本実施の形態においては、停止テーブル150は、各ストップスイッチ60が最初に操作されたときの、対応する回転リール40の滑りコマ数を定めたものである。
【０１９１】
また、「滑りコマ数」とは、ストップスイッチ60の操作から対応する回転リール40の回転がいずれかの適正停止位置で停止するまでの間に通過する適正停止位置の数をいう。
【０１９２】
また、停止テーブル150は、回転リール40毎に、ストップスイッチ60の操作後における最初の適正停止位置において中段に位置する図柄の番号に対応して、選択すべき滑りコマ数を定めている。
【０１９３】
例えば、ストップスイッチ60の操作後における最初の適正停止位置で対応する回転リール40の回転が停止した場合、ストップスイッチ60の操作から対応する回転リール40の回転が停止するまでの間に通過した適正停止位置の数は「０」であるから、滑りコマ数は「０」である。
【０１９４】
また、ストップスイッチ60の操作後における最初の適正停止位置を通過し、その次の適正停止位置で対応する回転リール40の回転が停止した場合、ストップスイッチ60の操作から対応する回転リール40の回転が停止するまでの間に通過した適正停止位置の数は「１」であるから、滑りコマ数は「１」である。
【０１９５】
また、本実施の形態では、役抽選手段140の抽選結果等に対応して、複数種類の停止テーブル150が備えられている。
【０１９６】
また、本実施の形態では、各停止テーブル150は、０以上４以下の範囲内で、各回転リール40の滑りコマ数を定めている。
【０１９７】
また、いずれかの当選に対応した停止テーブル150は、その当選に対応した図柄組合せがいずれかの有効な入賞ライン300上に揃い得るように、かつ、その当選以外の図柄組合せについてはいずれの有効な入賞ライン300上にも揃わないように、各回転リール40の滑りコマ数を定めている。
【０１９８】
具体的には、例えば、「第１特定当選」に対応した停止テーブル150は、「赤スイカ」「×スイカ」「×スイカ」の入賞図柄組合せ又は「ベル」「ベル」「ベル」の入賞図柄組合せが、いずれかの有効な入賞ライン300上に揃い得るように、かつ、「赤スイカ」「×スイカ」「×スイカ」の入賞図柄組合せ及び「ベル」「ベル」「ベル」の入賞図柄組合せ以外の入賞図柄組合せ（例えば、「青スイカ」「青スイカ」「青スイカ」など）についてはいずれの有効な入賞ライン300上にも揃わないように、各回転リール40の滑りコマ数を定めている。このように、「第１特定当選」に対応した停止テーブル150は、第１〜第９特定小役図柄組合せ及び補助小役図柄組合せを揃い得るようにするとともに、第１〜第９特定小役図柄組合せ及び補助小役図柄組合せ以外の図柄組合せは揃わないようにしている。これにより、「第１特定当選」に対応した停止テーブル150は、第１〜第９特定小役入賞又は補助小役入賞を引き当て得るようにするとともに、第１〜第９特定小役入賞又は補助小役入賞以外の入賞を引き当て得ないようにしている。「第２特定当選」「第３特定当選」「第４特定当選」「第５特定当選」「第６特定当選」「第７特定当選」「第８特定当選」「第９特定当選」およびその他の当選に対応した各停止テーブル150についても同様である。
【０１９９】
また、「当選なし」に対応した停止テーブル150は、いずれの有効な入賞ライン300上にも、いずれの入賞図柄組合せも揃わないように、各回転リール40の滑りコマ数を定めている。
【０２００】
また、停止テーブル150は、各回転リール40について、役抽選手段140の抽選結果と各ストップスイッチ60が操作されたときの対応する回転リール40の回転位置とに基づいて、４コマの範囲内で当該回転位置から回転させ続ければ許可された図柄組合せを成立させる可能性を有する場合には、許可された図柄組合せが成立し得る停止位置となるように、４コマを限度とした範囲内で、回転リール40を回転させた後に停止させるように、滑りコマ数が定められている。
【０２０１】
また、停止テーブル150は、４コマの範囲内に異なる２カ所で図柄組合せを成立させる可能性を有し、成立する図柄組合せが異なる配当に対応したものである場合には、払出制御手段130により払い出される配当の多い役となる図柄組合せが優先して成立し得るように、滑りコマ数が定められている。
【０２０２】
なお、本実施の形態では、役抽選手段140により複数種の特定小役にそれぞれ対応した図柄組合せ及び補助小役に対応した図柄組合せが同時に許可され得るものとなっているが、各回転リール40に付された図柄は図４のようになっているため、特定小役に対応する図柄組合せと補助小役に対応する図柄組合せとが、同時に成立することはない。したがって、停止テーブル150としては、例えば、役抽選手段140により第１特定当選が当選された場合には、図５のように、「第１特定小役図柄組合せ」〜「第９特定小役図柄組合せ」がいずれかの入賞ライン300上に停止する可能性を有する位置では、「第１特定小役図柄組合せ」〜「第９特定小役図柄組合せ」がいずれかの入賞ライン300上に停止するように、それ以外の位置で「補助小役図柄組合せ」がいずれかの入賞ライン300上に停止する可能性を有する位置では、「補助小役図柄組合せ」がいずれかの入賞ライン300上に停止するように、滑りコマ数を定めている。
【０２０３】
（停止制御手段160）
停止制御手段160は、各回転リール40の停止制御を行うためのものである。
【０２０４】
また、停止制御手段160は、役抽選手段140の抽選結果と、各ストップスイッチ60が操作されたときの対応する回転リール40の回転位置とに基づいて、各回転リール40の停止制御を行う。また、停止制御手段160は、各回転リール40について、役抽選手段140の抽選結果と各ストップスイッチ60が操作されたときの対応する回転リール40の回転位置とに基づいて、４コマの範囲内で当該回転位置から回転させ続ければ許可された図柄組合せを成立させる可能性を有する場合には、許可された図柄組合せが成立し得る停止位置となるように、４コマの範囲内で、回転リール40を回転させた後に停止させる停止制御を行うものである。
【０２０５】
また、停止制御手段160は、払出制御手段130により払い出される配当の多い役となる図柄組合せが優先して成立し得るように停止制御を行うものである。
【０２０６】
また、停止制御手段160は、滑りコマ数制御手段161と、引込制御手段162とを有している。
【０２０７】
各回転リール40の停止制御は、以下に示すようにして行われる。
【０２０８】
（滑りコマ数制御手段161）
滑りコマ数制御手段161は、複数の停止テーブル150と、各ストップスイッチ60が操作されたときの対応する回転リール40の回転位置とに基づいて、各回転リール40の停止制御を行うためのものである。また、本実施の形態では、滑りコマ数制御手段161は、最初に操作されたストップスイッチ60に対してのみ、動作を行うものである。
【０２０９】
まず、役抽選手段140の抽選結果等に基づいて、複数の停止テーブル150の中から一の停止テーブル150が選択される。
【０２１０】
具体的には、例えば、役抽選手段140の抽選結果が「第１特定当選」となった場合には、図５の「第１特定当選」に対応した停止テーブル150が選択される。この図５の停止テーブル150は、「第１特定小役図柄組合せ」「第２特定小役図柄組合せ」「第３特定小役図柄組合せ」「第４特定小役図柄組合せ」「第５特定小役図柄組合せ」「第６特定小役図柄組合せ」「第７特定小役図柄組合せ」「第８特定小役図柄組合せ」「第９特定小役図柄組合せ」及び「補助小役図柄組合せ」が可能な限り成立し得るように、滑りコマ数が定められている。
【０２１１】
次に、この選択された一の停止テーブル150と、各ストップスイッチ60が操作されたときの対応する回転リール40の回転位置とから、各回転リール40の滑りコマ数が決定される。
【０２１２】
ここで、滑りコマ数が「０」と決定されると、ストップスイッチ60の操作後における最初の適正停止位置で、対応する回転リール40の回転が停止する。このとき、ストップスイッチ60の操作時に図柄表示窓26の上段の直前に位置していた図柄は、ストップスイッチ60の操作後ほとんど移動せずに、図柄表示窓26の上段に停止するように見える。
【０２１３】
また、滑りコマ数が「１」と決定されると、ストップスイッチ60の操作後における最初の適正停止位置を通過し、その次の適正停止位置で、対応する回転リール40の回転が停止する。このとき、ストップスイッチ60の操作時に図柄表示窓26の上段の直前に位置していた図柄は、ストップスイッチ60の操作後に回転リール40の回転方向に１コマ滑るようにして移動して、図柄表示窓26の中段に停止するように見える。
【０２１４】
また、滑りコマ数が「２」と決定されると、ストップスイッチ60の操作後における最初の適正停止位置と、その次の適正停止位置とを通過し、３番目の適正停止位置で、対応する回転リール40の回転が停止する。このとき、ストップスイッチ60の操作時に図柄表示窓26の上段の直前に位置していた図柄は、ストップスイッチ60の操作後に回転リール40の回転方向に２コマ滑るようにして移動して、図柄表示窓26の下段に停止するように見える。
【０２１５】
図５の停止テーブル150を用いて、役抽選手段140の抽選結果が「第１特定当選」となった場合であり、最初に操作されたストップスイッチ60が左リール41に対応したものであった場合を例に、説明する。
【０２１６】
停止テーブル150は、各番号の図柄が、ストップスイッチ60の操作直後に適正位置となったときに中段に位置する図柄の番号に対応して、滑りコマ数を定めている。
【０２１７】
例えば、ストップスイッチ60を操作した際の左リール41の回転位置が０３番の図柄が中段の適正停止位置となる直前であった場合、０３番に対応する滑りコマ数「０」が選択され、そのまま、特定小役図柄Ａである「赤スイカ」の図柄が上段に停止するように、停止制御が行われる。
【０２１８】
また、ストップスイッチ60を操作した際の左リール41の回転位置が０５番の図柄が中段の適正停止位置となる直前であった場合、０５番に対応する滑りコマ数「４」が選択され、特定小役図柄Ａである「赤スイカ」の図柄が下段に停止するように、停止制御が行われる。
【０２１９】
また、ストップスイッチ60を操作した際の左リール41の回転位置が１６番の図柄が中段の適正停止位置となる直前であった場合、１６番に対応する滑りコマ数「３」が選択され、補助小役図柄である「ベル」の図柄が上段及び中段に停止するように、停止制御が行われる。
【０２２０】
すなわち、停止テーブル150は、役抽選手段140の抽選結果が「第１特定当選」となった場合は、左リール41が最初に操作されたケースに対応する停止テーブル150は、０以上４以下の範囲のいずれかの滑りコマ数を選択すれば特定小役図柄Ａである「赤スイカ」が有効な入賞ライン300上に停止する可能性がある範囲では、「赤スイカ」を有効な入賞ライン300上に停止させるように、滑りコマ数が定められている。その際、補助小役である「ベル」が有効な入賞ライン300上に停止させることができる回転位置であっても、「赤スイカ」を優先して停止させるため、前述の図柄の配置により、「ベル」の図柄が有効な入賞ライン300上に停止することはない。また、０以上４以下の範囲のいずれの滑りコマ数を選択しても「赤スイカ」を有効な入賞ライン300上に停止させることができない範囲、かつ、０以上４以下の範囲のいずれかの滑りコマ数を選択すれば「ベル」の図柄を有効な入賞ライン300上に停止させることができる範囲では、「ベル」を有効な入賞ライン300上に停止させられるように、滑りコマ数が定められている。その際、特定小役図柄Ｂである「青スイカ」又は特定小役図柄Ｃである「黄スイカ」が有効な入賞ライン300上に停止する可能性がある範囲であっても、左リール41の「青スイカ」又は「黄スイカ」に対応した特定小役図柄組合せの成立が許可されていないため、０以上４以下の範囲のいずれかの滑りコマ数を選択すれば補助小役図柄が有効な入賞ライン300上に停止する可能性がある範囲では、「ベル」を有効な入賞ライン300上に停止させるように、滑りコマ数が定められている。
【０２２１】
すなわち、役抽選手段140による抽選の結果が「第１特定当選」となり、第１特定小役グループに対応した基軸図柄が付された回転リール40（左リール41）から停止を行う場合には、優先される特定小役図柄は特定小役図柄Ａである「赤スイカ」１種のみであるため、特定小役図柄が優先して停止される範囲は、０１番〜０７番が中段に位置する７コマの範囲のみである。そして、０８番〜２１番の１４コマの範囲については、補助小役図柄である「ベル」の図柄が有効な入賞ライン300上に停止するように、停止が行われる。
【０２２２】
一方、図５の停止テーブル150を用いて、役抽選手段140の抽選結果が「第１特定当選」となった場合であり、最初に操作されたストップスイッチ60が中リール42に対応したものであった場合を例に、説明する。
【０２２３】
ストップスイッチ60を操作した際の中リール42の回転位置が０２番の図柄が中段の適正停止位置となる直前であった場合、０２番に対応する滑りコマ数「０」が選択され、そのまま、特定小役図柄Ｄである「赤スイカ」の図柄が中段に停止するように、停止制御が行われる。
【０２２４】
また、ストップスイッチ60を操作した際の中リール42の回転位置が０５番の図柄が中段の適正停止位置となる直前であった場合、０５番に対応する滑りコマ数「３」が選択され、特定小役図柄Ｄである「赤スイカ」の図柄が中段に停止するように、停止制御が行われる。
【０２２５】
また、ストップスイッチ60を操作した際の中リール42の回転位置が１６番の図柄が中段の適正停止位置となる直前であった場合、１６番に対応する滑りコマ数「０」が選択され、特定小役図柄Ｆである「黄スイカ」の図柄が中段に停止するように、停止制御が行われる。
【０２２６】
すなわち、中リール42に対応するストップスイッチ60が最初に操作された場合は、特定小役図柄Ｄである「赤スイカ」、特定小役図柄Ｅである「青スイカ」、特定小役図柄Ｆである「黄スイカ」のいずれかが、いずれかの入賞ライン300上に停止するように、滑りコマ数が定められている。このとき、補助小役図柄である「ベル」は、有効な入賞ライン300上には停止されない。
【０２２７】
また、右リール43に対応するストップスイッチ60が最初に操作された場合も同様に、特定小役図柄Ｇである「赤スイカ」、特定小役図柄Ｈである「青スイカ」、特定小役図柄Ｉである「黄スイカ」のいずれかが、いずれかの入賞ライン300上に停止するように、滑りコマ数が定められている。このときも、補助小役図柄である「ベル」は、有効な入賞ライン300上には停止されない。
【０２２８】
すなわち、役抽選手段140による抽選の結果が「第１特定当選」となり、第１特定小役グループに対応した基軸図柄が付された回転リール40以外の特定小役図柄が付された回転リール40（中リール42又は右リール43）から停止を行う場合には、優先される特定小役図柄が複数種（中リール42においては特定小役図柄Ｄ〜Ｆの「赤スイカ」「青スイカ」「黄スイカ」、右リール43においては特定小役図柄Ｇ〜Ｉの「赤スイカ」「青スイカ」「黄スイカ」）ある。そのため、それぞれのリールにおいて、基軸図柄が付された回転リール40よりも、特定小役図柄が優先して停止される範囲が広くなっている。その結果、基軸図柄が付された回転リール40を先に停止する場合と、それ以外の特定小役図柄及び補助小役図柄が付された回転リール40を先に停止する場合とで、補助小役図柄を有効な入賞ライン300上に停止できる範囲が異なる。
【０２２９】
「第２特定当選」が当選した場合の、左リール41に対応する停止テーブル150も、同様に、「赤スイカ」に代わり「青スイカ」が有効な入賞ライン300上に停止するように、また、「青スイカ」が表示できない範囲且つ「ベル」の図柄を表示できる範囲では「ベル」の図柄を有効な入賞ライン300上に停止するように、滑りコマ数が定められている。その一方で、中リール42、右リール43に対応した停止テーブル150は、それぞれ、特定小役図柄Ｄ〜Ｉが優先され、補助小役図柄が有効な入賞ライン300上に停止できないように、滑りコマ数が定められている。
【０２３０】
また、「第４特定当選」が当選した場合の、中リール42に対応する停止テーブル150も、同様に、「赤スイカ」が有効な入賞ライン300上に停止するように、また、「赤スイカ」を表示できない位置で停止操作が為されれば、「ベル」の図柄を有効な入賞ライン300上に停止できるように、滑りコマ数が定められている。その一方で、左リール41、右リール43に対応した停止テーブル150は、それぞれ、特定小役図柄Ａ〜Ｃ及び特定小役図柄Ｇ〜Ｉが優先され、補助小役図柄が有効な入賞ライン300上に停止できないように、滑りコマ数が定められている。
【０２３１】
また、その他の特定当選に対応する停止テーブル150についても、基軸図柄が付された回転リール40については、基軸図柄が有効な入賞ライン300上に停止するように、また、基軸図柄が表示できない位置で停止操作が為された場合には、「ベル」の図柄を有効な入賞ライン300上に停止できるように、滑りコマ数が定められている。一方、基軸図柄が付された回転リール40以外の特定小役図柄及び補助小役図柄が付された回転リール40に対応する停止テーブル150は、特定小役図柄が優先して表示されるよう停止され、補助小役図柄が表示できないように、滑りコマ数が定められている。
【０２３２】
なお、上述したような回転リール40の停止制御は、停止テーブル150を用いた制御であることから、「滑りコマ数テーブル制御」などと呼ばれる。
【０２３３】
（引込制御手段162）
引込制御手段162は、役抽選手段140の抽選結果と、既に停止した各回転リール40の停止位置と、各ストップスイッチ60が操作されたときの対応する回転リール40の回転位置とに基づいて、各回転リール40の停止制御を行う。また、引込制御手段162は、払出制御手段130により払い出される配当の多い役となる図柄組合せが優先して成立し得るように停止制御を行う。
【０２３４】
より具体的には、役抽選手段140によりセットされた許可フラグに対応する役が、極力入賞し得るように、かつ、セットされていない許可フラグに対応する役が揃わないように、各回転リール40の停止制御を行う。
【０２３５】
すなわち、引込制御手段162は、各回転リール40について、役抽選手段140の抽選結果と各ストップスイッチ60が操作されたときの対応する回転リール40の回転位置とに基づいて、４コマの範囲内で当該回転位置から回転させ続ければ許可された図柄組合せを成立させる可能性を有する場合には、許可された図柄組合せが成立し得る停止位置となるように、４コマの範囲内で、許可された図柄組合せが成立し得る回転位置までの滑りコマ数を設定し、設定された滑りコマ数分回転リール40を回転させた後に、停止させる。
【０２３６】
また、引込制御手段162は、最後に停止させる回転リール40について、役抽選手段140の抽選結果と各ストップスイッチ60が操作されたときの対応する回転リール40の回転位置とに基づいて、当該回転位置から４コマ以内で回転した場合に、有効な入賞ライン300上に停止している図柄との組み合わせで、許可されていない役が揃ってしまう場合には、許可されていない役が揃わない滑りコマ数を設定し、設定された滑りコマ数分回転リール40を回転させた後に、停止させる。
【０２３７】
なお、本実施の形態では、引込制御手段162は、役抽選手段140で許可された役が揃う位置且つ役抽選手段140で許可されていない役も揃ってしまう位置では停止しないように、滑りコマ数を選択する（許可された図柄を揃えようとすると別の図柄が揃ってしまう場合には、その位置では停止させない）。
【０２３８】
また、本実施の形態では、引込制御手段162は、２番目及び３番目のストップスイッチ60の操作に対応して、各回転リール40の停止制御を行う。最初のストップスイッチ60の操作に対応しては、滑りコマ数制御手段161によって、停止制御が行われている。
【０２３９】
ここで、上記の滑りコマ数制御手段161の説明で述べたように、役抽選手段140によりいずれかの特定当選が当選している場合でも、滑りコマ数制御手段161により停止制御が行われると、その停止位置に応じて、特定小役のみ揃い得るか、補助小役のみ揃い得るか、揃う可能性が限られてしまう。そして、引込制御手段162は、既に停止した回転リール40の停止位置に基づき、役抽選手段140により許可された図柄組合せが揃い得るように、操作されたストップスイッチ60の対応する回転位置に基づき、停止制御を行う。
【０２４０】
引込制御手段162は、役抽選手段140の抽選結果と、ストップスイッチ60が操作された回転リール40の回転位置に基づき、４コマの範囲内で当該回転位置から回転させ続ければ許可された図柄組合せを成立させる可能性を有するか否かを、１コマずつ、判定する。
【０２４１】
具体的には、引込制御手段162は、ストップスイッチ60が操作された回転位置から、滑りコマ数「０」で回転リール40を停止させたときに、入賞となる図柄組合せが成立する可能性があるか否か、判定を行う。このとき、役抽選手段140により許可された図柄組合せが揃うと判定されると、成立する可能性のある図柄組合せの種類と共に、滑りコマ数「０」を選択すべき滑りコマ数として保留する。また、役抽選手段140により許可されていない図柄組合せが成立してしまうと判定される場合は、それが、最後の停止か否かが判定される。最後の停止でなければ、滑りコマ数「０」を選択しても図柄組合せはまだ確定しないので、選択すべき滑りコマ数を「０」として保留する。一方、それが最後の停止である場合には、滑りコマ数「０」を選択してしまうと、揃ってはならない図柄組合せが揃ってしまうことになるため、滑りコマ数「０」は保留しない。また、図柄組合せが揃ってしまう可能性がない場合には、滑りコマ数「０」を保留する。
【０２４２】
続いて、引込制御手段162は、ストップスイッチ60が操作された回転位置から、滑りコマ数「１」を選択して回転リール40を停止させたときに、入賞となる図柄組合せが揃う可能性があるか否か、判定を行う。このとき、役抽選手段140により許可された図柄組合せが成立する可能性があると判定された場合は、既に、他に保留されている図柄組合せがないか（既に図柄が揃うと判定されていないか）を判定する。そして、既に保留されている図柄組合せがある場合には、新たに入賞の可能性があると判定された図柄組合せにより得られる配当と、比較を行う。そして、新たな図柄組合せにより得られる配当の方が高いと判断された場合には、既に保留されている滑りコマ数の値を破棄し、新たな図柄組合せの種類と共に、滑りコマ数「１」を保留する。一方、新たな配当の方が低いと判断された場合には、保留はしない。また、役抽選手段140により許可されていない図柄組合せが成立してしまうと判定される場合には、それが、最後の停止か否かが判定される。最後の停止でなければ、既に保留されている滑りコマ数はないかが判定され、保留されている滑りコマ数がある場合には、滑りコマ数「１」は保留しない。また、最後の停止でなければ滑りコマ数「１」を停止させても問題はないため、保留されている滑りコマ数がない場合には、滑りコマ数「１」を滑りコマ数として、保留する。一方、最後の停止である場合には、滑りコマ数「１」を選択してしまうと、揃ってはならない図柄組合せが揃ってしまうことになるため、滑りコマ数「１」は保留しない。また、図柄組合せが揃ってしまう可能性がない場合には、既に保留されている滑りコマ数がないかを、判定する。保留されている滑りコマ数がない場合には、滑りコマ数「１」を保留し、保留されている滑りコマ数がある場合には、保留をしない。
【０２４３】
その後も、滑りコマ数「１」のときと同様に、滑りコマ数「２」「３」「４」と値を変えて判定を行う。なお、滑りコマ数「０」〜「４」のいずれかを選択すれば必ず停止できるように、各回転リール40の配列が定められている。
【０２４４】
このように、引込制御手段162は、４コマの範囲内で１コマずつ停止可否の判定を行い、許可された図柄組合せが成立し得る停止位置となるように、許可された図柄組合せが成立し得る回転位置までの滑りコマ数を設定する。そして、設定された滑りコマ数分、回転リール40を回転させた後停止を行うことで、配当の高い役に対応する図柄組合せを優先させて、停止制御を行う。
【０２４５】
（停止制御と期待値）
ここで、役抽選手段140によりいずれかの特定当選が当選されている場合には、ストップスイッチ60の操作順序によって、期待値が変化する。例えば、役抽選手段140により第１特定当選が当選されている場合を例にとって述べる。なお、ここでは、回転中の図柄の判別ができない遊技者による遊技を仮定する。
【０２４６】
役抽選の結果が第１特定当選となると、左リール41に基軸図柄の「赤スイカ」の図柄をいずれかの有効な入賞ライン300上に停止させ、左リール41の「赤スイカ」が停止した入賞ライン300上に、中リール42及び右リール43それぞれの、「赤スイカ」「青スイカ」又は「黄スイカ」の図柄を停止させれば、一直線に揃った図柄に対応した特定小役入賞となり、１０枚の配当を得られる。また、いずれかの有効な入賞ライン300上に、左リール41、中リール42及び右リール43のそれぞれの「ベル」の図柄が一直線に揃えば、補助小役の入賞となり、９枚の配当が得られる。
【０２４７】
（左→中→右、特定小役）
停止テーブル150は、役抽選手段140によって許可された役が、許容される最大限、有効な入賞ライン300上に停止するように、滑りコマ数が定められている。また、この滑りコマ数は、図柄組合せが揃ったときに得られる配当が大きい役に対応する図柄組合せが優先して揃うように、定められている。したがって、最初に操作されるストップスイッチ60が左リール41に対応するものである場合の停止テーブル150は、０１番〜０７番のいずれかのコマが中段に位置する適正停止位置の直前でストップスイッチ60の操作を行った際に、「赤スイカ」が優先して停止するよう滑りコマ数が定められている。左リール41に対応するストップスイッチ60を最初に操作した場合には、当選している特定小役に対応する「赤スイカ」を有効な入賞ライン300上に停止することができるのは、０１番〜０７番のいずれかのコマが中段に位置する適正停止位置の直前で、ストップスイッチ60を操作したときである。すなわち、役抽選の結果が第１特定当選となったときには、図柄の識別ができない遊技者が最初に左リール41に対応するストップスイッチ60を操作すると、２１分の７で、「赤スイカ」の図柄を有効な入賞ライン300上に停止することができる。なお、図５の停止テーブル150を用いれば、０１番、０２番、０５番の図柄が中段に位置する直前でストップスイッチ60を操作すれば、「赤スイカ」の図柄は下段に（２１分の３）、０３番、０４番、０６番、０７番の図柄が中段に位置する直前でストップスイッチ60を操作すれば、「赤スイカ」の図柄は上段に停止する（２１分の４）。この上段又は下段の位置に「赤スイカ」の図柄が停止すれば、他の回転リール40の停止位置次第で、水平ラインと斜めラインの２本の入賞ライン300で、特定小役図柄組合せを揃えることができる。
【０２４８】
そして、左リール41の「赤スイカ」が停止した入賞ライン300上に、当選した特定小役に対応する「赤スイカ」「青スイカ」又は「黄スイカ」を停止できるのは、左リール41の上段に停止する「赤スイカ」に対しては中リール42の上段又は中段に、左リール41の下段に停止する「赤スイカ」に対しては中リール42の中段又は下段に、「赤スイカ」「青スイカ」又は「黄スイカ」を停止させるときである。したがって、２回目のストップスイッチ60の操作が中リール42に対応するものである場合、上段又は中段、もしくは、中段又は下段に、「赤スイカ」「青スイカ」又は「黄スイカ」を停止することができれば良い。引込制御手段162が中リール42の上段又は中段に「赤スイカ」を停止できるのは、０２番〜０７番のいずれかの図柄が中段に位置する適正停止位置の直前で、ストップスイッチ60を操作したときである。同様に、「青スイカ」は０９〜１４番、「黄スイカ」は１６番〜２１番のときである。したがって、中リール42の上段又は中段に遊技者が「赤スイカ」「青スイカ」又は「黄スイカ」のいずれかの図柄を停止できるのは、２１分の１８である。同様に、中段又は下段に「赤スイカ」を停止するのは０１番〜０６番、「青スイカ」が０８番〜１３番、「黄スイカ」が１５番〜２０番で、２１分の１８である。
【０２４９】
そして、この左→中とストップスイッチ60の操作を行った時点で、特定小役が揃い得る入賞ライン300が１本に限定されるため、引込制御手段162は、入賞しうる入賞ライン300上から０〜４コマ滑りの範囲内に「赤スイカ」「青スイカ」又は「黄スイカ」の図柄が存在するときのみ、入賞図柄組合せが揃う停止制御を行うことができる。「赤スイカ」「青スイカ」「黄スイカ」それぞれについて、５コマの範囲で引込制御手段162が役を構成する図柄を停止可能となるため、２１分の１５の範囲で、入賞が可能となる。
【０２５０】
これを計算すると、
左リール41の上段に「赤スイカ」が停止する場合、
“２１分の４”×“２１分の１８”×“２１分の１５”
左リール41の下段に「赤スイカ」が停止する場合、
“２１分の３”×“２１分の１８”×“２１分の１５”
の確率で、いずれかの特定小役入賞となる図柄組合せが揃う。
【０２５１】
（左→右→中、特定小役）
左リール41の上段に「赤スイカ」の図柄が停止した場合、右リール43の上段又は下段に、「赤スイカ」「青スイカ」又は「黄スイカ」のいずれかの図柄が停止すれば、いずれかの特定小役の入賞の可能性がある。また、左リール41の下段に「赤スイカ」の図柄が停止した場合も、同様に、右リール43の上段又は下段に「赤スイカ」「青スイカ」又は「黄スイカ」の図柄を停止させることができれば、いずれかの特定小役の入賞の可能性がある。なお、右リール43に関しては、引込制御手段162は、必ず「赤スイカ」「青スイカ」又は「黄スイカ」の図柄を上段又は下段に停止することができる。したがって、２番目に操作するストップスイッチ60が右リール43に対応するものであれば、２１分の２１の確率で、特定小役に入賞する可能性がある。
【０２５２】
そして、この左→右とストップスイッチ60の操作を行った時点で、特定小役が揃い得る入賞ライン300が１本に限定される。その限定された１本の入賞ライン300上に、中リール42の「赤スイカ」「青スイカ」又は「黄スイカ」の図柄を停止できるのは、それぞれの図柄が入賞ライン300上に位置する適正停止位置の直前でストップスイッチ60を操作したところから、０〜４コマ滑りの範囲内だけである。したがって、その入賞ライン300上に「赤スイカ」「青スイカ」又は「黄スイカ」の特定小役図柄を停止させ得る可能性は、それぞれの図柄に対して５コマ、すなわち、２１分の１５である。
【０２５３】
これを計算すると、
左リール41の上段に「赤スイカ」が停止する場合、
“２１分の４”×“２１分の２１”×“２１分の１５”
左リール41の下段に「赤スイカ」が停止する場合、
“２１分の３”×“２１分の２１”×“２１分の１５”
の確率で、いずれかの特定小役入賞となる図柄組合せが揃う。
【０２５４】
（左から操作したときの期待値合計、特定小役）
したがって、左リール41に対応するストップスイッチ60を最初に操作した場合に、特定小役が入賞する確率は、押し順を考慮すると“（４０９５／９２６１）／２”であり、特定小役は１０枚の配当を得られるため、期待値は約２．２枚となる。
【０２５５】
（左→中→右、補助小役）
一方、停止テーブル150は、最初に操作されるストップスイッチ60が左リール41に対応するものである場合、０８番〜２１番の図柄が中段に位置する適正停止位置の直前でストップスイッチ60の操作を行うと、補助小役図柄である「ベル」の図柄が、有効な入賞ライン300上に停止するように、滑りコマ数が定められている。このとき、０８番〜１０番、１４番〜１７番、２０番、２１番の図柄が中段に位置する直前でストップスイッチ60を操作すると、上段及び中段に２つの「ベル」の図柄が表示される（２１分の９）。また、１２番、１３番、１９番の図柄が中段に位置する直前でストップスイッチ60を操作すると、中段及び下段の２つの「ベル」が表示される（２１分の３）。また、１１番であれば下段に、１８番であれば上段に、「ベル」が表示される（それぞれ２１分の１）。
【０２５６】
続いて、左リール41の上段及び中段に２個の「ベル」が表示されているときには、中リール42の上段及び中段に「ベル」の図柄を表示させると、２本の水平な入賞ライン300で、補助小役の入賞の可能性がある。引込制御手段162がこの位置に「ベル」を停止できるのは、２つの「ベル」が共に有効な入賞ライン300上にある位置から５コマの範囲だけである（２１分の１５）。また、左リール41のこの位置に対して、中リール42の中段及び下段に「ベル」の図柄を表示させると、中段の水平な入賞ライン300と右下がりの斜めの入賞ライン300の２本で、入賞の可能性がある（２１分の３）。しかし、中リール42の上段のみ「ベル」を表示させると、図柄が揃う可能性があるのは、上段の水平な入賞ライン300１本だけになってしまう（２１分の３）。同様に、左リール41の中段及び下段に２個の「ベル」が表示されているときには、中リール42の中段及び下段に「ベル」を表示させれば、２本の水平な入賞ライン300で、補助小役の入賞の可能性がある（２１分の１５）。また、中リール42の上段及び中段に「ベル」を出現させると、中段を通る水平な入賞ライン300と右上がりの斜めの入賞ライン300との２本で、図柄が揃い得る（２１分の３）。しかし、中リール42の下段のみ「ベル」の図柄を表示させると、図柄が揃い得るのは１本の入賞ライン300だけになる（２１分の３）。また、左リール41の上段に１つだけ「ベル」が表示された場合は、中リール42は上段又は中段に「ベル」を表示させると、１本の入賞ライン300で補助小役の入賞の可能性がある。このとき、中リール42は、必ず上段又は中段に「ベル」の図柄を停止させることが可能である（２１分の２１）。また、左リール41の下段に「ベル」が表示された場合も、中リール42の中段又は下段に「ベル」を表示させれば、１本の入賞ライン300で補助小役の入賞の可能性がある（２１分の２１）。
【０２５７】
そして、左→中とストップスイッチ60を操作した時点で、２本の水平な入賞ライン300で図柄が揃う可能性があれば、右リール43に対応するストップスイッチ60をいずれの位置で操作しても、必ず上側の入賞ライン300か下側の入賞ライン300のどちらかの入賞ライン300上に、「ベル」の図柄を停止させることができる（２１分の２１）。同様に、水平な入賞ライン300と斜めの入賞ライン300との２本の入賞ライン300とで入賞の可能性があれば、ストップスイッチ60をいずれの位置で操作しても、どちらかの入賞ライン300上に「ベル」の図柄を停止できる（２１分の２１）。なお、このとき引込制御手段162は、１本の有効な入賞ライン300上でのみ「ベル」の図柄が揃い得るように、滑りコマ数を設定する。一方、１本の有効な入賞ライン300でのみ入賞の可能性が残っている場合、０〜４コマの滑りコマ数を選択すれば「ベル」の図柄が入賞ライン300上に停止する位置は、２１コマ中１８箇所だけである（２１分の１８）。
【０２５８】
これを計算すると、
左リール41の上段及び中段に「ベル」、２本のラインが有効、
“２１分の９”×“２１分の１８”×“２１分の２１”
左リール41の上段及び中段に「ベル」、中リール42上段に「ベル」、
“２１分の９”×“２１分の３”×“２１分の１８”
左リール41の中段及び下段に「ベル」、２本のラインが有効、
“２１分の３”×“２１分の１８”×“２１分の２１”
左リール41の中段及び下段に「ベル」、中リール42下段に「ベル」、
“２１分の３”×“２１分の３”×“２１分の１８”
左リール41の上段にのみ「ベル」、
“２１分の１”×“２１分の２１”×“２１分の１８”
左リール41の下段にのみ「ベル」、
“２１分の１”×“２１分の２１”×“２１分の１８”
これらの合計は、９２６１分の５９４０である。
【０２５９】
（左→右→中、補助小役）
また、左リール41の上段及び中段に２つの「ベル」が表示されていると、右リール43の上段及び中段に「ベル」の図柄を停止させれば、２本の水平な入賞ライン300で「ベル」の図柄を揃えられる可能性がある。右リール43の上段及び中段に「ベル」を表示させられるのは、２つのベルが上段及び中段に位置する位置から５コマの範囲のみである（２１分の１５）。また、右リール43の中段及び下段に「ベル」の図柄を停止させると、入賞ライン300は右下がりと水平との２本の入賞ライン300で図柄が揃う可能性があるが、中リール42の中段に「ベル」の図柄を出現させると、同時に２本の入賞ライン300で「ベル」の図柄が揃ってしまう。したがって、引込制御手段162は、左リール41の上段及び中段の「ベル」に対しては、右リール43は中段及び下段の２カ所で「ベル」が出現するような停止位置では停止させない。また、左リール41のこの停止位置に対して、右リール43の上段又は下段にのみ「ベル」を表示させると、入賞ライン300は１本のみが入賞の可能性を残す。の通り、中段及び下段に「ベル」が出現可能なときも、その位置では停止させないため、２１分の６の範囲が、１本の入賞ライン300のみが有効となる範囲となる。
【０２６０】
同様に、左リール41の中段及び下段に２つの「ベル」が表示されている場合も、右リール43の中段及び下段に「ベル」の図柄を停止させれば、２本の水平な入賞ライン300で「ベル」の図柄を揃えられる可能性がある。そして、この位置に「ベル」を停止できるのは２つの「ベル」が中段及び下段に同時に表示される位置から５コマの範囲のみである（２１分の１５）そして、上記と同様に、中リール42の中段に「ベル」が停止すると、同時に２本の入賞ライン300上で「ベル」の図柄が揃ってしまうため、右リール43の上段及び中段に２つの「ベル」が出現しないよう、引込制御手段162は停止制御を行う。また、左リール41の中段及び下段に対しては、右リール43の上段又は下段に「ベル」の図柄が出現すれば、１本の入賞ライン300での「ベル」揃いが可能となる（２１分の６）。
【０２６１】
また、左リール41の上段に１つだけ「ベル」が表示された場合は、右リール43は上段又は下段に「ベル」を表示させると、１本の入賞ライン300で補助小役の入賞の可能性がある。このとき、右リール43は、必ず上段又は下段に「ベル」の図柄を停止させることが可能である（２１分の２１）。また、左リール41の下段に「ベル」が表示された場合も、右リール43は上段又は下段に「ベル」を表示させれば、１本の入賞ライン300で補助小役の入賞の可能性がある（２１分の２１）。
【０２６２】
そして、左→右とストップスイッチ60を操作した時点で、水平な２本の入賞ライン300での特定小役の入賞の可能性があれば、引込制御手段162は、必ず「ベル」の図柄を有効な入賞ライン300上に停止させることができる。なお、このとき、２本の入賞ライン300上で共に「ベル」の図柄が停止される可能性があり得るが、引込制御手段162は、１本の入賞ライン300上でのみ入賞となるように、滑りコマ数を設定する。一方、１本の入賞ライン300上でのみ入賞の確率が残っている場合には、０〜４コマの滑りコマ数を選択すれば「ベル」の図柄が入賞ライン300上に停止する。その位置は、２１コマ中１８箇所ある（２１分の１８）。
【０２６３】
これを計算すると、
左リール41の上段及び中段に「ベル」、２本のラインが有効、
“２１分の９”×“２１分の１５”×“２１分の２１”
左リール41の上段及び中段に「ベル」、１本のラインが有効、
“２１分の９”×“２１分の６”×“２１分の１８”
左リール41の中段及び下段に「ベル」、２本のラインが有効、
“２１分の３”×“２１分の１５”×“２１分の２１”
左リール41の中段及び下段に「ベル」、１本のラインが有効、
“２１分の３”×“２１分の６”×“２１分の１８”
左リール41の上段にのみ「ベル」、
“２１分の１”×“２１分の２１”×“２１分の１８”
左リール41の下段にのみ「ベル」、
“２１分の１”×“２１分の２１”×“２１分の１８”
これらの合計は、９２６１分の５８３２である。
【０２６４】
（左から操作したときの期待値合計、補助小役）
したがって、左リール41に対応するストップスイッチ60を最初に操作した場合に、補助小役が入賞する確率は、押し順を考慮すると“（１１７７２／９２６１）／２”であり、特定小役は９枚の配当を得られるため、期待値は約５．７枚となる。
【０２６５】
（左から操作したときの期待値合計、特定小役と補助小役）
したがって、役抽選手段140により第１特定当選が当選されている場合、左リール41に対応するストップスイッチ60から停止操作を行うと、特定小役が揃って配当が得られる期待値は２．２枚、補助小役が揃って配当が得られる期待値は５．７枚であり、合計で約７．９枚の期待値となる。
【０２６６】
（中→左→右、特定小役）
また、第１特定当選である場合に、最初に操作されるストップスイッチ60が、中リール42に対応するものである場合の期待値を算出する。
【０２６７】
図５の停止テーブル150では、中リール42に対応するストップスイッチ60を最初に操作した場合、０２番〜０６番の図柄が中段に位置する直前では「赤スイカ」の図柄が、０９番〜１３番の図柄が中段に位置する直前では「青スイカ」の図柄が、１６番〜２０番の図柄が中段に位置する直前では「黄スイカ」の図柄が中段に停止する（２１分の１５）。また、０１番、０８番、１５番では、それぞれの特定小役図柄が下段に停止する（２１分の３）。また、０７番、１４番、２１番では、ぞれぞれの特定小役図柄が上段に停止する（２１分の３）。
【０２６８】
次に操作するストップスイッチ60が、左リール41に対応するものである場合、第１特定当選で揃うことが許可される特定小役グループは、左リール41は「赤スイカ」の図柄に対応した特定小役だけである。また、中リール42の中段に「赤スイカ」「青スイカ」又は「黄スイカ」の図柄が停止している場合は、左リール41の上段・中段・下段のいずれに「赤スイカ」の図柄が停止しても入賞の可能性が残る。０１番〜０７番のいずれかの図柄が中段に位置する直前に左リール41に対応するストップスイッチ60を操作すると、引込制御手段162は、上段・中段・下段のいずれかに、「赤スイカ」の図柄を停止させることができる（２１分の７）。また、中リール42の上段又は下段に「赤スイカ」「青スイカ」又は「黄スイカ」の図柄が停止している場合は、中リール42を停止した時点で、図柄が揃い得る入賞ライン300が水平な入賞ライン300の１本に限定されている。したがって、この水平な入賞ライン300上に「赤スイカ」の図柄を停止させなければならない。そして、引込制御手段162が「赤スイカ」を停止できるのは、０〜４コマ滑りの５コマの範囲だけである（２１分の５）。
【０２６９】
また、中→左とストップスイッチ60を操作すると、図柄が揃い得る入賞ライン300は、１本に限定されている。したがって、右リール43のストップスイッチ60を操作して、有効な入賞ライン300上に「赤スイカ」「青スイカ」又は「黄スイカ」の図柄が停止できるのは、それぞれの図柄の５コマの範囲のみであり、２１分の１５である。
【０２７０】
これを計算すると、
中リール42の中段に「赤スイカ」「青スイカ」又は「黄スイカ」、
“２１分の１５”×“２１分の７”×“２１分の１５”
中リール42の上段に「赤スイカ」「青スイカ」又は「黄スイカ」、
“２１分の３”×“２１分の５”×“２１分の１５”
中リール42の下段に「赤スイカ」「青スイカ」又は「黄スイカ」、
“２１分の３”×“２１分の５”×“２１分の１５”
これを合計すると９２６１分の２０２５である。
【０２７１】
（中→右→左、特定小役）
また、中リール42の中段に「赤スイカ」「青スイカ」又は「黄スイカ」の図柄が停止していれば、右リール43の上段・中段・下段のいずれに「赤スイカ」「青スイカ」又は「黄スイカ」の図柄が停止しても、特定小役図柄が揃って入賞となる可能性が残る。このとき、右リール43は、いずれの位置でストップスイッチ60を操作しても、必ず「赤スイカ」「青スイカ」又は「黄スイカ」のいずれかの図柄が、上段、中段又は下段のいずれかに停止する（２１分の２１）。一方、中リール42の上段又は下段に「赤スイカ」「青スイカ」又は「黄スイカ」の図柄が停止している場合は、中リール42を停止した時点で、図柄が揃い得る入賞ライン300が水平な入賞ライン300の１本に限定されている。したがって、この水平な入賞ライン300上に、「赤スイカ」「青スイカ」又は「黄スイカ」の図柄を停止させる必要がある。そして、この「赤スイカ」「青スイカ」又は「黄スイカ」の図柄を、１本の入賞ライン300上に停止できるのは、それぞれの図柄が限定された入賞ライン300上に位置するところから５コマの範囲内だけである（２１分の１５）。
【０２７２】
そして中→右とストップスイッチ60を操作すると、特定小役が揃い得る入賞ライン300が、１本に限定される。このとき、最後に左リール41を停止させ、「赤スイカ」の図柄を入賞の可能性がある入賞ライン300上に停止させることができるのは、「赤スイカ」の図柄が入賞ライン300上に位置するところから５コマの範囲内であり、２１分の５となる。
【０２７３】
したがって、これを計算すると、
中リール42の中段に「赤スイカ」「青スイカ」又は「黄スイカ」、
“２１分の１５”×“２１分の２１”×“２１分の５”
中リール42の上段に「赤スイカ」「青スイカ」又は「黄スイカ」、
“２１分の３”×“２１分の１５”×“２１分の５”
中リール42の下段に「赤スイカ」「青スイカ」又は「黄スイカ」、
“２１分の３”×“２１分の１５”×“２１分の５”
これを合計すると９２６１分の２０２５である。
【０２７４】
（中から操作したときの期待値合計、特定小役）
したがって、中リール42に対応するストップスイッチ60を最初に操作した場合に、特定小役が入賞する確率は、押し順を考慮すると“（４０５０／９２６１）／２”であり、特定小役は１０枚の配当を得られるため、期待値は約２．２枚となる。
【０２７５】
なお、中リール42から停止操作を行った場合、配当が高い特定小役入賞を構成する特定小役図柄を優先して引き込むように停止テーブル150が定められているため、中リール42は必ず特定小役図柄が有効な入賞ライン300上に停止し、補助小役を入賞させる可能性はなくなる。したがって、中リール42を最初に停止操作した場合には、期待値は、特定小役によって配当が得られる２．２枚のみ、となる。
【０２７６】
（右→中→左、特定小役）
続いて、第１特定当選である場合に、最初に操作されるストップスイッチ60が、右リール43に対応するものである場合の期待値を算出する。
【０２７７】
図５の停止テーブル150は、右リール43に対応するストップスイッチ60を最初に操作した場合、「赤スイカ」「青スイカ」又は「黄スイカ」のいずれかの特定小役図柄を、必ず、上段又は下段に停止させるように、滑りコマ数が定められている。より詳しくは、０１番〜０４番、０８番、０９番、１１番、１５番〜１７番、１９番の図柄が中段に位置する直前でストップスイッチ60を操作すると下段に（２１分の１１）、０５番〜０７番、１０番、１２番〜１４番、１８番、２０番、２１番の図柄が中段に位置する直前でストップスイッチ60を操作すると上段に（２１分の１０）、「赤スイカ」「青スイカ」又は「黄スイカ」のいずれかの図柄が表示される。
【０２７８】
そして、右リール43の上段に特定小役図柄が停止している場合、中リール42の上段又は中段に「赤スイカ」「青スイカ」又は「黄スイカ」が停止すると、１本の入賞ライン300で、第１特定小役グループの図柄組合せが揃う可能性が残る。この「赤スイカ」「青スイカ」又は「黄スイカ」を上段又は中段に停止できるのは、最大４コマの滑りコマ数で上段又は中段に停止可能な位置であるため、２１分の１８である。同じく、右リール43の下段に特定小役図柄が停止している場合、中リール42の中段又は下段に特定小役図柄が停止すると、１本の入賞ライン300で特定小役が揃う可能性が残る。これもまた、２１分の１８カ所となる。
【０２７９】
そして、この時点で特定小役が入賞しうる入賞ライン300が１本に限定されている。また、第１特定当選に対応した特定小役を揃えるためには、左リール41は、「赤スイカ」を停止させなくてはならない。したがって、最後に左リール41に対応するストップスイッチ60が操作される際には、最大４コマ滑りの範囲でストップスイッチ60を操作しないと、特定小役に入賞しない。この「赤スイカ」を停止できる範囲は、入賞図柄が揃うライン上に「赤スイカ」が位置するところを含めた５コマの範囲のみで、２１分の５となる。
【０２８０】
これを計算すると、
右リール43の上段に「赤スイカ」「青スイカ」又は「黄スイカ」、
“２１分の１０”×“２１分の１８”×“２１分の５”
右リール43の下段に「赤スイカ」「青スイカ」又は「黄スイカ」、
“２１分の１１”×“２１分の１８”×“２１分の５”
これを合計すると９２６１分の１８９０である。
【０２８１】
（右→左→中、特定小役）
また、右リール43の上段に特定小役図柄が停止している場合、左リール41は、「赤スイカ」の図柄を上段又は下段に停止させなくては、特定小役を入賞させることができない。また、右リール43の下段に特定小役図柄が停止している場合も、同様である。引込制御手段162が左リール41の上段又は下段に「赤スイカ」を停止させることができるのは、０番〜７番の図柄が中段に位置する直前でストップスイッチ60を操作したときであり、２１分の７カ所、となる。
【０２８２】
そして右→左と操作したときには、既に入賞しうる入賞ライン300は一本に限定されており、その入賞ライン300上に中リール42の「赤スイカ」「青スイカ」又は「黄スイカ」の図柄を停止させることができなければ、特定小役の入賞を得ることはできない。そして、１本の入賞ライン300上に「赤スイカ」「青スイカ」又は「黄スイカ」の図柄を停止させることができるのは、それぞれの図柄に対して５コマの範囲のみであり、２１分の１５である。
【０２８３】
これを計算すると、
右リール43の上段に「赤スイカ」「青スイカ」又は「黄スイカ」、
“２１分の１０”×“２１分の７”×“２１分の１５”
右リール43の下段に「赤スイカ」「青スイカ」又は「黄スイカ」、
“２１分の１１”×“２１分の７”×“２１分の１５”
これを合計すると９２６１分の２１００である。
【０２８４】
（右から操作したときの期待値合計、特定小役）
したがって、右リール43に対応するストップスイッチ60を最初に操作した場合に、特定小役が入賞する確率は、押し順を考慮すると“（３９９０／９２６１）／２”であり、特定小役は１０枚の配当を得られるため、期待値は約２．２枚となる。
【０２８５】
なお、中リール42の場合と同様に、右リール43から停止操作を行った場合、配当が高い特定小役入賞を構成する特定小役図柄を優先して引き込むように停止テーブル150が定められているため、右リール43は必ず特定小役図柄が有効な入賞ライン300上に停止し、補助小役を入賞させる可能性はなくなる。したがって、右リール43を最初に停止操作した場合には、期待値は、特定小役によって配当が得られる約２．２枚のみ、となる。
【０２８６】
（期待値のまとめ）
上記の通り、最初にどのリールに対応したストップスイッチ60を操作するかによって、得られる配当の期待値が大きく異なる。役抽選の結果が、第１特定当選となったときに、左リール41に対応するストップスイッチ60から操作をすれば約７．９枚の配当を得られるが、それ以外では、２．２枚となる。すなわち、左のストップスイッチ60から操作すべきか、中のストップスイッチ60から操作すべきか、右のストップスイッチ60から操作すべきかを、ランダムで選べば、配当の平均は４．１枚となる。
【０２８７】
このように、各回転リール40における特定小役図柄は、所定種の特定小役図柄が有効な入賞ライン300上に位置する場合には、滑りコマ数として最大値を選択しても、他の特定小役図柄を有効な入賞ライン300上に停止し得ない間隔で配置されているため、同時に狙うことができない。また、各特定小役図柄に対して、各特定小役図柄が有効な入賞ライン300上に位置する場合に滑りコマ数として最大値を選択すれば、有効な入賞ライン300上に停止し得る間隔で、補助小役図柄が配置されているため、役抽選手段140によって揃うことが許可されていない特定小役に係る特定小役図柄を狙っても、補助小役の入賞の可能性が残っていれば、補助小役図柄が有効な入賞ライン300上に停止される。
【０２８８】
また、所定の回転リール40における複数種の特定小役図柄のうち、所定種の特定小役図柄を基軸図柄として、複数種の特定小役のうち、基軸図柄が組合せの一部を構成する複数種の特定小役の集合を１の特定小役グループとしてまとめている。その上で、この基軸図柄が異なる特定小役図柄Ａ〜Ｉのそれぞれの場合を、第１〜第９特定小役グループとして複数種定めている。そして、役抽選手段140の抽選結果で、いずれの特定小役グループが許可されているか分からなければ、どの種の特定小役図柄が入賞の可能性を有するか、判別できない。
【０２８９】
また、このとき、許可された特定小役グループに対応した基軸図柄が付された回転リール40から停止を行う場合には、優先される特定小役図柄が基軸図柄１種のみである。しかし、許可された特定小役グループに対応した基軸図柄が付された回転リール40以外の特定小役図柄が付された回転リール40から停止を行う場合には、優先される特定小役図柄は複数種ある。そして、各回転リール40の配列により、特定小役図柄及び補助小役図柄が付された回転リール40を停止するときには、停止位置に応じて、特定小役と補助小役との少なくともいずれか一方に対応する図柄組合せが成立する可能性を失い、以後の回転リール40の停止においては、成立する可能性の残った図柄組合せが成立するように停止制御が行われる。特に、本実施の形態においては、許可された特定小役グループに対応した基軸図柄が付された回転リール40以外の特定小役図柄が付された回転リール40から停止を行う場合には、３種類の特定小役図柄が入賞の可能性を持ち、いずれの回転位置でストップスイッチ60の操作を行ったとしても、補助小役図柄よりも特定小役図柄が優先される結果、補助小役図柄を有効な入賞ライン300上に停止することができず、必ず、補助小役に対応する図柄組合せが成立する可能性を失ってしまう。したがって、役抽選手段140の抽選結果が同一の特定当選であっても、回転リール40を停止させる順序に応じて、所定の回転リール40における、特定小役図柄が表示できない範囲すなわち補助小役図柄を表示できる範囲が変化してしまう。
【０２９０】
例えば、役抽選手段140の抽選結果が「第１特定当選」となったときに、左リール41に対応するストップスイッチ60から操作を行えば、有効な入賞ライン300上に「赤スイカ」を停止できるときには、以後の回転リール40の停止においては特定小役を入賞できるように、また、有効な入賞ライン300上に「ベル」を停止できるときには、以後の回転リール40の停止においては補助小役を入賞できるように、停止制御を行う。また、中リール42又は右リール43に対応するストップスイッチ60から操作を行えば、有効な入賞ライン300上に「赤スイカ」「青スイカ」または「黄スイカ」を停止することができるときには特定小役を入賞できるように停止制御を行うが、「ベル」を停止できることはないため、以後の回転リール40の停止において補助小役を入賞できるように停止操作が行われることはない。つまり、左リール41から停止を行う場合には、基軸図柄を備えた左リール41の停止を行うときには、基軸図柄を有効な入賞ライン300上に停止できない範囲でも、補助小役の入賞の可能性があるために、「特定小役」「補助小役」の両方の入賞の可能性があり、配当を得られる可能性は高い。しかし、中リール42又は右リール43から停止を行った場合には、左リール41の停止を行うときには「特定小役」の入賞の可能性しかなく、基軸図柄を有効な入賞ライン300上に停止できない範囲では、入賞となる図柄配列を何も揃えられないことになる。
【０２９１】
これは、他の抽選結果の場合も同じで、役抽選手段140の抽選結果が「第１特定当選」、「第２特定当選」又は「第３特定当選」となった場合には、左リール41に対応するストップスイッチ60から、「第４特定当選」、「第５特定当選」又は「第６特定当選」となった場合には中リール42に対応するストップスイッチ60から、「第７特定当選」、「第８特定当選」又は「第９特定当選」となった場合には、右リール43に対応するストップスイッチ60から、操作を行うと、特定小役または補助小役の双方に入賞する可能性があるが、それ以外の回転リール40に対応するストップスイッチ60から操作を始めた場合には、特定小役のみが入賞する可能性がある。
【０２９２】
そして、このような制御を実現するために、停止制御手段160の有する滑りコマ数制御手段161及び引込制御手段162は、最初に操作するストップスイッチ60が、左リール41に対応するストップスイッチ60であっても、中リール42に対応するストップスイッチ60であっても、右リール43に対応するストップスイッチ60であっても、常に同一の処理を行う。すなわち、ストップスイッチ60がどのような順番で操作されても、停止制御手段160の有する滑りコマ数制御手段161及び引込制御手段162は、異なる処理を行うことなく、ストップスイッチ60の操作の順番に応じて、遊技で得られる配当の期待値を異ならせることができる。
【０２９３】
また、上記の通り、役抽選手段140は、「第１特定当選」「第２特定当選」「第３特定当選」「第４特定当選」「第５特定当選」「第６特定当選」「第７特定当選」「第８特定当選」「第９特定当選」を、ほぼ同率で定めている。そして、それぞれの特定当選は、当選に対応した基軸図柄を備えた回転リール40を最初に停止したときのみ、補助小役が揃い得るように、抽選と停止制御が行われている。したがって、「いずれの図柄を狙えば特定小役となる図柄組合せが揃えられるか分からない」ことに加え、「いずれの回転リール40から停止させれば補助小役の入賞の可能性が残るのか分からない」という状況が、ほぼ同率で創出されている。
【０２９４】
これにより、役抽選手段140の抽選結果が例えば「第１特定当選」であったとしても、役抽選手段140の抽選結果がいずれの当選となったかを報知しない限り、基軸図柄がいずれの図柄か分からず、遊技者は、いずれの特定小役図柄を狙えばよいのか分からない。その上、いずれの図柄が基軸図柄か分からないため、いずれの回転リール40が基軸図柄を備えた回転リール40か分からず、いずれの回転リール40から停止したときに、補助小役となる図柄組合せを揃い得るのか、分からない。
【０２９５】
（信号送信手段170）
信号送信手段170は、メイン制御装置101に備えられるものである。
【０２９６】
また、役抽選が行われると、信号送信手段170は、メイン制御装置101からサブ制御装置102へ、役抽選の結果を示す「抽選結果信号」を送信する。信号送信手段170がメイン制御装置101からサブ制御装置102へ抽選結果信号を送信することにより、サブ制御装置102では、役抽選の結果を認識できる。
【０２９７】
（演出制御手段190）
演出制御手段190は、演出の制御を行うためのものである。
【０２９８】
また、図１に示すように、本実施の形態では、演出制御手段190は、態様が異なる複数パターンの演出用の演出データを記憶する演出データ記憶手段192と、演出データ記憶手段192からいずれかの演出データを選択するための演出データ選択手段193と、演出データ選択手段193が選択した演出データに基づいて演出を実行するための演出実行手段194と、役抽選手段140によりいずれかの特定小役グループに対応する図柄組合せが成立することと補助小役に対応する図柄組合せが成立することとが同時に許可された場合に、許可された特定小役グループに対応した基軸図柄が付された回転リール40を報知するための報知制御手段191と、を備えている。
【０２９９】
報知制御手段191は、役抽選手段140によりいずれかの特定小役グループに対応する図柄組合せが成立することと補助小役に対応する図柄組合せが成立することとが同時に許可された場合に、許可された特定小役グループに対応した基軸図柄が付された回転リール40を報知するためのものである。
【０３００】
言い換えれば、報知制御手段191は、役抽選手段140がいずれかの特定当選を当選させたときに、いずれの回転リール40に対応するストップスイッチ60を先に操作すれば配当を得られる期待値が高くなるかの報知を行うためのものである。
【０３０１】
本実施の形態では、所定の回転リール40における複数種の特定小役図柄のうち、所定種の特定小役図柄を基軸図柄として、複数種の特定小役のうち、基軸図柄が組合せの一部を構成する複数種の特定小役の集合を１の特定小役グループとしてまとめ、その上で、基軸図柄が異なる特定小役グループを複数種定めている。また、役抽選手段140は、いずれかの特定小役グループに対応する図柄組合せが成立することと補助小役に対応する図柄組合せが成立することとを、同時に許可し得る抽選を行う。そして、役抽選手段140がいずれかの特定小役グループに対応する図柄組合せ及び補助小役に対応する図柄組合せが成立することを許可したときには、許可された特定小役グループに対応した基軸図柄が付された回転リール40から停止を行う場合には優先される特定小役図柄が１種のみである一方、許可された特定小役グループに対応した基軸図柄が付された回転リール40以外の特定小役図柄が付された回転リール40から停止を行う場合には優先される特定小役図柄が複数種あるとともに、特定小役図柄及び補助小役図柄が付された回転リール40を停止するときには、停止位置に応じて、特定小役と補助小役との少なくともいずれか一方に対応する図柄組合せが成立する可能性を失い、以後の回転リール40の停止においては、成立する可能性の残った図柄組合せが成立するように停止制御が行われるため、同一の抽選結果における同一の回転リール40であっても、回転リール40を停止させる順序に応じて、特定小役図柄が表示できない範囲すなわち補助小役図柄を表示できる範囲が変化することになる。したがって、当選した特定当選に対応する基軸図柄を備える回転リール40を先に停止した場合には、入賞の可能性を持つ特定小役図柄と異なる特定小役図柄を狙ってしまったとしても、補助小役の入賞の可能性が残るが、他の回転リール40を先に停止してしまった場合には、基軸図柄を備えた回転リール40を停止するときに、基軸図柄と異なる特定小役図柄を狙ってしまうと、入賞の可能性がなくなってしまう。
【０３０２】
このとき、いずれの特定当選が当選しているか分からなければ、基軸図柄がいずれの図柄か分からず、いずれの特定小役図柄が入賞の可能性を有するか、判別できない。その上、いずれの特定当選が当選しているか分からなければ、いずれの回転リール40が基軸図柄を備えた回転リール40か分からず、いずれの回転リール40に対応するストップスイッチ60を先に操作すれば、基軸図柄と異なる特定小役図柄を狙ってしまったとしても、補助小役の入賞の可能性を残せるか、判別できない。
【０３０３】
そこで、報知制御手段191は、役抽選手段140によりいずれかの特定小役グループに対応する図柄組合せが成立することと補助小役に対応する図柄組合せが成立することとが同時に許可された場合に、許可された特定小役グループに対応した基軸図柄が付された回転リール40を報知するためのものである。
【０３０４】
報知制御手段191は、信号送信手段170により送られてきた抽選結果信号に基づき、いずれの特定当選となったのかを、判定する。また、報知制御手段191は、許可された特定小役グループに対応した基軸図柄が付された回転リール40を報知するかしないか、所定の条件に基づき決定する。本実施の形態では、所定の条件として、報知制御手段191による報知をするかしないかの抽選を行い、その抽選結果に基づき、例えば１００ゲームなどの所定期間、報知を行う。
【０３０５】
報知制御手段191は、所定の条件を満たすと、判定された役抽選の結果に基づき、演出データ選択手段193に、役抽選の結果に対応する演出データを選択させる。そして、配当の期待値が高くなるように、許可された特定小役グループに対応した基軸図柄が付された回転リール40に対応するストップスイッチ60を操作するような演出データを、演出データ選択手段193に選択させる。このとき演出データ選択手段193により選択された演出データは、補助小役の入賞の可能性がなくなる前に、演出実行手段194により実行される。
【０３０６】
また、演出データ記憶手段192は、態様が異なる複数パターンの演出用の演出データを記憶するものである。
【０３０７】
また、演出データとは、例えば、スピーカ82から出力する音声のデータや、液晶ディスプレイ83に表示させる映像のデータや、あるいは演出用ランプ81の点滅のパターンを示すパターンデータなどを意味するものである。また、報知制御手段191により報知が行われるときに選択される演出データとしては、「左を押せ！」「中を押せ！」「右を押せ！」など、最初に操作すべきストップスイッチ60を指示する演出データや、「１××」「×１×」「××１」など数字で最初に操作すべきストップスイッチ60を示す演出データがある。
【０３０８】
また、演出データ選択手段193は、演出データ記憶手段192からいずれかの演出データを選択するためのものである。
【０３０９】
また、演出実行手段194は、演出データ選択手段193が選択した演出データに基づいて演出を実行するためのものである。
【０３１０】
また、演出は、演出用ランプ81やスピーカ82や液晶ディスプレイ83などを用いて行われる。つまり、演出制御手段190は、演出用ランプ81やスピーカ82や液晶ディスプレイ83などの動作を制御するものである。
【０３１１】
なお、本実施の形態においては、報知制御手段191によって報知の制御が行われる場合には、いかなる手段によっても、役抽選手段140によってどの種類の特定小役グループが許可されたかは、報知されない。
【０３１２】
そうすることで、回転中の図柄を識別することのできる遊技者であっても、最初に操作するべきストップスイッチ60を正しく選ぶことができないと、いずれの特定小役図柄を狙えば特定小役入賞を得られるか分からないため期待値を大きく上げることができず、図柄の識別ができない遊技者との期待値の差を小さくできる。
【０３１３】
（スロットマシン10の動作）
以下、図８ないし図１１に示すフローチャートに基づいて、本実施の形態に係るスロットマシン10の動作の概略を説明する。
【０３１４】
まず、図８に基づいて、メイン処理について説明する。メイン処理は、メイン制御装置101において行われる処理である。
【０３１５】
図８は、メイン処理の全体的な処理を表したフローチャートである。メダルの投入が可能になり、メダルの投入が行われると、このフローチャートの処理が実行される。
【０３１６】
ステップＳ１１０１において、メイン制御装置101により、スタートスイッチ50の操作が行われたか否かが判断される。スタートスイッチ50の操作が行われたと判断されると、ステップＳ１１０２に進む。一方、スタートスイッチ50の操作が行われていないと判断されると、再びステップＳ１１０１に戻り、スタートスイッチ50の操作を待つ。
【０３１７】
ステップＳ１１０２において、役抽選手段140による抽選が行われる。また、役抽選手段140による抽選が行われると、ステップＳ１１０３において、信号送信手段170により、メイン制御装置101からサブ制御装置102へ、役抽選の結果を示す「抽選結果信号」が送信される。そして、ステップＳ１１０４に進む。
【０３１８】
ステップＳ１１０４において、メイン制御装置101により、役抽選手段140の抽選結果に応じた停止テーブル150が選択される。そして、ステップＳ１１０５に進む。
【０３１９】
ステップＳ１１０５において、メイン制御装置101によりストップスイッチ60の操作が行われたか否かが判断される。ストップスイッチ60の操作が行われたと判断されると、ステップＳ１１０６に進む。一方、ストップスイッチ60の操作が行われていないと判断されると、ステップＳ１１０５に戻り、ストップスイッチ60の操作が行われるのを待つ。
【０３２０】
ステップＳ１１０６において、メイン制御装置101により、行われたストップスイッチ60の操作が、最初のストップスイッチ60の操作であるか否かが判断される。最初のストップスイッチ60の操作であると判断されると、ステップＳ１１０７に進む。一方、最初のストップスイッチ60の操作でないと判断されると、ステップＳ１１０８に進む。
【０３２１】
ステップＳ１１０７では、滑りコマ数制御手段161により、停止制御、すなわち滑りコマ数制御が行われる。この滑りコマ数制御については、後述する。そして、ステップＳ１１０９に進む。
【０３２２】
ステップＳ１１０８では、引込制御手段162により、停止制御、すなわち引込制御が行われる。この引込制御については、後述する。そして、ステップＳ１１０９に進む。
【０３２３】
ステップＳ１１０９では、メイン制御装置101により、全ての回転リール40が停止したか否か、すなわち、停止すべき回転リール40が他にないかが判断される。全ての回転リール40が停止している、すなわち停止すべき回転リール40が他にないと判断されると、ステップＳ１１１０に進む。一方、全ての回転リール40が停止していない、すなわち他に停止すべきリールがあると判断されると、ステップＳ１１０５に戻り、ストップスイッチ60の操作を待つ。
【０３２４】
ステップＳ１１１０では、入賞判定手段120により、停止した回転リール40の図柄組合せがいずれかの入賞となる図柄組合せとなっているか否かが判断される。そして、ステップＳ１１１１に進む。
【０３２５】
ステップＳ１１１１では、払出制御手段130により、入賞制御手段により入賞と判定された入賞の種類に基づき、配当が払い出される。なお、入賞なしと判断された場合は、払い出しは行われない。
【０３２６】
そして、１の遊技が終了し、投入待ちの状態となり、図８のフローチャートの処理は終了する。
【０３２７】
続いて、図９のフローチャートに基づき、ステップＳ１１０７の滑りコマ数制御について、詳しく説明する。
【０３２８】
ステップＳ１２０１において、滑りコマ数制御手段161により、選択された停止テーブル150の読み出しが行われる。そして、ステップＳ１２０２に進む。
【０３２９】
ステップＳ１２０２において、メイン制御装置101により、いずれの回転リール40に対応したストップスイッチ60の操作が行われたのかが判定される。そして、ステップＳ１２０３に進む。
【０３３０】
ステップＳ１２０３において、メイン制御装置101により、操作されたストップスイッチ60に対応する回転リール40の、回転位置を検出する。そしてステップＳ１２０４に進む。
【０３３１】
ステップＳ１２０４において、滑りコマ数制御手段161により、選択された停止テーブル150の中から、操作されたストップスイッチ60に対応した回転リール40の、検出された回転位置に対応した滑りコマ数データを読み出す。そして、ステップＳ１２０５に進む。
【０３３２】
ステップＳ１２０５において、滑りコマ数制御手段161により、読み出された滑りコマ数データを、滑りコマ数として設定する。そしてステップＳ１２０６に進む。
【０３３３】
ステップＳ１２０６において、メイン制御装置101により、設定された滑りコマ数分の回転リール40の回転が行われ、その後、停止される。
【０３３４】
そして、回転リール40の回転が停止し、滑りコマ数制御が終了する。
【０３３５】
続いて、図１０のフローチャートに基づき、ステップＳ１１０８の引込制御について、詳しく説明する。
【０３３６】
ステップＳ１３０１において、メイン制御装置101により、いずれの回転リール40に対応したストップスイッチ60の操作が行われたのかが判定される。そして、ステップＳ１３０２に進む。
【０３３７】
ステップＳ１３０２において、メイン制御装置101により、操作されたストップスイッチ60に対応する回転リール40の、回転位置を検出する。そしてステップＳ１３０３に進む。
【０３３８】
ステップＳ１３０３において、引込制御手段162により、判定用コマ数が０に設定される。引込制御手段162は、この「判定用コマ数」を１つずつ更新しながら、「判定用コマ数」を滑りコマ数として選択することが最適か否か判定を繰り返すことで、最終的に滑りコマ数を決定する。そして、ステップＳ１３０４に進む。
【０３３９】
ステップＳ１３０４において、引込制御手段162により、検出された回転位置から判定用コマ数分の回転をさせた後に回転リール40を停止させた場合に、有効な入賞ライン300上に入賞図柄組合せが揃う可能性があるか否かが判断される。そして、入賞図柄組合せが揃う可能性があると判断されると、ステップＳ１３０５に進む。一方、入賞図柄組合せが揃う可能性がないと判断されると、ステップＳ１３１０に進む。
【０３４０】
ステップＳ１３０５において、引込制御手段162により、揃う可能性があると判断された入賞図柄組合せが、役抽選手段140により揃うことが許可された役に対応するものであるか否か、すなわち、揃って良い入賞図柄組合せであるか否かが判断される。この判断は、許可フラグ記憶手段に記憶された許可フラグに基づき行う。そして、揃って良い入賞図柄組合せであると判断されると、ステップＳ１３０６に進む。一方、揃って良い入賞図柄組合せではないと判断されると、ステップＳ１３０９に進む。なお、許可された役に対応する入賞図柄組合せと許可されていない役に対応する入賞図柄組合せとが同時に揃ってしまう可能性がある場合は、ステップＳ１３０９に進むように処理が行われる。
【０３４１】
ステップＳ１３０６において、引込制御手段162により、既に記憶されている入賞図柄組合せに対応する役の配当（記憶されているものがなければ、０と仮定）と、新たに入賞する可能性があると判断された役の配当とが、比較される。そして、ステップＳ１３０７に進む。
【０３４２】
ステップＳ１３０７において、配当の比較の結果、新たに入賞する可能性がある入賞図柄組合せを揃えた方が高い配当が得られると判断された場合には、ステップＳ１３０８に進む。一方、既に記憶されている入賞図柄組合せに対応する役を揃えた方が高い配当が得られる、または変わらないと判断された場合には、何もせずに、ステップＳ１３１２に進む。
【０３４３】
ステップＳ１３０８において、引込制御手段162により、入賞する可能性がある入賞図柄組合せに対応した役の種類と、その入賞図柄組合せを揃えるために必要な滑りコマ数（判定用コマ数の値）を、滑りコマ予定数として上書き記憶する。そして、ステップＳ１３１２に進む。
【０３４４】
ステップＳ１３０９において、メイン制御装置101により、操作されたストップスイッチ60が、最後のストップスイッチ60の操作であるか否かが判断される。最後のストップスイッチ60の操作でないと判断されると、ステップＳ１３１０に進む。一方、最後のストップスイッチ60の操作であると判断されると、許可されていない役が揃ってしまう可能性があるため、その判定用コマ数を滑りコマ数として選択しないように、何もせずに、ステップＳ１３１２に進む。
【０３４５】
ステップＳ１３１０において、引込制御手段162により、既に滑りコマ予定数の設定があるか否か（例えば、滑りコマ予定数の初期値を１６進数のFFなどとして、０〜４の値に書き換えられているか？）を判定する。滑りコマ予定数がまだ設定されていなければ、ステップＳ１３１１に進む。一方、既に滑りコマ予定数の設定があれば、滑りコマ予定数の変更は行わず、ステップＳ１３１２に進む。
【０３４６】
ステップＳ１３１１において、引込制御手段162により、許可されていない役が揃わないような滑りコマ数（判定用コマ数の値）を、滑りコマ予定数として記憶する。このとき、役の種類は記憶されることがないため、滑りコマ予定数を記憶しても、ステップＳ１３０６〜ステップＳ１３０８の処理にて、滑りコマ予定数が上書きされる可能性がある。そして、ステップＳ１３１２に進む。
【０３４７】
ステップＳ１３１２において、引込制御手段162により、判定用コマ数に１を加算して、更新が行われる。そして、ステップＳ１３１３に進む。
【０３４８】
ステップＳ１３１３において、引込制御手段162により、判定用コマ数が４を超えたか否か、すなわち、滑りコマ数として設定できる最大値を超えたか否かが判断される。そして、最大値を超えていると判断されると、ステップＳ１３１４に進む。一方最大値を超えていないと判断されると、ステップＳ１３０４に戻り、判定用コマ数が上限値に達するまで、新たに入賞図柄組合せが揃う可能性がないか否かの判断が繰り返される。なお、各回転リール40は、０〜４の滑りコマ数を選択すれば上記判定処理の中で必ず停止可能な位置を設定できるように、配列がなされている。
【０３４９】
ステップＳ１３１４において、設定されている滑りコマ予定数を、選択すべき滑りコマ数として設定する。そして、ステップＳ１３１５に進む。
【０３５０】
ステップＳ１３１５において、メイン制御装置101により、設定された滑りコマ数分の回転リール40の回転が行われ、その後、停止される。
【０３５１】
そして、回転リール40の回転が停止し、引込制御が終了する。
【０３５２】
また、図１１を用いて、報知制御について説明する。
【０３５３】
ステップＳ１４０１において、サブ制御装置102は、役抽選手段140の抽選結果を示す「抽選結果信号」を受信したか否かの判定を行う。そして、「抽選結果信号」を受信したと判定されると、Ｓ１４０２に進む。一方、「抽選結果信号」を受信していないと判定されると、何も処理を行わず、報知制御処理は終了する。
【０３５４】
ステップＳ１４０２において、報知制御手段191により、報知を行うか否かの判定が行われる。これは、所定の条件を満たしているか否かの判定を行うことにより、報知を行うか否かを判定する。そして、報知を行うと判定されると、ステップＳ１４０３に進む。一方、報知を行わないと判定されると、報知は行わずに、報知制御処理を終了する。
【０３５５】
ステップＳ１４０３において、報知制御手段191は、演出データ選択手段193に、抽選結果信号に対応したデータを選択させる。なお、このとき報知制御手段191により選択されるのは、特定当選に対応した演出データである。それ以外の抽選結果の場合は、図示を省略するが、報知制御処理とは異なる処理の中で、サブ制御装置102により、抽選結果に対応した演出データが選択され演出が実行される。そして、ステップＳ１４０４に進む。
【０３５６】
ステップＳ１４０４において、演出実行手段194により、選択された演出データが演出として実行される。
【０３５７】
そして、報知制御が終了される。
【０３５８】
以上説明したように、本実施の形態では、ストップスイッチ60を操作する順番によって、停止制御処理を変えることなく、操作の順番による期待値の変更を実現できる。また、役抽選手段140の抽選処理の負荷や、役抽選手段140の持つ役抽選のためのデータ領域が、必要以上に増えることもない。
【０３５９】
なお、本実施の形態では、停止制御手段160により、最初のストップスイッチ60の操作の際には滑りコマ数制御手段161により、停止テーブル150を用いた停止制御を行うものとしたが、最初のストップスイッチ60の操作に対しても、滑りコマ数制御手段161による制御に代えて、引込制御手段162による停止制御処理を実行するものとしても良い。また、逆に、最初のストップスイッチ60以外の操作の際には、引込制御手段162による停止制御を行うものとしたが、最初のストップスイッチ60以外の操作に対しても、滑りコマ数制御手段161による停止テーブル150を用いた制御を行っても良い。このとき、停止テーブル150は、既に停止した回転リール40の停止位置に応じて、異なる停止テーブル150を選択できるように、多数の停止テーブル150を定めることができる。
【０３６０】
また、本実施の形態では、最初にストップスイッチ60を操作した回転リール40が基軸図柄を付した回転リール40であり、かつ、基軸図柄が特定小役入賞を成立し得ない回転位置である場合には、必ず補助小役入賞となる可能性を有するように「ベル」の図柄を配置している。すなわち、ある種の特定小役図柄を狙って最初のストップスイッチ60の操作を行うと、その特定小役図柄に係る入賞図柄組合せの成立が許可されていなかったとしても（狙った図柄が間違っていても）、同時に補助小役の成立が許可されていれば、補助小役の成立の可能性が残るように、各回転リール40の図柄が付されている。しかし、例えば、「赤スイカ」を狙って最初のストップスイッチ60を操作すると、「赤スイカ」も「ベル」も入賞不可能な位置が存在するようにように、「ベル」の図柄を配置しても構わない。例えば、図４の回転リール40において、左リール41の１９番、２０番の「ベル」をなくしてしまう。こうすると、「赤スイカ」が入賞不可能なときに、「赤スイカ」を狙って０５番〜０７番の図柄が中段に位置する直前でストップスイッチ60を操作すると「ベル」の図柄を停止できるが、０１番〜０４番の図柄が中段に位置する直前でストップスイッチ60を操作して「赤スイカ」を狙うと、「ベル」を停止することはできない。すなわち、複数種の特定小役図柄を備えた回転リール40は、各回転リール40において、ストップスイッチ60が操作されたときに所定種の特定小役図柄が特定小役を成立し得る回転位置である場合には停止制御手段160が予め定めた最大限の範囲内で回転リール40を回転させたとしても所定種以外の特定小役図柄が特定小役を成立し得ない間隔で２種以上の特定小役図柄、及び、ストップスイッチ60が操作されたときに所定種の特定小役図柄が特定小役を成立し得ない回転位置に対応した位置に、所定種以外の特定小役図柄が特定小役を成立させる可能性がある停止位置となるときには同時に補助小役を成立し得ない間隔をおいて、各種特定小役図柄に対応した複数の補助小役図柄が付されていれば良く、必ずしも、特定小役入賞又は補助小役入賞となる図柄組合せが成立する可能性を持つように配列されていなくても良い。
【０３６１】
（第２の実施の形態）
次に、本発明の第２の実施の形態について説明する。なお、図１２〜図１７は、本発明の第２の実施の形態を示すものである。
【０３６２】
図１２は、遊技機のブロック図、図１３は、回転リール40に付された図柄の配列図、図１４は、特定小役グループ及び特定当選の一覧を示す図、図１５は、停止制御において使用される引込優先順位テーブル151の一例の図、図１６及び図１７は、遊技機の動作の概略を示すフローチャートである。
【０３６３】
第２の実施の形態に係る遊技機も、第１の実施の形態と同様に、スロットマシン10である。本実施の形態では、図１２のブロック図に示すように、停止制御手段160の構成が異なり、停止テーブル150に代わり引込優先順位テーブル151を備えている。
【０３６４】
本実施の形態では、入賞ラインは、左リール中図柄202と中リール中図柄205と右リール中図柄208とを通る「第１入賞ライン301」の１本のみである。この第１入賞ライン301上に、所定の図柄組合せが並ぶと、役となり、入賞と判定され、役に応じた配当が得られたり、所定の遊技状態に変更されたり、メダルの投入なしに再度の遊技が実行可能になったりする。
【０３６５】
また、本実施の形態では、図１３及び図１４に示す通り、特定小役図柄は、左リール41に付された「赤スイカ」及び「青スイカ」、右リール43に付された「赤スイカ」及び「青スイカ」の４種類のみである。左リール41に付された「赤スイカ」が特定小役図柄Ｗ、左リール41に付された「青スイカ」の図柄が特定小役図柄Ｘ、右リール43に付された「赤スイカ」の図柄が特定小役図柄Ｙ、右リール43に付された「青スイカ」の図柄が特定小役図柄Ｚとなっている。
【０３６６】
そして、左リール41の「赤スイカ」と右リール43の「赤スイカ」とが入賞ライン300上に停止すると、中リール42のいかなる図柄が入賞ライン300上に停止しても、第１特定小役の入賞となる。また、左リール41の「赤スイカ」と右リール43の「青スイカ」とが入賞ライン300上に停止すると、中リール42のいかなる図柄が入賞ライン300上に停止しても、第２特定小役の入賞となる。また、左リール41の「青スイカ」と右リール43の「赤スイカ」とが入賞ライン300上に停止すると、中リール42のいかなる図柄が入賞ライン300上に停止しても、第３特定小役の入賞となる。また、左リール41の「青スイカ」と右リール43の「青スイカ」とが入賞ライン300上に停止すると、中リール42のいかなる図柄が入賞ライン300上に停止しても、第４特定小役の入賞となる。
【０３６７】
また、入賞判定手段120により、第１〜第４特定小役のいずれかの入賞と判定されると、払出制御手段130は、１０枚の配当を払い出す。
【０３６８】
また、本実施の形態では、第１特定小役と第２特定小役とを、第１特定小役グループとして定めている。また、第３特定小役と第４特定小役とを、第２特定小役グループとして定めている。また、第１特定小役と第３特定小役とを、第３特定小役グループとして定めている。また、第２特定小役と第４特定小役とを、第４特定小役グループとして定めている。
【０３６９】
そして、役抽選手段140は、図１４に示すように第１特定当選として、第１特定小役グループの図柄組合せと補助小役の図柄組合せとが成立することを、同時に許可する。また、役抽選手段140は、第２特定当選として、第２特定小役グループの図柄組合せと補助小役の図柄組合せとが成立することを、同時に許可する。さらに、第３特定当選、第４特定当選としてそれぞれ同様に特定小役グループと補助小役とを同時に許可する。
【０３７０】
また、図１２に示すように、本実施のメイン制御装置101は引込優先順位テーブル151のデータを備えている。停止制御手段160は、滑りコマ数制御手段161及び引込制御手段162に代わり、優先制図柄制御手段163を備えている。
【０３７１】
上記以外の点については、本実施の形態に係るスロットマシン10も、第１の実施の形態と同様である。
【０３７２】
（引込優先順位テーブル151）
引込優先順位テーブル151は、停止制御の際に参照されるもので、停止させるべき役に対応した図柄組合せの優先順位を予め定めたものである。
【０３７３】
また、引込優先順位テーブル151は、配当が定められた役同士では配当が高い役が優先して成立するように、配当が高い役の図柄組合せの優先順位を高く定めてある。
【０３７４】
また、図１５に示すように、本実施の形態では、第１特定小役と、第２特定小役と、第３特定小役と、第４特定小役との間では優先順位は特に定めていない。これは、第１〜第４特定小役が、同時に成立が許可される抽選を行わないからである。また、第１〜第４特定小役と、補助小役との間では、第１〜第４特定小役が優先して成立するように、その優先順位を定めている。
【０３７５】
（優先図柄制御手段163）
優先図柄制御手段163は、各回転リール40の停止制御を行うためのものである。
【０３７６】
また、優先図柄制御手段163は、役抽選手段140の抽選結果と、各ストップスイッチ60が操作されたときの対応する回転リール40の回転位置とに基づいて、各回転リール40の停止制御を行う。また、優先図柄制御手段163は、各回転リール40について、役抽選手段140の抽選結果と各ストップスイッチ60が操作されたときの対応する回転リール40の回転位置とに基づいて、４コマの範囲内で当該回転位置から回転させ続ければ許可された図柄組合せを成立させる可能性を有する場合には、許可された図柄組合せが成立し得る停止位置となるように、４コマの範囲内で、回転リール40を回転させた後に停止させる停止制御を行うものである。
【０３７７】
また、優先図柄制御手段163は、払出制御手段130により払い出される配当の多い役となる図柄組合せが優先して成立し得るように停止制御を行うものである。優先図柄制御手段163は、役抽選手段140によりセットされた許可フラグに対応する役が、極力入賞し得るように、かつ、セットされていない許可フラグに対応する役が揃わないように、各回転リール40の停止制御を行う。
【０３７８】
具体的には、優先図柄制御手段163は、各回転リール40について、役抽選手段140の抽選結果と各ストップスイッチ60が操作されたときの対応する回転リール40の回転位置とに基づいて、４コマの範囲内で当該回転位置から回転させ続ければ許可された図柄組合せを成立させる可能性を有する場合には、許可された図柄組合せが成立し得る停止位置となるように、４コマの範囲内で、許可された図柄組合せが成立し得る回転位置までの滑りコマ数を設定し、設定された滑りコマ数分回転リール40を回転させた後に、停止させる。
【０３７９】
また、優先図柄制御手段163は、最後に停止させる回転リール40について、役抽選手段140の抽選結果と各ストップスイッチ60が操作されたときの対応する回転リール40の回転位置とに基づいて、当該回転位置から４コマ以内で回転した場合に、有効な入賞ライン300上に停止している図柄との組み合わせで、許可されていない役が揃ってしまう場合には、許可されていない役が揃わない滑りコマ数を設定し、設定された滑りコマ数分回転リール40を回転させた後に、停止させる。なお、本実施の形態では、優先図柄制御手段163は、役抽選手段140で許可された役が揃う位置且つ役抽選手段140で許可されていない役も揃ってしまう位置では停止しないように、滑りコマ数を選択する。
【０３８０】
優先図柄制御手段163は、役抽選手段140の抽選結果と、ストップスイッチ60が操作された回転リール40の回転位置に基づき、４コマの範囲内で当該回転位置から回転させ続ければ許可された図柄組合せを成立させる可能性を有するか否かを、１コマずつ、判定する。
【０３８１】
具体的には、優先図柄制御手段163は、ストップスイッチ60が操作された回転位置から、滑りコマ数「０」で回転リール40を停止させたときに、入賞となる図柄組合せが成立する可能性があるか否か、判定を行う。このとき、役抽選手段140により許可された図柄組合せが揃うと判定されると、成立する可能性のある図柄組合せと共に、滑りコマ数「０」を選択すべき滑りコマ数として保留する。また、役抽選手段140により許可されていない図柄組合せが成立してしまうと判定される場合は、それが、最後の停止か否かが判定される。最後の停止でなければ、滑りコマ数「０」を選択しても図柄組合せはまだ確定しないので、選択すべき滑りコマ数を「０」として保留する。一方、それが最後の停止である場合には、滑りコマ数「０」を選択してしまうと、揃ってはならない図柄組合せが揃ってしまうことになるため、滑りコマ数「０」は保留しない。また、図柄組合せが揃ってしまう可能性がない場合には、滑りコマ数「０」を保留する。
【０３８２】
続いて、優先図柄制御手段163は、ストップスイッチ60が操作された回転位置から、滑りコマ数「１」を選択して回転リール40を停止させたときに、入賞となる図柄組合せが揃う可能性があるか否か、判定を行う。このとき、役抽選手段140により許可された図柄組合せが成立する可能性があると判定された場合は、既に、他に保留されている図柄組合せがないか（既に図柄が揃う可能性があると判定されていないか）を判定する。そして、既に保留されている図柄組合せがある場合には、引込優先順位テーブル151を参照して、新たに入賞の可能性があると判定された図柄組合せとどちらの方が優先順位が上か、比較を行う。そして、新たな図柄組合せの方が優先順位が高いと判断された場合には、既に保留されている滑りコマ数の値を破棄し、新たな組合せと共に、滑りコマ数「１」を保留する。一方、新たな組合せの方が優先順位が低いと判断された場合には、保留はしない。また、役抽選手段140により許可されていない図柄組合せが成立してしまうと判定される場合には、それが、最後の停止か否かが判定される。最後の停止でなければ、既に保留されている滑りコマ数はないかが判定され、保留されている滑りコマ数がある場合には、滑りコマ数「１」は保留しない。また、最後の停止でなければ滑りコマ数「１」を停止させても問題はないため、保留されている滑りコマ数がない場合には、滑りコマ数「１」を滑りコマ数として、保留する。一方、最後の停止である場合には、滑りコマ数「１」を選択してしまうと、揃ってはならない図柄組合せが揃ってしまうことになるため、滑りコマ数「１」は保留しない。また、図柄組合せが揃ってしまう可能性がない場合には、既に保留されている滑りコマ数がないかを、判定する。保留されている滑りコマ数がない場合には、滑りコマ数「１」を保留し、保留されている滑りコマ数がある場合には、保留をしない。
【０３８３】
その後も、滑りコマ数「１」のときと同様に、滑りコマ数「２」「３」「４」と値を変えて判定を行う。なお、滑りコマ数「０」〜「４」のいずれかを選択すれば必ず停止できるように、各回転リール40の配列が定められている。
【０３８４】
このように、優先図柄制御手段163は、４コマの範囲内で１コマずつ停止可否の判定を行い、許可された図柄組合せが成立し得る停止位置となるように、許可された図柄組合せが成立し得る回転位置までの滑りコマ数を設定する。そして、設定された滑りコマ数分、回転リール40を回転させた後停止を行うことで、配当の高い役に対応する図柄組合せを優先させて、停止制御を行う。
【０３８５】
（スロットマシン10の動作）
以下、図１６及び図１７に示すフローチャートに基づいて、本実施の形態に係るスロットマシン10の動作の概略を説明する。
【０３８６】
まず、図１６に基づいて、メイン処理について説明する。メイン処理は、メイン制御装置101において行われる処理である。
【０３８７】
図１６は、メイン処理の全体的な処理を表したフローチャートである。メダルの投入が可能になり、メダルの投入が行われると、このフローチャートの処理が実行される。
【０３８８】
ステップＳ２１０１において、メイン制御装置101により、スタートスイッチ50の操作が行われたか否かが判断される。スタートスイッチ50の操作が行われたと判断されると、ステップＳ２１０２に進む。一方、スタートスイッチ50の操作が行われていないと判断されると、再びステップＳ２１０１に戻り、スタートスイッチ50の操作を待つ。
【０３８９】
ステップＳ２１０２において、役抽選手段140による抽選が行われる。また、役抽選手段140による抽選が行われると、ステップＳ２１０３において、信号送信手段170により、メイン制御装置101からサブ制御装置102へ、役抽選の結果を示す「抽選結果信号」が送信される。そして、ステップＳ２１０４に進む。
【０３９０】
ステップＳ２１０４において、メイン制御装置101によりストップスイッチ60の操作が行われたか否かが判断される。ストップスイッチ60の操作が行われたと判断されると、ステップＳ２１０５に進む。一方、ストップスイッチ60の操作が行われていないと判断されると、ステップＳ２１０４に戻り、ストップスイッチ60の操作が行われるのを待つ。
【０３９１】
ステップＳ２１０５では、優先図柄制御手段163により、停止制御、すなわち優先図柄制御が行われる。この優先図柄制御については、後述する。そして、ステップＳ２１０６に進む。
【０３９２】
ステップＳ２１０６では、メイン制御装置101により、全ての回転リール40が停止したか否か、すなわち、停止すべき回転リール40が他にないかが判断される。全ての回転リール40が停止している、すなわち停止すべき回転リール40が他にないと判断されると、ステップＳ２１０７に進む。一方、全ての回転リール40が停止していない、すなわち他に停止すべきリールがあると判断されると、ステップＳ２１０４に戻り、ストップスイッチ60の操作を待つ。
【０３９３】
ステップＳ２１０７では、入賞判定手段120により、停止した回転リール40の図柄組合せがいずれかの入賞となる図柄組合せとなっているか否かが判断される。そして、ステップＳ２１０８に進む。
【０３９４】
ステップＳ２１０８では、払出制御手段130により、入賞制御手段により入賞と判定された入賞の種類に基づき、配当が払い出される。なお、入賞なしと判断された場合は、払い出しは行われない。
【０３９５】
そして、１の遊技が終了し、投入待ちの状態となり、図１６のフローチャートの処理は終了する。
【０３９６】
続いて、図１７のフローチャートに基づき、停止制御について、説明する。
【０３９７】
ステップＳ２２０１において、メイン制御装置101により、いずれの回転リール40に対応したストップスイッチ60の操作が行われたのかが判定される。そして、ステップＳ２２０２に進む。
【０３９８】
ステップＳ２２０２において、メイン制御装置101により、操作されたストップスイッチ60に対応する回転リール40の、回転位置を検出する。そしてステップＳ２２０３に進む。
【０３９９】
ステップＳ２２０３において、優先図柄制御手段163により、判定用コマ数が０に設定される。優先図柄制御手段163は、この「判定用コマ数」を１つずつ更新しながら、「判定用コマ数」を滑りコマ数として選択することが最適か否か判定を繰り返すことで、最終的に滑りコマ数を決定する。そして、ステップＳ２２０４に進む。
【０４００】
ステップＳ２２０４において、優先図柄制御手段163により、検出された回転位置から判定用コマ数分の回転をさせた後に回転リール40を停止させた場合に、有効な入賞ライン300上に入賞図柄組合せが揃う可能性があるか否かが判断される。そして、入賞図柄組合せが揃う可能性があると判断されると、ステップＳ２２０５に進む。一方、入賞図柄組合せが揃う可能性がないと判断されると、ステップＳ２２１０に進む。
【０４０１】
ステップＳ２２０５において、優先図柄制御手段163により、揃う可能性があると判断された入賞図柄組合せが、役抽選手段140により揃うことが許可された役に対応するものであるか否か、すなわち、揃って良い入賞図柄組合せであるか否かが判断される。この判断は、許可フラグ記憶手段に記憶された許可フラグに基づき行う。そして、揃って良い入賞図柄組合せであると判断されると、ステップＳ２２０６に進む。一方、揃って良い入賞図柄組合せではないと判断されると、ステップＳ２２０９に進む。なお、許可された役に対応する入賞図柄組合せと許可されていない役に対応する入賞図柄組合せとが同時に揃ってしまう可能性がある場合には、ステップＳ２２０９に進むように、処理が行われる。
【０４０２】
ステップＳ２２０６において、優先図柄制御手段163により、引込優先順位テーブル151が参照され、既に記憶されている入賞図柄組合せと新たに揃う可能性があると判断された図柄組合せとの優先順位が、比較される。そして、ステップＳ２２０７に進む。
【０４０３】
ステップＳ２２０７において、比較の結果、新たに入賞する可能性がある図柄組合せの方が、優先順位が高いと判断された場合には、ステップＳ２２０８に進む。一方、既に記憶されている入賞図柄組合せの方が優先順位が高い、または同じと判断された場合には、何もせずに、ステップＳ２２１２に進む。
【０４０４】
ステップＳ２２０８において、優先図柄制御手段163により、優先順位が高いと判定された入賞図柄組合せの種類と、その入賞図柄組合せを揃えるために必要な滑りコマ数（判定用コマ数の値）を、滑りコマ予定数として上書き記憶する。そして、ステップＳ２２１２に進む。
【０４０５】
ステップＳ２２０９において、メイン制御装置101により、操作されたストップスイッチ60が、最後のストップスイッチ60の操作であるか否かが判断される。最後のストップスイッチ60の操作でないと判断されると、ステップＳ２２１０に進む。一方、最後のストップスイッチ60の操作であると判断されると、許可されていない役が揃ってしまう可能性があるため、その判定用コマ数を滑りコマ数として選択しないように、何もせずに、ステップＳ２２１２に進む。
【０４０６】
ステップＳ２２１０において、優先図柄制御手段163により、既に滑りコマ予定数の設定があるか否か（例えば、滑りコマ予定数の初期値を１６進数のFFなどとして、０〜４の値に書き換えられているか？）を判定する。滑りコマ予定数がまだ設定されていなければ、ステップＳ２２１１に進む。一方、既に滑りコマ予定数の設定があれば、滑りコマ予定数の変更は行わず、ステップＳ２２１２に進む。
【０４０７】
ステップＳ２２１１において、優先図柄制御手段163により、許可されていない役が揃わないような滑りコマ数（判定用コマ数の値）を、滑りコマ予定数として記憶する。このとき、役の種類（入賞図柄組合せの種類）が記憶されることはないため、滑りコマ予定数を記憶しても、ステップＳ２２０６〜ステップＳ２２０８の処理にて、滑りコマ予定数が上書きされることがある。そして、ステップＳ２２１２に進む。
【０４０８】
ステップＳ２２１２において、優先図柄制御手段163により、判定用コマ数に１を加算して、更新が行われる。そして、ステップＳ２２１３に進む。
【０４０９】
ステップＳ２２１３において、優先図柄制御手段163により、判定用コマ数が４を超えたか否か、すなわち、滑りコマ数として設定できる最大値を超えたか否かが判断される。そして、最大値を超えていると判断されると、ステップＳ２２１４に進む。一方最大値を超えていないと判断されると、ステップＳ２２０４に戻り、判定用コマ数が上限値に達するまで、新たに入賞図柄組合せが揃う可能性がないか否かの判断が繰り返される。なお、各回転リール40は、０〜４の滑りコマ数を選択すれば上記判定処理の中で必ず停止可能な位置を設定できるように、配列がなされている。
【０４１０】
ステップＳ２２１４において、設定されている滑りコマ予定数を、選択すべき滑りコマ数として設定する。そして、ステップＳ２２１５に進む。
【０４１１】
ステップＳ２２１５において、メイン制御装置101により、設定された滑りコマ数分の回転リール40の回転が行われ、その後、停止される。
【０４１２】
そして、回転リール40の回転が停止し、停止制御が終了する。
【０４１３】
このように、本実施の形態は、図柄の揃う入賞ラインを１本にし、判定と制御を容易にしている。
【０４１４】
また、停止制御において、どの図柄を優先して停止するかを予め定めてテーブルデータとして保持しているため、優先順位を判定するための処理が早くなる。
【０４１５】
以上のように、本発明は、単純な制御によって期待値の変化を実現することを目的としたものであるが、この目的を逸脱しない限りにおいて、種々の変更が可能である。
【０４１６】
例えば停止位置や滑りコマ数のバリエーションを増やすために、ストップスイッチ60の操作タイミングや操作順番、ゲームの状況などに応じて、異なる制御方法で停止制御を行うようにしても良い。また、同じ制御方法であっても、抽選などに応じて、異なる滑りコマ数や停止位置が選択されるように停止制御手段160を形成しても良い。本発明は、期待値の変化を実現するために単純な制御を実現したので、そのように停止制御のバリエーションを出すための制御処理やデータを増やすことができる。
【０４１７】
また、上記の実施の形態における、滑りコマ数制御手段161、引込制御手段162、優先図柄制御手段163は、停止制御手段160の一例に過ぎず、役抽選手段140の抽選結果と各ストップスイッチ60が操作されたときの対応する回転リール40の回転位置とに基づいて、予め定めた最大限の範囲内で当該回転位置から回転させ続ければ許可された図柄組合せを成立させる可能性を有する場合には、許可された図柄組合せが成立し得る停止位置となるように、予め定めた最大限の範囲内で、回転リール40を回転させた後に停止させる停止制御を行うものであり、払出制御手段130により払い出される配当の多い役となる図柄組合せが優先して成立し得るように停止制御を行うものであれば、この他の手段を用いることができる。
【０４１８】
また、上記の実施の形態では、補助小役図柄を「ベル」の図柄１種類としたが、特定小役図柄のように複数種としても良い。また、特定小役は、いかなる図柄の組合せでも配当を同じとしたが、同色の「スイカ」が揃ったときにだけ１５枚の払い出しを行うなど、異なる配当を払い出すものとしても良い。また、補助小役を複数種としたときも、同様に、異なる配当を払い出すものとすることもができる。ただし、最も配当が多い補助小役であっても、最も配当が少ない特定小役よりは、配当が少ない。
【図面の簡単な説明】
【０４１９】
【図１】本発明の第１の実施の形態に係る遊技機のブロック図。
【図２】本発明の第１の実施の形態に係る遊技機の外観図。
【図３】本発明の第１の実施の形態に係る遊技機の図柄表示窓、出目および入賞ラインの概念図。
【図４】本発明の第１の実施の形態に係る遊技機の回転リールに付された図柄の配列図。
【図５】本発明の第１の実施の形態に係る遊技機の停止テーブルの一例の図。
【図６】本発明の第１の実施の形態に係る遊技機の特定小役グループ及び特定当選の一覧を示す図。
【図７】本発明の第１の実施の形態に係る遊技機の抽出された乱数と特定当選の当選範囲との関係の一例を示す図。
【図８】本発明の第１の実施の形態に係る遊技機の動作の概略を示すフローチャート。
【図９】本発明の第１の実施の形態に係る遊技機の動作の概略を示すフローチャート。
【図１０】本発明の第１の実施の形態に係る遊技機の動作の概略を示すフローチャート。
【図１１】本発明の第１の実施の形態に係る遊技機の動作の概略を示すフローチャート。
【図１２】本発明の第２の実施の形態に係る遊技機のブロック図。
【図１３】本発明の第２の実施の形態に係る遊技機の回転リールに付された図柄の配列図。
【図１４】本発明の第２の実施の形態に係る遊技機の特定小役グループ及び特定当選の一覧を示す図。
【図１５】本発明の第２の実施の形態に係る遊技機の引込優先順位テーブルの一例の図。
【図１６】本発明の第２の実施の形態に係る遊技機の動作の概略を示すフローチャート。
【図１７】本発明の第２の実施の形態に係る遊技機の動作の概略を示すフローチャート。
【符号の説明】
【０４２０】
10  スロットマシン                      20  筐体
21  前扉                                22  上パネル
23  中パネル                            24  下パネル
25  操作部                              26  図柄表示窓
30  リールユニット                      40  回転リール
41  左リール                            42  中リール
43  右リール                            50  スタートスイッチ
60  ストップスイッチ                    70  ベットスイッチ
71  シングルベットスイッチ              72  マックスベットスイッチ
73  キャンセルスイッチ                  81  演出用ランプ
82  スピーカ                            83  液晶ディスプレイ
85  投入口                              86  払出口
87  受け皿                              90  クレジット数表示装置
95  投入検出センサー
100  制御装置                          101  メイン制御装置
102  サブ制御装置
110  遊技制御手段                      120  入賞判定手段
130  払出制御手段                      140  役抽選手段
150  停止テーブル                      151  引込優先順位テーブル
160  停止制御手段                      161  滑りコマ数制御手段
162  引込制御手段                      163  優先図柄制御手段
170  信号送信手段
190  演出制御手段                      191  報知制御手段
192  演出データ記憶手段                193  演出データ選択手段
194  演出実行手段
201  左リール上図柄                    202  左リール中図柄
203  左リール下図柄                    204  中リール上図柄
205  中リール中図柄                    206  中リール下図柄
207  右リール上図柄                    208  右リール中図柄
209  右リール下図柄
300  入賞ライン                        301  第１入賞ライン
302  第２入賞ライン                    303  第３入賞ライン
304  第４入賞ライン                    305  第５入賞ライン
【図１】
0005237611.tif 000002
【図２】
0005237611.tif 000003
【図３】
0005237611.tif 000004
【図４】
0005237611.tif 000005
【図５】
0005237611.tif 000006
【図６】
0005237611.tif 000007
【図７】
0005237611.tif 000008
【図８】
0005237611.tif 000009
【図９】
0005237611.tif 000010
【図１０】
0005237611.tif 000011
【図１１】
0005237611.tif 000012
【図１２】
0005237611.tif 000013
【図１３】
0005237611.tif 000014
【図１４】
0005237611.tif 000015
【図１５】
0005237611.tif 000016
【図１６】
0005237611.tif 000017
【図１７】
0005237611.tif 000018